(57)【特許請求の範囲】
【請求項１】
所定の条件が満たされたことに基づいて多量の賞が獲得可能とされる特別遊技を実行可能な特別遊技実行手段を有し、該特別遊技実行手段による特別遊技が実行された後は、遊技者にとって有利度合いの異なる複数の遊技状態のうちのいずれかの遊技状態に制御されうる遊技機において、
遊技領域に向けて打ち込まれた遊技球を受け入れ可能な始動口と、
前記始動口への遊技球の受け入れに基づいて所定の時間だけ図柄を変動表示させた後にこれを停止表示させる図柄制御手段と、
前記図柄制御手段により前記図柄が停止表示された後に、可動部材が動作することによって遊技球の受け入れが容易化されうる大入賞口と、を備え、
前記所定の条件は、前記始動口への遊技球の受け入れに基づいて満たされうるものであり、
前記特別遊技実行手段は、
前記始動口への遊技球の受け入れに基づいて前記所定の条件が満たされたとき、前記図柄制御手段により前記図柄の変動表示が開始されてから同変動表示が停止されるまでの一変動の期間内で前記始動口への遊技球の受け入れに基づいて獲得可能とされる賞数の期待値Ａが、該一変動の期間が終了してから前記大入賞口への遊技球の受け入れに基づいて獲得可能とされる賞数の期待値Ｂを上回る配分比率をもった、それら賞数の合算によって前記特別遊技における多量の賞を獲得可能ならしめる制御を行う第１配分制御手段、及び
前記始動口への遊技球の受け入れに基づいて前記所定の条件が満たされたとき、前記図柄制御手段により前記図柄の変動表示が開始されてから同変動表示が停止されるまでの一変動の期間内で前記始動口への遊技球の受け入れに基づいて獲得可能とされる賞数の期待値Ａが、該一変動の期間が終了してから前記大入賞口への遊技球の受け入れに基づいて獲得可能とされる賞数の期待値Ｂを下回る配分比率をもった、それら賞数の合算によって前記特別遊技における多量の賞を獲得可能ならしめる制御を行う第２配分制御手段
を有することを特徴とする遊技機。
【請求項２】
請求項１に記載の遊技機において、
所定の発光演出が行われるランプ装置をさらに備える
ことを特徴とする遊技機。
【請求項３】
請求項１または２に記載の遊技機において、
所定の音響演出が行われるスピーカ装置をさらに備える
ことを特徴とする遊技機。
【発明の詳細な説明】
【技術分野】
【０００１】
本発明は、ぱちんこ遊技機（一般的に「パチンコ機」とも称する）等の遊技機に関するものである。
【背景技術】
【０００２】
従来、例えば特許文献１に見られるように、所定の条件が満たされたとき、多量の賞球が払い出される特別遊技が行われる遊技機が知られている。
【０００３】
すなわち、この特許文献１に記載の遊技機では、まず、始動口への遊技球の入球があるか否かを判断する。そして、この始動口への遊技球の入球があったときは、予め定められた当選確率をもって上記特別遊技の実行契機となる当たりについての判定処理を行う。またこの際、所定の表示装置において特別図柄を所定の変動時間だけ変動表示させる。そして、所定の変動時間が経過した時点で、当たりに当選されたことが示される表示態様にて上記特別図柄が停止表示されたときには、遊技者に多くの賞球が払い出される特別遊技を行う。またさらに、特定の当選種にて当たりが当選されたことが上記特別図柄の停止表示態様によって示されていたときには、この特別遊技が行われた後に遊技者に有利な遊技状態に制御する。
【先行技術文献】
【特許文献】
【０００４】
【特許文献１】特開２００８−０２２８７０号公報
【発明の概要】
【発明が解決しようとする課題】
【０００５】
ところで、このような遊技機では、斬新な手法にて賞が獲得可能とされる遊技を実現することが望まれている。
【０００６】
この発明は、こうした実情に鑑みてなされたものであり、遊技興趣の低下が抑制される遊技機を提供することを目的とする。
【課題を解決するための手段】
【０００７】
手段１：所定の条件が満たされたことに基づいて遊技者に多量の賞球が払い出されうる特別遊技を実行可能な特別遊技実行手段を有し、該特別遊技実行手段による特別遊技が実行された後は、遊技者にとって有利度合いの異なる複数の遊技状態のうちのいずれかの遊技状態に制御されうる遊技機において、遊技領域に向けて打ち込まれた遊技球を受け入れ可能な始動口と、前記始動口への遊技球の受け入れに基づいて所定の時間だけ図柄を変動表示させた後にこれを停止表示させる図柄制御手段と、前記図柄制御手段により前記図柄が停止表示された後に、可動部材が動作することによって遊技球の受け入れが容易化されうる大入賞口と、を備え、前記所定の条件は、前記始動口への遊技球の受け入れに基づいて満たされうるものであり、前記特別遊技実行手段は、前記始動口への遊技球の受け入れに基づいて前記所定の条件が満たされたときには、この所定の条件が満たされたことに応じて実行可能とされる前記特別遊技にて払い出されうる賞球数を、前記図柄の変動表示中における前記始動口への遊技球の受け入れに基づいて払い出される賞球と、前記図柄の変動表示が終了して停止表示されてから前記大入賞口への遊技球の受け入れに基づいて払い出される賞球とで分け合うように当該特別遊技を実行しうることを特徴とする遊技機。
【０００８】
上記構成では、始動口への遊技球の受け入れに基づいて所定の条件が満たされたときには、図柄の変動表示中における上記始動口への遊技球の受け入れに基づいて払い出される賞球と、図柄の変動表示が終了して停止表示されてから上記大入賞口への遊技球の受け入れに基づいて払い出される賞球とで分け合うように、遊技者に多量の賞球が払い出されうる上記特別遊技を行うこととした。
【０００９】
すなわちこの場合、始動口に遊技球が入球することにより所定の条件が満たされたときにはすぐに、図柄の変動表示が行われている状況下で上記始動口を利用した特別遊技が実行（開始）されることとなり、こうした特別遊技の迅速な実行を通じて遊技興趣の低下が抑制されるようになる。また、図柄が停止表示された後も、上記大入賞口を利用した特別遊技が継続されることとなる。したがって、遊技者に多量の賞球が払い出されうる上記特別遊技における賞球数が、図柄の変動表示に要する時間（変動時間）のみに依存されてしまうようなことが回避されるようになり、短い時間をもって図柄の変動表示が停止されたときの遊技興趣の低下を抑制することができるようになる。
【００１０】
また、図柄の変動表示が行われている状況下で上記始動口を利用した特別遊技を行うようにしつつも、こうして図柄の変動表示が行われている間は、例えば、当該始動口を利用した特別遊技にて払い出されうる賞球数（図柄の変動時間の長さ）や、当該図柄が停止表示された後の上記大入賞口を利用した特別遊技にて払い出されうる賞球数（ラウンド数の多さ）や、この特別遊技が実行された後に、遊技者にとって有利度合いの異なる複数の遊技状態のうちのいずれの遊技状態に制御されるか、等々についての演出を行うことが可能であることから、遊技演出に要する時間の創出という重要な機能も好適に確保することができるようになる。
【発明の効果】
【００１１】
この発明によれば、遊技興趣の低下が抑制される。
【図面の簡単な説明】
【００１２】
【図１】パチンコ機の外枠の一側に本体枠が開かれその本体枠の一側に前面枠が開かれた状態を示す斜視図である。
【図２】パチンコ機の前側全体を示す正面図である。
【図３】遊技領域を示す拡大正面図である。
【図４】パチンコ機の本体枠と遊技盤とを分離して斜め右上前方から示す斜視図である。
【図５】パチンコ機の後側全体を示す背面図である。
【図６】パチンコ機の後側全体を右上後方から示す斜視図である。
【図７】図６に示すパチンコ機の斜視図から後ろカバー及び各種制御基板等を取り外した状態を示す斜視図である。
【図８】パチンコ機の本体枠に各種部材が組み付けられた状態を斜め右上後方から示す斜視図である。
【図９】本体枠単体を斜め右上後方から示す斜視図である。
【図１０】各種の制御基板ボックスが装着された遊技盤を右下後方から示す斜視図である。
【図１１】複合転動振分装置を示す平面図である。
【図１２】パチンコ機の電気的構成を示すブロック図。
【図１３】主基板および周辺基板の機能的な構成を概略的に示す機能ブロック図。
【図１４】主制御側電源投入時処理の一例を示すフローチャート。
【図１５】図４３の主制御側電源投入時処理のつづきを示すフローチャート。
【図１６】主制御側タイマ割り込み処理の一例を示すフローチャート。
【図１７】賞球コマンド及びセルフチェックコマンド送信処理の一例を示すフローチャート。
【図１８】ＡＣＫ信号入力判定処理の一例を示すフローチャート。
【図１９】第１遊技処理の一例を示すフローチャート。
【図２０】第１始動検出処理の一例を示すフローチャート。
【図２１】第１抽選・変動開始処理の一例を示すフローチャート。
【図２２】第１抽選変動表示パターン設定処理の一例を示すフローチャート。
【図２３】第１変動中処理の一例を示すフローチャート。
【図２４】第１当たり役物作動処理の一例を示すフローチャート。
【図２５】普通図柄の変動パターンテーブルの一例を示す図。
【図２６】第２遊技処理の一例を示すフローチャート。
【図２７】第２抽選・変動開始処理の一例を示すフローチャート。
【図２８】第２抽選変動表示パターン設定処理の一例を示すフローチャート。
【図２９】特別図柄の変動時間についての決定に供される時間決定用テーブル。
【図３０】第２変動中処理の一例を示すフローチャート。
【図３１】特別図柄の変動番号の別に演出態様を示すタイムチャート。
【図３２】特別図柄側の遊技演出について分岐タイミングを示すブロック図。
【図３３】普通当たりに落選されたときの特別図柄側の遊技演出の変化を示すタイムチャート。
【図３４】普通当たりに落選されたときの特別図柄側の遊技演出の変化を示すタイムチャート。
【図３５】大当たり遊技開始処理の一例を示すフローチャート。
【図３６】特別電動役物大当たり処理の一例を示すフローチャート。
【図３７】各種遊技が進行されたときの遊技処理の一例を示すタイムチャート。
【図３８】普通当たりに落選されたときの特別図柄側の遊技演出の変化についてその別例を示すタイムチャート。
【発明を実施するための最良の形態】
【００１３】
以下、本発明の一実施形態であるパチンコ遊技機（以下、単に「パチンコ機」という）を、図面に基づいて詳細に説明する。
【００１４】
［パチンコ機の全体構成について］
図１に基づき説明する。図１はパチンコ機の外枠の一側に本体枠が開かれその本体枠の一側に前面枠が開かれた状態を示す斜視図である。なお、図１においては遊技領域における装飾部材が省略された図を示している。
【００１５】
パチンコ機１は、外枠２、本体枠３、前面枠４、及び遊技盤５等を備えて構成されている。外枠２は、上下左右の木製の枠材によって縦長四角形の枠状に形成され、同外枠２の前側下部には、本体枠３の下面を受ける下受板６を有している。外枠２の前面の片側には、ヒンジ機構７によって本体枠３が前方に開閉可能に装着されている。なお、外枠２は、樹脂やアルミニウム等の軽金属によって形成されていてもよい。
【００１６】
［本体枠の構成について］
図２及び図４に基づき説明する。図２はパチンコ機の前側全体を示す正面図であり、図４はパチンコ機の本体枠と遊技盤とを分離して斜め右上前方から示す斜視図である。
【００１７】
本体枠３は、前枠体１１、遊技盤装着枠１２及び機構装着体１３を合成樹脂材によって一体成形することで構成されている。本体枠３の前枠体１１は、外枠２（図１参照）の前側の下受板６を除く外郭形状に対応する大きさの矩形枠状に形成されている。そして、前枠体１１の片側の上下部には、本体枠側ヒンジ具１５が固定されており、外枠２の片側の上下部に固定された外枠側ヒンジ具１４に対してヒンジピン及びヒンジ孔によって開閉回動可能に装着されている。すなわち、外枠側ヒンジ具１４、本体枠側ヒンジ具１５、ヒンジピン及びヒンジ孔によってヒンジ機構７が構成されている。
【００１８】
前枠体１１の前側において、遊技盤装着枠１２よりも下方に位置する前枠体１１の前下部左側領域にはスピーカボックス部１６が一体に形成され、そのスピーカボックス部１６の前側開口部には、同開口部を塞ぐようにしてスピーカ装着板１７が装着されている。そして、スピーカ装着板１７にはスピーカ１８が装着されている。また、前枠体１１前面の下部領域内において、その上半部分には発射レール１９が傾斜状に装着されている。また、前枠体１１前面の下部領域内の下半部分には下部前面板３０が装着されている。そして、下部前面板３０の前面の略中央部には、遊技球を貯留可能な下皿３１が設けられ、右側寄りには操作ハンドル３２が設けられ、左側寄りには灰皿３３が設けられている。なお、下皿３１には、遊技球を下方に排出するための球排出レバー３４が配設されている。
【００１９】
［前面枠の構成について］
図１及び図２に基づき説明する。前枠体１１の前面の片側には、その前枠体１１の上端から下部前面板３０の上縁にわたる部分を覆うようにして、前面枠４がヒンジ機構３６によって前方に開閉可能に装着されている。また、前面枠４の略中央部には、遊技盤５の遊技領域３７を前方から透視可能な略円形の開口窓３８が形成されている。また、前面枠４の後側には開口窓３８よりも大きな矩形枠状をなす窓枠３９が設けられ、その窓枠３９にはガラス板、透明樹脂板等の透明板５０が装着されている。また、前面枠４の前面の略全体は、ランプ等が内設された前面装飾部材によって装飾され、同前面枠４の前面の下部には上皿５１が形成されている。詳しくは、開口窓３８の周囲において、左右両側部にサイド装飾装置５２が、下部に上皿５１が、上部に音響電飾装置５３が装着されている。サイド装飾装置５２は、ランプ基板が内部に配置され且つ合成樹脂材によって形成されたサイド装飾体５４を主体として構成されている。サイド装飾体５４には、横方向に長いスリット状の開口孔が上下方向に複数配列されており、該開口孔には、ランプ基板に配置された光源に対応するレンズ５５が組み込まれている。音響電飾装置５３は、透明カバー体５６、スピーカ５７、スピーカカバー５８、及びリフレクタ体（図示しない）等を備え、これらの構成部材が相互に組み付けられてユニット化されている。
【００２０】
［施錠装置の構成について］
図１及び図４に基づき説明する。前枠体１１のヒンジ機構３６に対して反対側となる自由端側の後側には、外枠２に対し本体枠３を施錠する機能と、本体枠３に対し前面枠４を施錠する機能とを兼ね備えた施錠装置７０が装着されている。すなわち、この実施形態において、施錠装置７０は、外枠２に設けられた閉止具７１に係脱可能に係合して本体枠３を閉じ状態に施錠する上下複数の本体枠施錠フック７２と、前面枠４の自由端側の後側に設けられた閉止具７３に係脱可能に係合して前面枠４を閉じ状態に施錠する上下複数の扉施錠フック７４と、パチンコ機１の前方から鍵が挿入されて解錠操作可能に、前枠体１１及び下部前面板３０を貫通して露出されたシリンダー錠７５と、を備えている。そして、シリンダー錠７５の鍵穴に鍵が挿入されて一方向に回動操作されることで本体枠施錠フック７２と外枠２の閉止具７１との係合が外れて本体枠３が解錠され、これとは逆方向に回動操作されることで、扉施錠フック７４と前面枠４の閉止具７３との係合が外れて前面枠４が解錠されるようになっている。
【００２１】
［遊技盤装着枠及び遊技盤の構成について］
図１、図３、図４、及び図５に基づき説明する。図３は遊技領域の構成を示す拡大正面図であり、図５はパチンコ機の後側全体を示す背面図である。
【００２２】
図１及び図４に示すように、本体枠３の遊技盤装着枠１２は、前枠体１１の後側に設けられかつ遊技盤５が前方から着脱交換可能に装着されるようになっている。遊技盤５は、遊技盤装着枠１２の前方から嵌込まれる大きさの略四角板状に遊技板５ａから構成されている。遊技盤５（遊技板５ａ）の盤面（前面）には、外レール７６と内レール７７とを備えた案内レール７８が設けられ、その案内レール７８の内側に遊技領域３７が区画形成されている。なお、発射レール１９と案内レール７８との間には、所定の隙間が設けられており、発射された遊技球が案内レール７８を逆戻りした場合には、その遊技球は、その隙間から排出され下皿３１に案内されるように構成されている。また、遊技盤５（遊技板５ａ）の前面には、その案内レール７８の外側領域において、合成樹脂製の前構成部材７９が装着されている。また、遊技盤５（遊技板５ａ）の略中央部には、後述するセンター役物９１が取付けられて、遊技板５ａの後方に位置する演出表示装置１１５を視認可能とする開口部１２４を形成するための開口部（図示外）が形成されている。
【００２３】
図３に示すように、遊技領域３７内には多数の障害釘が所定のゲージ配列をなして設けられているほか、その途中の所定位置に風車９２が設けられている。遊技領域３７のほぼ中央位置には、センター役物９１が配設されており、このセンター役物９１のデザインによってパチンコ機１の機種やゲームコンセプト等が特徴付けられている。
【００２４】
また、センター役物９１の後方には、遊技者からの注目を集めるように正面視で大きな領域をもって演出表示する演出表示装置１１５が設けられている。演出表示装置１１５は、装飾図柄画像情報、背景画像情報、キャラクタ画像情報等を合成した画像情報を表示可能な適宜の表示装置が用いられる。本実施の形態では、演出表示装置１１５として液晶表示装置が用いられている。
【００２５】
一方、遊技領域３７におけるセンター役物９１の下方には、普通始動有賞口９６が設けられるとともに、同センター役物９１の右側には、普通始動無賞口８９、及び普通電動役物８１、及び特別始動有賞口８２がそれぞれ設けられている。
【００２６】
そしてこのうち、普通始動無賞口８９及び普通始動有賞口９６のいずれかへの遊技球の受け入れがあったときには、後述のセンサ３１６、３１７（図１２参照）によって同受け入れがあったことが検出される。
【００２７】
そしてこの際、所定の普通始動条件が成立すれば、予め定められた数値範囲内で定期的（例えば４ｍｓ毎）に更新（生成）される普通図柄用の乱数に基づいて、上記普通電動役物８１の動作契機となる普通当たりについての判定処理（普通判定）が行われ、普通図柄表示器３３３（図１２参照）に動的表示される普通図柄が所定の時間だけ変動表示される。そして、普通当たりが当選されているときには、この変動表示が終了した後、ソレノイドなどを有して構成される後述の普通役物駆動機構３３４（図１２参照）の駆動制御が行われ、これによって普通電動役物８１（より正確には、普通電動役物８１の可動片）による開放動作が行われるようになる。
【００２８】
すなわち、上記特別始動有賞口８２は、普通当たりの当選に応じて上記普通電動役物８１（より正確には、普通電動役物８１の可動片）による開放動作があったときにのみ遊技球の（入球）入賞が可能とされるように設けられている。この意味では、上記普通電動役物８１（より正確には、普通電動役物８１の可動片）は、特別始動有賞口８２への遊技球の入球を不可能とする態様（拒球態様）と、同入球を可能とする態様（許球態様）との間で切り替わるように動作可能なものであって、普通役物駆動機構３３４の駆動制御が行われない限りは拒球態様に維持されるものであるといえる。
【００２９】
また、この特別始動有賞口８２に遊技球が入球されたときには、後述の特別始動有賞センサ３１８（図１２参照）によって同遊技球の入球（入賞）が検出される。そしてこの際、所定の特別始動条件が成立すれば、予め定められた数値範囲内で定期的（例えば４ｍｓ毎）に更新（生成）される特別図柄用の乱数に基づいて、後述のアタッカ装置９８（開閉部材９９）の動作契機となる特別当たりについての判定処理（特別判定）が行われ、特別図柄表示器３３２（図１２参照）に動的表示される特別図柄が所定の時間だけ変動表示される。そして、特別当たりが当選されているときには、この変動表示が終了した後に、ソレノイドなどを有して構成される後述のアタッカ駆動機構３３９（図１２参照）の駆動制御が行われ、これによってアタッカ装置９８における開閉部材９９の下端部分を軸として当該開閉部材９９が前後方向に開閉動作されるようになる。
【００３０】
すなわち、この実施の形態にかかるアタッカ装置９８は、上記普通始動有賞口９６の右側、且つ上記普通始動無賞口８９及び特別始動有賞口８２の下側となる領域にて配置されており、特別当たりの当選に応じて上記開閉部材９９による開閉動作があったときにのみ当該アタッカ装置９８内の大入賞口８３への遊技球の（入球）入賞が可能とされるように設けられている。そして、こうして大入賞口８３への遊技球の（入球）入賞が可能とされる大当たり遊技（条件装置が作動することに応じて開始される遊技）では、大入賞口８３への遊技球の入球（入賞）がカウントセンサ３１９により検出されることで、遊技者に遊技球が払い出されることとなる。
【００３１】
ただし、この実施の形態にかかるパチンコ機１では、上記普通当たりや上記特別当たりなどの当選によって各種の遊技が進行された場合に遊技者に対して払い出されうる賞球（遊技球）数については、こうした大当たり遊技において上記大入賞口８３への遊技球の受け入れに基づいて払い出される賞球のみならず、図柄の変動表示中における上記特別始動有賞口８２への遊技球の受け入れに基づいて払い出される賞球によっても獲得されるようにしている。
【００３２】
すなわち後述するが、特別始動有賞口８２への遊技球の受け入れに基づいて所定の条件が満たされたときには、図柄の変動表示中における上記特別始動有賞口８２への遊技球の受け入れに基づいて払い出される賞球と、図柄の変動表示が終了して停止表示されてから上記大入賞口８３への遊技球の受け入れに基づいて払い出される賞球とで分け合う（分配する）ように、遊技者に多量の賞球が払い出されうる上記特別遊技を行うようにしている。そしてこの場合、特別始動有賞口８２に遊技球が入球することにより所定の条件が満たされたときにはすぐに、図柄の変動表示が行われている状況下で上記特別始動有賞口８２を利用した特別遊技が実行（開始）されることとなり、こうした特別遊技の迅速な実行を通じて遊技興趣の低下が抑制されるようになる。また、図柄が停止表示された後も、上記大入賞口８３を利用した特別遊技が継続されることとなる。したがって、遊技者に多量の賞球が払い出されうる上記特別遊技における賞球数が、図柄の変動表示に要する時間（変動時間）のみに依存されてしまうようなことが回避されるようになり、短い時間をもって図柄の変動表示が停止されたときの遊技興趣の低下を抑制することができるようになる。
【００３３】
また、図柄の変動表示が行われている状況下で上記特別始動有賞口８２を利用した特別遊技を行うようにしつつも、こうして特別図柄の変動表示が行われている間は、例えば、当該特別始動有賞口８２を利用した特別遊技にて払い出されうる賞球数（図柄の変動時間の長さ）や、当該図柄が停止表示された後の上記大入賞口８３を利用した特別遊技にて払い出されうる賞球数（ラウンド数の多さ）や、この特別遊技が実行された後に、遊技者にとって有利度合いの異なる複数の遊技状態のうちのいずれの遊技状態に制御されるか、等々についての演出を行うことが可能であることから、遊技演出に要する時間の創出という重要な機能も好適に確保することができるようになる。
【００３４】
なお、これも後述するが、この実施の形態にかかる大当たり遊技としては、例えば、アタッカ装置９８が開放されてから長時間（例えば３０秒）経過するか、所定個（例えば９個）の遊技球が入賞されるまでの期間だけ上記開閉部材９９を開閉動作させる第１のラウンド遊技を１５回繰り返し行うものや、アタッカ装置９８を短時間（例えば１．６秒）だけ開閉動作させる第２のラウンド遊技を２回だけ繰り返し行うものなどが実行可能とされている。そして、大当たり遊技における賞球数が多い当選種にて上記特別当たりが当選されたときは、上記図柄の変動表示に要する時間は短い傾向とされて、大当たり遊技における賞球数が少ない当選種にて上記特別当たりが当選されたときは、上記図柄の変動表示に要する時間は多い傾向とされている。
【００３５】
他方、センター役物９１の斜め左下には、普通始動無賞口８９及び普通始動有賞口９６のいずれかへの遊技球の受け入れに応じた普通判定の保留状態を示す後述の普通保留球ランプ３２３として機能する四つのＬＥＤ８５と、同保留状態とされた普通判定が行われたときの結果を示唆する上記普通図柄表示器３３３として機能する三つのＬＥＤ８４とが設けられている。
【００３６】
そしてこのうち、上記普通保留球ランプ３２３は、普通判定において保留回数分（最大４回）だけＬＥＤ８５が点灯するようになっており、普通始動無賞口８９及び普通始動有賞口９６のいずれに入球されても（普通始動無賞センサ３１６及び普通始動有賞センサ３１７のいずれに検出されても）点灯し、これによって普通判定の保留数が最大４つまで増加されるように表示するものである。なお、この実施の形態では、特別始動有賞口８２への遊技球の入球に応じた特別判定に対する保留機能（複数の特別判定を保留状態にする機能）は搭載されていない。
【００３７】
また、上記普通図柄表示器３３３では、所定の普通始動条件が成立して、普通判定についての保留状態が解除されてこれが実行されるとき、三つのＬＥＤ８４をいろいろなパターンで点滅（変動表示）させることにより、普通図柄の変動状態を表示する。そして、所定の変動時間が終了すると、三つのＬＥＤ８４の点灯・消灯表示パターンによって、確定した普通図柄を停止状態で表示することで、普通判定の結果情報がＬＥＤ８４の点灯・消灯によって報知される。なお後述するが、ＬＥＤ８４の点灯・消灯による普通図柄の変動表示及び停止表示の制御は、遊技盤５の後側に設けられた制御装置を通じて行われる。
【００３８】
また、センター役物９１の左上部には、特別始動有賞口８２への始動入賞を契機とした特別判定における判定結果を表示する特別図柄表示器３３２として機能する八つのＬＥＤ８８が設けられている。この特別図柄表示器３３２では、特別始動有賞口８２への始動入賞を契機として八つのＬＥＤ８８をいろいろなパターンで点滅（変動表示）させることにより、特別図柄の変動状態を表示する。そして、所定の変動時間が終了すると、八つのＬＥＤ８８の点灯・消灯表示パターンによって、確定した特別図柄を停止状態で表示（後述の図柄決定用乱数にて決定された表示態様）することで、特別判定の結果情報がＬＥＤ８８の点灯・消灯によって報知される。なお後述するが、ＬＥＤ８８の点灯・消灯による特別図柄の変動表示及び停止表示の制御は、遊技盤５の後側に設けられた制御装置を通じて行われる。
【００３９】
また、センター役物９１の下部には、図３及び図１１に示されるように、上面で遊技球を転動させることができるステージ２０、及び遊技領域３７の最も下方となる位置にて遊技球を排出する球アウト口９０が設けられている。
【００４０】
そしてこのうち、ステージ２０は、遊技領域３７に開口しているワープ流入口６３とワープ通路（図示略）を介して連通されており、該ワープ通路を介して供給される遊技球を特定出口２４と普通出口２５とのいずれかに振り分ける部分である。
【００４１】
すなわち、このステージ２０は、全体が透光性を有するプラスティックで一体的に成形されており、遊技者側には仕切板４０が立設されている。また、その中央部には、外周壁４１で囲われた複合転動振分装置２１が形成されており、その外縁部にはステージ左余地４２及び右キャノピー４３が形成されている。ステージ２０の左奥方に複合転動振分装置２１の外縁部に接続する進入路４５（図１１参照）が形成されている。進入路４５の上流側端部はワープ出口４４に接続しており、このワープ出口４４が、上記ワープ通路（図示略）を介して上記ワープ流入口６３と連通されている。
【００４２】
ここで、上記複合転動振分装置２１は、中央部に１個の特定出口２４と２個の普通出口２５とを有している。そしてこのうち、上記特定出口２４は、当該特定出口２４に振り分けられた遊技球を、上記ステージ２０の前下方に形成された流出部６２のうちの上記普通始動有賞口９６に対して直上となる位置に流出させる部分であり、これによって上記普通始動有賞口９６に入賞される確率を極めて高くするようにしている。これに対し、上記普通出口２５は、当該普通出口２５に振り分けられた遊技球を、上記ステージ２０の前下方に形成された流出部６２のうちの上記普通始動有賞口９６に対して直上とならない位置に流出させる部分であり、上記特定出口２４よりも普通始動有賞口９６に入賞される確率は低くなっているものの、同有賞口９６に入賞される可能性を残すように設けられている。
【００４３】
また、遊技盤５の後側には、図５及び図１０に示すように、演出表示装置１１５にかかる表示制御を行う制御装置や、普通電動役物８１やアタッカ装置９８等の動作にかかる駆動制御を行う制御装置や、普通判定や特別判定などの遊技進行にかかる処理を行う制御装置や、遊技球の払い出しにかかる制御を行う制御装置、等々が収納される制御基板ボックス１１７、１３０、１３２、１９８が装着されている。なお、遊技球の払い出しにかかる制御を行う制御装置とは、遊技球を払い出すべき数量を示すデータなどが記憶されているＲＡＭを備え、上述の各有賞口（賞球口）に遊技球が入球したときなどにそれら有賞口に定められている賞球数分だけ遊技者に対して遊技球が払い出されるように、該ＲＡＭに記憶されているデータに基づいて上記払出モータ１７２を作動制御するものである。
【００４４】
ところで、このパチンコ機１では、こうした有賞口（賞球口）としては特に、普通始動有賞口９６や、特別始動有賞口８２、大入賞口８３などが設けられている。ただし上述の通り、この実施の形態では、上記普通当たりや上記特別当たりなどの当選によって各種の遊技が進行された場合には、図柄の変動表示中における上記特別始動有賞口８２への遊技球の受け入れに基づいて払い出される賞球と、図柄の変動表示が終了して停止表示されてから上記大入賞口８３への遊技球の受け入れに基づいて払い出される賞球とで分け合う（分配する）ように、遊技者に多量の賞球が払い出されうる上記特別遊技を行うようにしている。このため、特別始動有賞口８２や大入賞口８３に遊技球が入球されたときに払い出される賞球数については、その他の有賞口（例えば、図柄を変動させる単に遊技進行のために用いられる有賞口９６）にて設定されている賞球数よりも倍以上に多い値として設定することで、特別遊技の際に遊技者の持ち球が積極的に純増されるようにしている。またさらに、この実施の形態では、特に、上記特別始動有賞口８２に遊技球が入球されたときに払い出される賞球数については、当該パチンコ機１における最大賞球数として、大入賞口８３に遊技球が入球されたときに払い出される賞球数（例えば１０個）以上の値（例えば１５個）を設定するようにしている。このように、所定条件下での図柄の変動表示中のほうが大当たり遊技中よりも単位時間当たりの賞球の払い出し数が多くなるようにして、所定条件下での図柄の変動中遊技（変動中特別遊技）に上記大当たり遊技と同等以上の賞球の払い出し機能を持たせたことによって、大当たり遊技のみならず、所定条件下での図柄の変動中遊技（変動中特別遊技）も多量の賞球が払い出される特別遊技として機能するようになる。
【００４５】
すなわち、一般に、パチンコ機にあって、普通当たりや特別当たりなどの当選によって各種の遊技を進行させるための厳しい条件に見合った分の賞球数が払い出される特別遊技とは、遊技者に直接的な利益を与えるものであって、遊技興趣の高揚が最高潮に達するような遊技の進行における総決算としての位置づけにされるものである。
【００４６】
ただし、従来は、こうした遊技の進行における総決算としての特別遊技が行われるのに先立って、当該特別遊技が実行された後に遊技者にとって有利な遊技状態（例えば、いわゆる確変遊技状態や時短遊技状態など）に突入（若しくは継続）するか否かについての情報を先行して示すようにしていた。このため、遊技者にとって有利な遊技状態に突入（若しくは継続）しないことが示されてから特別遊技が開始されるような場合には、当該特別遊技を通じて直接的に付与される利益を十分に楽しむことができず、ひいては遊技興趣が低下してしまうようなこともあった。
【００４７】
そこで、従来のパチンコ機の中には、遊技者からの注目を集めるように設けられる演出表示装置１１５においては上記有利な遊技状態に突入（若しくは継続）するか否かについての情報を先行して示さないようにしたものもある。
【００４８】
しかしながら、始動入賞を契機とした特別判定における判定結果を表示する特別図柄表示器３３２においては、所定の変動時間が終了したときの特別図柄の停止表示態様（ＬＥＤ等の点灯組み合わせ）によって、上記有利な遊技状態に突入（若しくは継続）するか否かについての情報が先行して現れてしまう。そして近年、こうした特別図柄の停止表示態様のうちのいずれが上記有利な遊技状態に突入（若しくは継続）するものであるか、等々の情報については、雑誌のみならず、インターネットやホール内の遊技機ガイドなどにおいても積極的に開示されているものであることから、これは特別遊技が行われるときの遊技興趣の低下を回避する上で有効な手法ではないとされている。
【００４９】
この点、この実施の形態では、始動入賞を契機として特別図柄表示器３３２にて開始される特別図柄の変動表示が停止されるまでの特別図柄の変動時間中から、遊技の進行における総決算としての特別遊技を条件装置の作動なしに実行開始可能とすべく、後述の様々構成を採用するようにしている。
【００５０】
このような後述の様々構成によれば、遊技者にとって有利な遊技状態（例えば、いわゆる確変遊技状態や時短遊技状態など）に突入（若しくは継続）するか否かについての情報が示されるよりも前の段階で、上記普通当たりや上記特別当たりなどの当選によって各種の遊技が進行された場合に遊技者に対して払い出されうる賞球（遊技球）の大部分を占める上記特別遊技にかかる制御が開始されるようになる。これにより、遊技者にとって有利な遊技状態に突入（若しくは継続）しないことが示されてから特別遊技が開始されるようなことが回避されるようになり、ひいては特別遊技が行われるときの遊技興趣の低下を抑制することができるようになる。
【００５１】
しかも、遊技者にとって有利な遊技状態（例えば、いわゆる確変遊技状態や時短遊技状態など）に制御されるか否かについての情報が上記図柄の停止表示態様により示されるまでの上記特別図柄の変動時間が、当該パチンコ機１における賞球数としての最大値（１５個）が設定された上記特別始動有賞口８２を用いた特別遊技の実行が可能とされる制限時間として機能することとなる。すなわちこの場合、遊技者は、この制限時間がタイムアップ（特別図柄の変動表示が停止）されるまでの間は、遊技球を獲得するための遊技に集中してこれを実行し続けることが可能となり、遊技者自身に多量の賞球を積極的に獲得しにいかせるこのような斬新な遊技性によって、特別遊技これ自体の遊技興趣を好適に維持することができるようになる。なお、特別始動有賞口８２への入賞により遊技者の持ち球を積極的に純増させることのできる変動中特別遊技が終了した後は、大入賞口８３への遊技球の入賞が困難とされるかたちでアタッカ装置９８を開閉させる当選種（２ラウンド当たり）にて特別当たりが当選されていない限りは、大入賞口８３への入賞により遊技者の持ち球を積極的に純増させることのできる大当たり遊技が継続して行われることとなる。
【００５２】
［遊技領域および画像表示領域の位置、大きさ、範囲について］
図１〜図４に基づき説明する。本実施形態のパチンコ機１では、前面枠４が本体枠３に対して装着されると、前面枠４は正面視で本体枠３の少なくとも３分の２以上を占める。そして、前面枠４の略中央に形成された透明板５０を介して、当該透明板５０と略同一の円形かつ大きさを有する遊技領域３７が視認可能となる。なお、遊技盤５が有する正方形状の遊技板５ａに対して略内接円をなすように外レール７６を配置することで、正方形状の遊技板５ａに対して最大限に広い円形状の遊技領域３７を確保しており、ここでは遊技領域３７は遊技板５ａの少なくとも４分の３以上の面積を有している。
【００５３】
また、遊技盤５の後方に設けられて正面視で遊技領域３７の略中央部に位置する演出表示装置１１５は、横長長方形状の画像表示領域を有しており、この画像表示領域は遊技盤５に形成された開口部１２４を介して視認可能となっている。この演出表示装置１１５は各種画像や図柄を用いた演出を行うために、より広い画像表示領域を有する大型液晶ディスプレイとして実装されている。具体的には、演出表示装置１１５の画像表示領域の横幅は、遊技盤５の横幅に対してほぼ３分の２の大きさを有し、演出表示装置１１５の画像表示領域の縦幅は、遊技盤５の縦幅に対してほぼ２分の１の大きさを有する。そして、演出表示装置１１５の画像表示領域は、遊技領域３７の少なくとも３分の１以上の面積を有していることから、演出表示装置１１５の画像表示領域は遊技領域３７において大きな割合を占める演出領域である。
【００５４】
［本体枠の機構装着体、球タンク及びタンクレールの構成について］
図８及び図９に基づき説明する。図８はパチンコ機の本体枠に各種部材が組み付けられた状態を斜め右上後方から示す斜視図であり、図９は本体枠単体を斜め右上後方から示す斜視図である。
【００５５】
本体枠３の機構装着体１３には、タンク装着部１３３、レール装着部１３４、及び払出装置装着部１３５等がそれぞれ形成され、タンク装着部１３３には球タンク１３６が装着されている。球タンク１３６は、透明な合成樹脂材よりなり、島設備から供給される多数の遊技球が貯留可能な上方に開口する箱形状に形成されている。そして、球タンク１３６の遊技球の貯留状態が球タンク１３６の後側壁を透して視認可能となっている。また、球タンク１３６の底板部１３７の後側隅部には遊技球を放出する放出口１３８が形成されるとともに、底板部１３７は放出口１３８に向けて下傾する傾斜面に形成されている。
【００５６】
本体枠３の機構装着体１３には、そのタンク装着部１３３に下方に接近してレール装着部１３４が一体に形成され、そのレール装着部１３４にレール構成部材１３９が装着されることでタンクレール１５０が構成されるようになっている。すなわち、この実施形態において、レール装着部１３４は、本体枠３の上部横方向部分が所定深さ凹まされた状態で形成されており、その凹部の奥側壁をタンクレール１５０の前壁部１５１とし、その凹部の下縁部に沿って一端（図９に向かって左端）から他端（図９に向かって右端）に向けて下傾する傾斜状のレール棚１５５が形成されている。そして、レール棚１５５の横方向に延びる上向き面をレール受け部１５８としている。
【００５７】
レール装着部１３４に装着されてタンクレール１５０を構成するレール構成部材１３９は、レール装着部１３４の前壁部１５１との間にレール通路を構成する後壁部１５２と、傾斜状をなす下板部と、その下板部の上面の前後方向中央部に沿って突設されレール通路を前後複数列（この実施形態では前後２列）に区画する仕切り壁（いずれも図示しない）とを一体に備えて形成されている。このレール構成部材１３９は、レール装着部１３４に対し適宜の取付手段によって装着され、これによって、前後複数列のレール通路を備えたタンクレール１５０が構成されている。そして、球タンク１３６の放出口１３８から放出（自重によって落下）された遊技球がタンクレール１５０の前後複数列のレール通路の一端部においてそれぞれ受けられた後、遊技球が自重によってレール通路に沿って転動することでレール通路の他端部に向けて流れるようになっている。また、この実施形態において、レール構成部材１３９は、透明な合成樹脂材より形成され、これによって、レール通路内の遊技球の流れ状態が、レール構成部材１３９の後壁部１５２を透して視認可能となっている。
【００５８】
タンクレール１５０（レール装着部１３４）の前壁部１５１は、遊技盤５の後側に突出する装備品（例えばセンター役物９１）における後部の上端部との干渉を避けるため第１空間部を隔てた状態で設けられている。また、この実施形態において、本体枠３の後端部となるレール棚１５５の後端と、タンクレール１５０の後壁部は、球タンク１３６の後側壁と略同一面をなしている。言い換えると、球タンク１３６の後壁部に対しタンクレール１５０の後壁部が略同一面となる位置までタンクレール１５０が遊技盤５の後面より後方に離隔して配置されている。これによって、遊技盤５の後側とタンクレール１５０の前壁部１５１との間にセンター役物９１の後部との干渉を避けるための第１空間部が設けられるようになっている。
【００５９】
また、タンクレール１５０の上方には、レール通路を流れる遊技球を上下に重なることなく整列させる整流体１５６がその上部において軸１５７を中心として揺動可能に装着されている。この整流体１５６には、その中央部から下部において錘が設けられている。
【００６０】
［払出装置装着部及び球払出装置の構成について］
図８及び図９に基づき説明する。本体枠３の機構装着体１３の片側寄りの上下方向には、次に述べる球払出装置（球払出ユニット）１７０に対応する縦長の払出装置装着部１３５が形成されている。払出装置装着部１３５は、後方に開口部をもつ凹状に形成されている。また、払出装置装着部１３５の段差状をなす奥壁部（図示しない）の所定位置には、球払出装置１７０の払出モータ１７２（図４参照）が突出可能な開口部１７３が形成されている。
【００６１】
払出装置装着部１３５の凹部に球払出装置１７０が装着された状態において、遊技盤５との間には、第１空間部と前後方向に略同一レベルとなる第２空間部が設けられている。これによって、レール通路と球通路とが前後方向に略同一レベルで配置されている。また、本体枠３の後端、すなわち払出装置装着部１３５の周壁部後端、レール棚１５５の後端、球タンク１３６、タンクレール１５０及び球払出装置１７０のそれぞれの後面は略同一面をなしている。
【００６２】
球払出装置１７０は、払出装置装着部１３５の凹部と略同じ大きさの縦長のボックス形状をなし、払い出しに関する各種部品が装着されることでユニット化されている。なお、球払出装置１７０は、払出装置装着部１３５の凹部の後方開口部から嵌込まれて適宜の取付手段（例えば、弾性クリップ、係止爪、ビス等の取付手段）によって装着されるようになっている。
【００６３】
また、図示しないが、球払出装置１７０は、タンクレール１５０におけるレール通路の出口にそれぞれ連通する流入口を有する球通路が前後複数列（例えば前後２列）に区画されて形成されている。また、その内部に形成された前後複数列の球通路の下流部が二股状に分岐されて前後複数列の賞球及び貸球用球通路と球抜き用球通路とがそれぞれ形成されている。そして賞球及び貸球用球通路と球抜き用球通路との分岐部には、遊技球をいずれかの通路に振り分けて払い出すための回転体よりなる払出部材（図示しない）が正逆回転可能に配設されている。
【００６４】
［本体枠の後側下部の装備について］
図４及び図５に基づき説明する。本体枠３の前枠体１１の後側において、遊技盤装着枠１２よりも下方に位置する前枠体１１の後下部領域の片側（図５に向かって左側）には、発射レール１９の下傾端部の発射位置に送られた遊技球を発射するための発射ハンマー（図示しない）、その発射ハンマーを作動する発射モータ１９２等が取付基板１９３に組み付けられてユニット化された発射装置１９４が装着されている。また、前枠体１１の後下部領域の略中央部には、電源基板１９５を収容する電源基板ボックス１９６が装着されている。
【００６５】
［後カバー体の構成について］
図５及び図６に基づき説明する。図６はパチンコ機の後側全体を右上後方から示す斜視図である。
【００６６】
遊技盤５後面に配置された上述の制御基板ボックス１３２の後端部は機構装着体１３の中央部に開口された窓開口部に向けて突出している。そして、機構装着体１３の窓開口部の一側壁を構成する側壁部と他側壁を構成する払出装置装着部１３５の片側壁との間には、不透明な合成樹脂材によって略方形の箱形状に形成された後カバー体２１０がカバーヒンジ機構２１１によって開閉並びに着脱可能に装着されている。
【００６７】
後カバー体２１０は、略四角形状の後壁部２１２と、その後壁部２１２の外周縁から前方に向けて突出された周壁部２１３とから一体に構成されている。後カバー体２１０の周壁部２１３のうち、一側の壁部２１３ａには、機構装着体１３の側壁部の上下及び中間の計３箇所に形成されたヒンジ体２１４のヒンジ孔の上方からそれぞれ着脱可能に嵌込まれるヒンジピン２１５を下向きに有するヒンジ体２１６が一体に形成されている。また、後カバー体２１０の周壁部２１３のうち、他側の壁部２１３ｂには、払出装置装着部１３５の片側壁に形成された係止孔に弾性的に係合可能な係止爪を有する弾性閉止体２１７が一体に形成されている。
【００６８】
すなわち、後カバー体２１０は、その上下及び中間のヒンジ体２１６の各ヒンジピン２１５が機構装着体１３の側壁部のヒンジ体２１４のヒンジ孔の上方からそれぞれ嵌込まれる。この状態で、ヒンジピン２１５を中心として後カバー体２１０が機構装着体１３の他側に向けて回動されながら、その弾性閉止体２１７を払出装置装着部１３５の片側壁の係止孔に差し込んで弾性的に係合させることで、機構装着体１３の後側に後カバー体２１０が閉じ状態で保持される。そして、このような後カバー体２１０によって、遊技盤５後面の制御基板ボックス１３２などを覆うようにしている。ただし、制御基板ボックス１３２のうちの検査用コネクタ２１８と接続される部分は、後カバー体２１０によって覆われることなく露出されている。
【００６９】
後カバー体２１０には、多数の放熱孔２３０、２３１、２３２、２３３が貫設されており、これら多数の放熱孔２３０、２３１、２３２、２３３から内部の熱が放出されるようになっている。この実施形態において、後カバー体２１０には、その周壁部２１３から後壁部２１２に延びる多数のスリット状の放熱孔２３０が貫設され、後壁部２１２の略中間高さ位置から上部においては多数の長円形、楕円形等の放熱孔２３１が貫設され、後壁部２１２の下部には多数の長円形、楕円形等の放熱孔２３２と所定数の横長四角形状の放熱孔２３３が貫設されている。
【００７０】
また、横長四角形状の放熱孔２３３は、制御基板ボックス１３２の封印ねじ（封印部材）によって封印される複数の並列状の封印部２３５の列の大きさ及び配設位置に対応する大きさ及び位置に貫設されている。これによって、不透明な後カバー体２１０が閉じられた状態であっても、制御基板ボックス１３２の複数の並列状の封印部２３５が放熱孔２３３の部分において視認可能に露出される。このため、後カバー体２１０が閉じられた状態であっても、制御基板ボックス１３２の封印部２３５の封印状態を容易に視認することができる。また、不透明な合成樹脂材は、透明な合成樹脂材と比べ、リサイクル使用される合成樹脂材を材料として用いることが容易であるため、後カバー体２１０を安価に製作することができる。
【００７１】
後カバー体２１０の周壁部２１３のうち、上側壁部２１３ｃの所定位置（この実施形態では左右２箇所）には、電源コード（図示しない）を適宜に折り畳んだ状態で保持する略Ｃ字状でかつ弾性変形可能なコード保持体２３７が上方のタンクレール１５０の後壁面（レール構成部材１３９の後壁面）に向けて延出されている。このコード保持体２３７の先端部には、同コード保持体２３７を弾性変形させて電源コードを取り外すためのつまみが形成されている。
【００７２】
電源コードは、その一端が分電基板２３８の基板コネクタ２３９に取り外し可能に接続され、他端の電源プラグが電源コンセントに差し込まれる。前記したように、後カバー体２１０にコード保持体２３７を一体に形成して電源コードを保持することで、パチンコ機を運搬・保管する際に電源コードがぶらついて邪魔になったり、異物に引っ掛かる不具合を防止することができる。
【００７３】
［本体枠の後側下部の下皿用球誘導体等の構成について］
図２及び図７に基づき説明する。図７は、図６に示すパチンコ機の斜視図から後ろカバー及び各種制御基板等を取り外した状態を示す斜視図である。
【００７４】
本体枠３の後下部領域の他側寄り部分（ヒンジ寄り部分）には、そのスピーカボックス部１６の後段差部の凹み部分において下皿用球誘導体２５３が装着されている。この下皿用球誘導体２５３は、球払出装置１７０の賞球及び貸球用球通路から上皿連絡路（図示しない）を経て上皿５１に払い出された遊技球が満杯になったときに、上皿連絡路の遊技球を下皿３１に導くためのものである。
【００７５】
なお、この実施形態において、下皿用球誘導体２５３の後壁外面には、インターフェース基板２５２を収納している基板ボックス２５４が装着されている。なお、インターフェース基板２５２は、パチンコ機１に隣接して設置される球貸機と遊技球の払い出しにかかる制御を行う制御装置との間に介在され、球貸に関する信号を球貸機と同制御装置との間で送受信可能に電気的に接続するようになっている。
【００７６】
次に、このようなパチンコ機１の電気的な構成を詳述する。
［パチンコ機の電気的構成について］
図１２は、この実施の形態にかかるパチンコ機１の電気的構成をブロック図として示したものである。
【００７７】
パチンコ機１は、大きくは、主基板７８０と、周辺基板７８１とを備えて構成されている。
ここで、上記主基板７８０は、
・遊技球の検出。
・各種当たり（特別当たり、普通当たりなど）についての判定処理。
・特別図柄や普通図柄についての変動表示制御。
・賞球の払い出しにかかる制御（払出制御）。
等々、遊技が予め定められた手順に従って進行するよう各種の制御を行う部分である。
【００７８】
一方、上記周辺基板７８１は、
・演出ランプの点灯制御。
・音響制御。
・演出画像の表示制御。
等々、上記主基板７８０によって進行される遊技に各種の演出要素を付加し、これによって遊技の興趣の向上を図る部分である。
【００７９】
［主基板について］
主基板７８０は、主制御基板７６５と払出制御基板７７５とから構成されている。そしてこのうち、上記主制御基板７６５は、マイクロプロセッサとしての主制御ＭＰＵ７６５ａ、及び入出力デバイス（Ｉ／Ｏデバイス）としての主制御Ｉ／Ｏポート７６５ｂ、及び上記検査用コネクタ２１８、及び上記ＲＡＭクリアスイッチ７６９、などを備えて構成されている。
【００８０】
ここで、上記主制御ＭＰＵ７６５ａは、遊技の進行にかかる制御プログラムや各種のコマンドが記憶されている読み出し専用メモリとしてのＲＯＭ、記憶データがその都度更新される読み書き可能メモリとしてのＲＡＭ、及びそれらの動作（システム）を監視するウォッチドックタイマ、及び不正を防止するための各種機能、等々を備えている。同主制御ＭＰＵ７６５ａには、上記普通始動無償センサ３１６、及び上記普通始動有賞センサ３１７、及び上記特別始動有賞センサ３１８、及び上記カウントセンサ３１９など、各種のセンサからの検出信号が主制御Ｉ／Ｏポート７６５ｂを介して入力されている。
【００８１】
すなわち、こうした検出信号に基づいて上記ＲＯＭに格納されている制御プログラムを実行することで、上記普通役物駆動機構３３４、及び上記アタッカ駆動機構３３９など、各種のアクチュエータに適宜に駆動信号が出力されるようになり、これによって当該パチンコ機１にて行われる各種の遊技が予め定められた手順に従って進行するようになる。なお、後述するが、この主制御基板７６５の主制御ＭＰＵ７６５ａは、上記特別図柄表示器３３２、及び上記普通図柄表示器３３３、及び普通保留球ランプ３２３の表示制御や、上記周辺基板７８１、及び上記払出制御基板７７５に遊技の進行状況を示す信号（演出コマンド、払出コマンド）を出力することも行う。
【００８２】
また、この実施の形態では、上記主制御ＭＰＵ７６５ａは、遊技に関する各種情報（遊技情報）を、上記主制御Ｉ／Ｏポート７６５ｂを介して外部端子板３７１に出力する。上述の通り、この外部端子板３７１は、図示しないホールコンピュータと接続される部分であり、これによってホールコンピュータが、当該パチンコ機１の遊技の進行状況を把握し、監視することができるようになる。
【００８３】
また、後述するが、上記主制御ＭＰＵ７６５ａは、上記演出表示装置１１５に表示される演出画像の表示態様についてのコマンドなどを上記主制御Ｉ／Ｏポート７６５ｂを介して後述する周辺基板７８１に送信する。
【００８４】
また、同主制御基板７６５には図示しない電源基板から電力が供給されている。この電源基板は、電源遮断時にでも所定時間、主制御基板７６５に電力を供給するバックアップ電源としての電気二重層キャパシタ（以下、単に「キャパシタ」と記載する。）を備えている。このキャパシタにより供給される電力によって主制御ＭＰＵ７６５ａは、その詳細な説明は後述するが、電源遮断時にでも電源断時処理において各種の情報をその内蔵ＲＡＭに記憶することができるようになっている。なお、記憶した各種の情報は、電源投入時に主制御基板７６５のＲＡＭクリアスイッチ７６９が操作されると、その内容が内蔵ＲＡＭから消去（クリア）されるようになっている。
【００８５】
一方、上記払出制御基板７７５は、上記主制御基板７６５からの払出コマンドに基づいて球払出装置１７０に駆動信号を出力する部分であり、大きくは、マイクロプロセッサとしての払出制御ＭＰＵ７７５ａ、及びＩ／Ｏデバイスとしての払出制御Ｉ／Ｏポート７７５ｂ、及びエラーＬＥＤ表示器７７７、及びエラー解除スイッチ７７８、及び球抜きスイッチ７７９、などを備えて構成されている。
【００８６】
払出制御基板７７５は、球払出装置１７０と払出中継基板１０８を介して接続されており、この払出中継基板１０８を介して球払出装置１７０との間でのコマンド（駆動信号）が送受信される。なお、球払出装置１７０には、球払出装置１７０に取り込まれた遊技球を所定部材によって各種球誘導通路又は各種球排出通路に切り出すために回転する払出モータ１７２、所定部材の回転位置を検出するための回転角スイッチ１０２、実際に払い出された遊技球の球数を計数する計数スイッチ１０１等が設けられている。
【００８７】
ここで、上記払出制御ＭＰＵ７７５ａは、遊技の進行状況に応じて遊技者に遊技球（賞球）を払い出すための制御プログラムや各種のコマンドが記憶されている読み出し専用メモリとしてのＲＯＭ、及び記憶データがその都度更新される読み書き可能メモリとしてのＲＡＭ、及び不正を防止するための各種機能、等々を備えている。そして、同払出制御ＭＰＵ７７５ａには、上記主制御基板７６５からの払い出しに関する払出コマンドや、上記ＲＡＭクリアスイッチ７６９の操作信号（検出信号）が払出制御Ｉ／Ｏポート７７５ｂを介して受信されるようになっている。すなわち、こうして受信される払出コマンドに基づいて上記ＲＯＭに格納されている制御プログラムが実行されることで、上記払出モータ１７２に駆動信号が出力されるようになり、ひいては上記受信された払出コマンドにより示される賞球数だけ遊技球が払い出されるようになる。なお後述するが、この実施の形態では、上記払出制御基板７７５の払出制御ＭＰＵ７７５ａは、上記大入賞口８３への遊技球の入球が上記カウントセンサ３１９により検出されたときに遊技者に払い出される賞球の数（例えば１０個）よりも、上記特別始動有賞口８２への遊技球の入球が上記特別始動有賞センサ３１８により検出されたときのほうが多い賞球（例えば１５個）が払い出されるように上記遊技球の払い出しにかかる制御を行うものとなっている。
【００８８】
また、同払出制御ＭＰＵ７７５ａでは、上記球抜きスイッチ７７９が操作されると、この操作信号（検出信号）に基づいて球タンク１３６及びタンクレール１５０に貯留された遊技球を排出する（球抜きする）ために払出モータ１７２への駆動信号を出力することも行う。またさらに、プリペイドカードユニット１ａからの貸球要求信号が上述したインターフェース基板２５２を介して入力されると、この貸球要求信号に基づいて上記払出モータ１７２への駆動信号を出力することも行う。
【００８９】
また、同払出制御ＭＰＵ７７５ａは、その詳細な説明は後述するが、パチンコ機１の状態に関する各種コマンドを、払出制御Ｉ／Ｏポート７７５ｂを介して主制御基板７６５に送信したり、満タンスイッチ１０７からの検出信号が入力されると、この検出信号に基づいて払出モータ１７２への駆動信号の出力を停止したり、実際に払い出した遊技球の球数を算出してこれを上記払出制御Ｉ／Ｏポート７７５ｂを介して外部端子板３７１に出力したりする。これにより、ホールコンピュータは、当該パチンコ機１から払い出された遊技球の総数を把握することができるようになる。
【００９０】
なお、プリペイドカードユニット１ａがインターフェース基板２５２に接続されると、プリペイドカードユニット１ａからの遊技球の発射許可信号がインターフェース基板２５２及び払出制御基板７７５を介して上述した発射制御基板３７２に入力されるようになっている。この発射許可信号が入力されることによって、発射制御基板３７２は上述した発射装置１９４による遊技球の発射可能状態となる。これにより、上記操作ハンドル３２が操作されたときは、該操作ハンドル３２に設けられているタッチセンサ（図示略）からの検出信号が発射制御基板３７２に入力されることで、発射装置１９４によって遊技球の発射が行われるようになる。すなわち、操作ハンドル３２が操作されたときは、上記満タンスイッチ１０７からの検出信号が払出制御ＭＰＵ７７５ａに入力され、ひいては上記払出モータ１７２への駆動信号の出力が停止されるような状況であっても、上記発射装置１９４によって遊技球が発射されるようになる。このようにして、発射装置１９４から発射された遊技球は、遊技領域３７の上方に形成された発射口７８ａまで案内レール７８に沿って導かれ、この発射口から遊技領域３７に向けて打ち込まれる。
【００９１】
払出制御基板７７５には図示しない電源基板から電力が主制御基板７６５と同様に供給されている。この電源基板は、電源遮断時にでも所定時間、払出制御基板７７５に電力を供給するキャパシタを備えている。このキャパシタにより供給される電力により払出制御ＭＰＵ７７５ａは電源遮断時にでも払い出しに関する各種の払出情報をその内蔵ＲＡＭに記憶することができるようになっている。なお、記憶した払出情報は、電源投入時に主制御基板７６５のＲＡＭクリアスイッチ７６９が操作されると、その内容が内蔵ＲＡＭから消去（クリア）されるようになっている。
【００９２】
［周辺基板について］
周辺基板７８１は、同図１２に示されるように、サブ統合基板７６３及び液晶制御基板７５８を備えて構成されている。
ここで、上記サブ統合基板７６３は、マイクロプロセッサとしてのサブ統合ＭＰＵ７６３ａと、各種処理プログラムや各種コマンドを記憶するサブ統合ＲＯＭ７６３ｂと、高音質の演奏を行う音源ＩＣ７６３ｃと、この音源ＩＣ７６３ｃが参照する音楽及び効果音等の音情報が記憶されている音ＲＯＭ７６３ｄと、を備えて構成されている。すなわち、同サブ統合ＭＰＵ７６３ａは、上記主制御基板７６５から演出コマンドが受信されると、該コマンドに基づいて上記制御プログラムを実行することで、外枠側のランプである装飾ランプ３９４に点灯信号を出力したり、賞球ランプ３９６に点灯信号を出力したりする。また、ランプ駆動基板４６を介して、遊技盤５の装飾ランプである演出ランプ３９５に点灯信号を出力したり、階調ランプ３９７に階調点灯信号を出力したりする。
【００９３】
また、上記サブ統合ＭＰＵ７６３ａにより受信された上記主制御基板７６５からのコマンドは、上記音源ＩＣ７６３ｃ及び上記液晶制御基板７５８に出力されている。これにより、上記音源ＩＣ７６３ｃが、サブ統合ＭＰＵ７６３ａから出力された演出コマンドに基づいて、音ＲＯＭ７６３ｄから音情報を読み込むことで、上記スピーカ１８，５７から各種演出に合わせた音楽及び効果音等が音響出力されるようになる。
【００９４】
一方、上記液晶制御基板７５８は、マイクロプロセッサとしての液晶制御ＭＰＵ７５８ａと、各種処理プログラムや各種コマンドを記憶する液晶制御ＲＯＭ７５８ｂと、演出表示装置１１５を表示制御するＶＤＰ（Ｖｉｄｅｏ  Ｄｉｓｐｌａｙ  Ｐｒｏｃｅｓｓｏｒの略）７５８ｃと、演出表示装置１１５に表示する各種画像を記憶する画像ＲＯＭ７５８ｄと、を備えて構成されている。
【００９５】
液晶制御ＭＰＵ７５８ａは、サブ統合基板７６３から上述した演出コマンドを受信すると、この演出コマンドに基づいてＶＤＰ７５８ｃを制御する。このＶＤＰ７５８ｃは、画像ＲＯＭ７５８ｄから画像を読み出して演出表示装置１１５の表示制御を行う。なお、この液晶制御ＭＰＵ７５８ａは、正常に動作していると、その旨を伝える動作信号をサブ統合基板７６３に出力する。
【００９６】
［主制御基板および周辺制御基板の機能的な構成について］
図１３は、主基板および周辺基板の機能的な構成を概略的に示す機能ブロック図である。次に、この図１３及び図３を参照しつつ、遊技領域３７に遊技球が打ち込まれたときに行われる遊技処理について説明する。
【００９７】
まず、上述の通り、この実施の形態にかかるパチンコ機１とは、上記普通当たりや上記特別当たりなどの当選によって各種の遊技が進行された場合には、特別図柄の変動表示中に特別始動有賞口８２への入賞により遊技者の持ち球を積極的に純増させることのできる遊技と、図柄の変動表示が終了して停止表示されてから大入賞口８３への入賞により遊技者の持ち球を積極的に純増させることのできる遊技とで賞球数を分け合う（分配する）ように、遊技者に多量の賞球が払い出されうる上記特別遊技を行いうるものである。
【００９８】
しかも、このパチンコ機１では、いわゆる時短機能が作動しない通常遊技状態と、時短機能が作動する時短遊技状態とを用意するとともに、時短遊技状態については、
・普通当たりの当選確率が上記通常遊技状態にあるときと同一の確率とされた普通低確遊技状態、及び
・普通当たりの当選確率が上記通常遊技状態にあるときよりも高い確率とされた普通高確遊技状態
の２種類の時短遊技状態をさらに用意している。そして、特別図柄の変動表示中に特別始動有賞口８２への入賞により遊技者の持ち球を積極的に純増させることのできる遊技については、これら遊技状態のうち、普通高確遊技状態に制御されているときの特別図柄の変動時間中においてのみ実行可能とされるようにしている。
【００９９】
すなわちこの場合、通常の遊技（通常遊技状態、普通低確遊技状態）においては、大入賞口８３のみが、上記特別遊技の実行に供される部材として機能する一方で、普通高確遊技状態においては、大入賞口８３と特別始動有賞口８２（始動入賞）とが、上記特別遊技の実行に供される部材として機能することとなる。なお、特別始動有賞口８２（始動入賞）は、上記通常遊技状態や普通低確遊技状態においては、普通高確遊技状態に移行制御されるか否かについての抽選や、大当たり遊技の実行態様にかかる抽選に供される部材として機能する。
【０１００】
したがって、例えば、主制御基板７６５のＲＡＭクリアスイッチ７６９が操作されて、同主制御基板７６５の内蔵ＲＡＭの記憶内容が初期化されたとき（ホールの開店当初）の遊技状態である上記通常遊技状態に制御されているときは、遊技者は、上記特別始動有賞口８２に対して常には拒球態様に維持される上記普通電動役物８１を作動して当該特別始動有賞口８２への遊技球の入球を可能とすべく、普通始動無賞口８９及び普通始動有賞口９６のいずれかを狙って遊技球を打ち込む遊技を行うこととなる。
【０１０１】
ただし、この実施の形態では、上記特別始動有賞口８２に対しての遊技球の流下経路上に設けられている上記普通始動無賞口８９については、上記普通高確遊技状態にあるときに開始される上記特別遊技（普通当たりや特別当たりなどの当選によって各種の遊技が進行された場合に遊技者に対して多量の賞球が払い出されうる遊技）に専ら供される始動口として用意することとしている。すなわち後述するが、普通高確遊技状態にあるときに開始される上記特別遊技では、特別図柄の変動時間中に、普通始動無賞口８９に対する遊技球の繰り返しの打ち込みによって上記普通当たりを何回当選させることができるかについてのゲーム性を付与し、その普通当たりの当選回数に応じて上記特別始動有賞口８２が開放される回数分だけ遊技者に賞球が払い出されうるようにしている。
【０１０２】
したがって、普通始動無賞口８９に対する遊技球の入球し易さ（普通始動無賞口８９を狙って遊技球を上記遊技領域３７に対して右打ちして打ち込んだときに同遊技球が普通始動無賞口８９に入球される確率）は、普通当たりの当選し易さ、さらには特別図柄の変動時間中に遊技者に対して払い出されうる賞球数に直接影響を与えるものとなっている。そして、このような普通始動無賞口８９を、通常の遊技（通常遊技状態、普通低確遊技状態）にて用いられる普通始動有賞口９６とは別に設けるようにすることで、その入球し易さの調整などを通じて、特別遊技が行われたときに賞球の払い出しにかかる期待値の調節が容易とされるようにしている。
【０１０３】
ところで、通常の遊技（通常遊技状態、普通低確遊技状態）においては、このような普通始動無賞口８９と上記普通始動有賞口９６とのうち、普通始動有賞口９６を遊技者に狙わせて遊技させるようにするためには、上記普通始動有賞口９６に何らかのインセンティブを持たせる必要がある。ただし、上記普通始動無賞口８９よりも上記普通始動有賞口９６の入球率を大幅に上げてしまうようなことがあると、特別遊技においても上記普通始動有賞口９６を利用したほうが遊技者にとって有利になってしまい、これによって特別遊技における賞球の払い出し数にかかる期待値の調節用始動口としての機能が没却されかねない。
【０１０４】
そこで、この実施の形態では、同図１３に示されるように、普通始動無賞センサ３１６（普通始動無賞口８９）と普通始動有賞センサ３１７（普通始動有賞口９６）とのうち、上記普通始動有賞センサ３１７による検出があった場合にのみ、入賞判断手段６２２によって賞球を払い出すべき旨の判断がなされるようにしている。そして、何個の賞球を払い出すべきかについての当該入賞判断手段６２２による判断結果に基づいて、賞球払出手段６２３が、上記球払出装置１７０の球払出動作にかかる制御を行う。
【０１０５】
なお、この実施の形態にかかる入賞判断手段６２２は、特別始動有賞センサ３１８（特別始動有賞口８２）や、カウントセンサ３１９（大入賞口８３）による検出があったときにも、賞球を払い出すべき旨の判断を行う。また、何個の賞球を払い出すべきかについては各入賞口の別にて上記主制御ＭＰＵ７６５ａのＲＯＭ内に記憶されている。そして、この実施の形態にかかる入賞判断手段６２２は、このＲＯＭ内の記憶に基づいて、
・普通始動有賞センサ３１７による検出があったときに「３個」の賞球数。
・特別始動有賞センサ３１８による検出があったときに「１５個」の賞球数。
・カウントセンサ３１９による検出があったときに「１０個」の賞球数。
がそれぞれ払い出されるべき旨の判断を行う。これにより、該判断された賞球数分だけ、上記賞球払出手段６２３による上記球払出装置１７０の球払出動作にかかる制御を通じて、遊技者に賞球が払い出されるようになる。
【０１０６】
このような構成によれば、普通始動無賞口８９と普通始動有賞口９６との間でそれらの入球し易さを同程度に設定した場合であっても、通常の遊技（通常遊技状態、普通低確遊技状態）においては、遊技者は、持ち玉（遊技球）の消化を抑制しつつ遊技することが可能となる上記普通始動有賞口９６を狙って遊技球を打ち込むようになり、これによって上記普通始動無賞口８９の上述の機能が確保されるようになる。なお、この実施の形態では、上記普通始動無賞口８９はゲート型の始動口として設けられており、上記普通始動有賞口９６はポケット型の始動口として設けられている。ただしこのうち、上記普通始動有賞口９６については、上記普通始動有賞センサ３１７これ自体はこのようなポケット型の始動口に対してその開口部にゲート型にて配されたコイルとして設けられており、該コイル内を遊技球が通過するときの磁気変化をもって、普通始動有賞口９６への遊技球の入球を検出するものとなっている。そして、同始動口９６は、このコイル内を通過した全ての遊技球を上記遊技領域３７から回収するポケット型の受け部を有した回収口として形成されることで、いわゆる一般入賞口としての機能（賞球の払い出し機能）を併せて持つことが可能とされるようにしている。なおこの場合、普通始動有賞センサ３１７による検出に応じて賞球の払い出しが行われるようにすれば、上記普通始動有賞口９６の開口部に遊技球が受け入れられてすぐに（例えば、遊技盤の盤面よりも前側に遊技球がある間に）普通図柄側の遊技に供される乱数が取得されることはもとより、所定数の賞球が払い出されるようになる。これに対し、上記特別始動有賞センサ３１８は、上記特別始動有賞口８２への入球によって上記遊技領域３７から遊技球が回収されてから所定距離だけ流下した位置に設けられており、こうして開口部よりも奥側（例えば、遊技盤の盤面よりも後側）にて設けられる分だけ特別図柄側の遊技に供される乱数の取得と、所定数の賞球の払い出しとが遅れて行われるようになっている。また、遊技領域３７は、普通始動有賞口９６と普通始動無賞口８９との一方を狙って遊技球を打ち込んだときには、他方には同遊技球が入球され得ないように各種の部材を配して設けられている。
【０１０７】
ただしこの場合、上記普通始動有賞口９６への入球し易さとしても、上記普通始動無賞口（特別遊技における賞球の払い出し数にかかる期待値の調節用始動口）８９への入球し易さとの間で相対的に好適となるように設計しなければならない。この点、この実施の形態では、普通始動無賞口８９と普通始動有賞口９６とのうち、上記普通始動有賞口９６の入球し易さにのみ影響を与えるように上記ステージ２０を設けることとしている。したがって、このステージ２０における設計を通じて、上記普通始動有賞口９６についての入球し易さのみを微調整することが容易となり、これによって普通始動無賞口８９と普通始動有賞口９６との間での入球し易さについての相対的な関係を好適に維持することができるようになる。なお、この意味では、遊技者が遊技球を打ち込んだときに、ステージ２０を通じて普通始動有賞口９６に同遊技球が入球される確率をホール側が調整しうる部材を設けるようにすることが望ましい。
【０１０８】
＜通常の遊技（通常遊技状態、普通低確遊技状態）における遊技処理＞
こうした背景の下で、通常の遊技（通常遊技状態、普通低確遊技状態）において、上記遊技領域３７に遊技球が打ち込まれた遊技球が、多数の障害釘や風車９２に案内されつつ上記普通始動有賞口９６に入球されると、上記主基板７８０内ではまず、図１３に示されるように、普通図柄当たり判定用乱数抽出手段６０１が、上記普通始動有賞センサ３１７からの出力信号に基づいて上記普通図柄用の乱数を抽出する。
【０１０９】
ここで後述するが、普通図柄当たり判定用乱数抽出手段６０１により抽出される普通図柄用の乱数とは、例えば、普通当たりの当選に関わる当否判定用乱数や、普通図柄の変動時間を決定するために用いられる変動パターン乱数、普通当たりが当選されたときの当該当たりの種別（普通役物駆動機構３３４の駆動制御にかかる態様（特別始動有賞口８２の開放時間））の判定に用いられる図柄乱数、等々といった乱数群によって構成されるものである。
【０１１０】
こうして抽出された普通図柄用の乱数（乱数群）は、保留手段６０３によって第１所定数（例えば４個）まで保留され、これによって上記普通始動無賞口８９及び普通始動有賞口９６のいずれか（ここでは普通始動有賞口９６）への遊技球の受け入れに応じた普通判定が保留の状態とされるようになる。なお、この保留手段６０３により保留の状態とされている普通判定の数（保留数）は、普通図柄保留表示制御手段６０６によって上記普通保留球ランプ３２３（ＬＥＤ８５）に表示される。
【０１１１】
一方、このような保留状態は、上記所定の普通始動条件（例えば前回の普通図柄についての変動表示制御が終了したこと）が成立したとき、保留解除手段６０４によって解除される。そして、第１遊技制御手段（普通図柄の遊技制御手段）６０２が、この解除された乱数（乱数群）に基づいて普通当たりについての判定処理（普通判定）を行うこととなる。
【０１１２】
ただし、この実施の形態にかかる第１遊技制御手段６０２は、低い確率（例えば１／３９９）にて普通当たりに当選されるように上記普通判定を行う普通低確判定手段６０８、及び該普通低確判定手段６０８よりも高い確率（例えば３６１／３９９）にて普通当たりに当選されるように上記普通判定を行う普通高確判定手段６０７ａを備え、これら２つの判定手段６０８、６０７ａのいずれかを用いて上記普通判定を行うようにしている。
【０１１３】
そしてこのうち、上記普通低確判定手段６０８は、上記通常の遊技（通常遊技状態、普通低確遊技状態）にあるときに用いられるものである。したがって、通常の遊技においては、「１／３９９」といった極めて低い当選確率のもとで上記普通当たりが当否判定用乱数に基づいて運よく当選されるまで、遊技者は、上記普通始動有賞口９６をひたすら狙って遊技球を打ち込み続けることとなる。なお後述するが、上記普通高確判定手段６０７ａは、上記普通高確遊技状態に制御されているときに用いられるものであり、上記特別遊技の実行にかかる制御を行う普特融合制御手段６０７の一要素となる部分である。
【０１１４】
また、この実施の形態にかかる第１遊技制御手段６０２（普通低確判定手段６０８、普通高確判定手段６０７ａ）は、上記普通当たりに当選したか否かの判定の結果、及び変動パターン乱数に基づいて上記普通図柄表示器３３３及び上記演出表示装置１１５にて変動表示される時間（普通図柄の変動時間）を当該主基板７８０内にて決定する部分としても機能する。そして、通常の遊技（通常遊技状態、普通低確遊技状態）においては、上記所定の普通始動条件が成立して上記普通低確判定手段６０８による普通当たりについての判定処理が行われる都度、普通変動制御手段６０５が、上記普通図柄表示器３３３にて普通図柄を上記決定された変動時間だけ変動表示させる制御を行うこととなる。
【０１１５】
ただし、通常の遊技（通常遊技状態、普通低確遊技状態）において普通図柄を変動表示させる制御を行う上記普通変動制御手段６０５は、通常遊技状態に制御されているときに普通図柄を変動表示させる制御を行う通常時普通変動制御手段６０５ａ、及び普通低確遊技状態に制御されているときに普通図柄を変動表示させる制御を行う微時短時普通変動制御手段６０５ｂを備え、遊技状態に応じてこれら２つの普通変動制御手段６０５ａ、６０５ｂのいずれかを用いて上記普通図柄を変動表示させるようにしている。
【０１１６】
ここで、上記通常時普通変動制御手段６０５ａ、及び上記微時短時普通変動制御手段６０５ｂは、所定の普通始動条件が成立する都度、普通当たりに当選されていることの期待度が示唆される上記演出表示装置１１５における表示演出に要する時間（普通当たりについての演出用の時間）を確保すべく、比較的長い変動時間だけ普通図柄を変動表示させる点で共通している。ただし、通常時普通変動制御手段６０５ａにより普通図柄が変動表示されるときよりも、微時短時普通変動制御手段６０５ｂにより普通図柄が変動表示されるときのほうが当該変動表示に要する時間の期待値が若干だけ小さくなっており、その若干分だけ、通常遊技状態にあるときよりも普通低確遊技状態にあるときのほうが上記普通図柄の変動表示や上記保留の状態にある普通判定が早く消化されるようになっている。
【０１１７】
また、上記通常時普通変動制御手段６０５ａ、及び上記微時短時普通変動制御手段６０５ｂはいずれも、上記演出表示装置１１５における表示演出にメリハリが付けられるように、普通当たりに当選されていないときよりも、普通当たりに当選されているときのほうがより長い変動時間を選択し易くなっており（普通当たりのときに選択される変動時間の期待値が長くなっており）、これによって普通当たりに当選されているときの演出に盛り上がりが持たせられるようにしている。
【０１１８】
そして、上記通常の遊技（通常遊技状態、普通低確遊技状態）において、所定の普通始動条件が成立する都度、上記普通低確判定手段６０８による普通当たりについての判定処理や、上記普通変動制御手段６０５による普通図柄の変動表示（変動時間の経過後には普通図柄をハズレ表示態様にて停止表示）にかかる制御、等々が繰り返し行われた結果、低い当選確率のもとで上記普通当たりに運よく当選された場合には、まず、上記普通変動制御手段６０５が、変動時間の経過後に普通図柄を当たり（普通当たり）表示態様にて停止表示させることとなる。なおこの際、その普通当たりの種別についても普通図柄が停止表示されたときの表示パターンにて現れるようにしている。次いで、当該主基板７８０内の開放制御手段６０９が、上記普通役物駆動機構３３４を駆動制御して、特別始動有賞口８２への遊技球の入球が可能となるように上記普通電動役物８１（より正確には、普通電動役物８１の可動片）による開放動作が行われるようにする。
【０１１９】
ただし、この開放制御手段６０９は、通常遊技状態に制御されているときに上記普通役物駆動機構３３４を駆動制御する通常時開放制御手段６０９ａ、及び普通低確遊技状態に制御されているときに上記普通役物駆動機構３３４を駆動制御する微時短時開放制御手段６０９ｂを備え、遊技状態に応じてこれら２つの開放制御手段６０９ａ、６０９ｂのいずれかを用いて上記普通役物駆動機構３３４を駆動制御するものである。
【０１２０】
ここで、上記通常時開放制御手段６０９ａ、及び上記微時短時開放制御手段６０９ｂは、通常の遊技（通常遊技状態、普通低確遊技状態）における低い当選確率のもとで上記普通当たりにようやく当選されたときの上記普通変動制御手段６０５による長い変動表示を経た後に、上記特別始動有賞口８２に少なくとも１つの遊技球は入球されるように長い時間をもって、普通電動役物８１（より正確には、普通電動役物８１の可動片）による開放動作が行われるようにする点で共通している。
【０１２１】
すなわち、低い当選確率のもとで上記普通当たりにようやく当選されるときの上記変動時間は、例えば９０秒程度の長い時間に設定されることが多い。このため、遊技者は、演出表示装置１１５にて現れる期待度の高い表示演出に注目すべく、若しくは普通図柄の保留上限まで達することによって、こうした変動時間が経過する間は遊技球の打ち出しを中止するようなことが多い。
【０１２２】
したがって、こうして遊技球の打ち出しが中止されている状態にて、普通電動役物８１（より正確には、普通電動役物８１の可動片）による開放動作が行われた場合には、その打ち込みにかかる初動に遅れが生じ易い。また、遊技球の打ち出しが中止されていなかった場合でも、上記普通始動有賞口９６と上記特別始動有賞口８２とでは遊技球の流下経路が異なることから、同遊技球の流下経路を上記特別始動有賞口８２側に調整するだけの時間分だけ、その打ち込みにかかる初動に遅れが生じ易く、これによって特別始動有賞口８２への遊技球の打ち込み数も少なくなりがちである。
【０１２３】
しかも、このような状況の下で、普通電動役物８１（より正確には、普通電動役物８１の可動片）による開放動作が仮に短時間だけ行われるようなことがあれば、上記特別始動有賞口８２に遊技球が到達する前に上記普通電動役物８１（より正確には、普通電動役物８１の可動片）による開放動作が終了してしまう可能性すらある。そしてこの場合、低い当選確率のもとで上記普通当たりにようやく当選されたにもかかわらず、通常の遊技（通常遊技状態や普通低確遊技状態）から、上記普通高確遊技状態に移行制御されるか否かについての抽選機会（特別図柄によるチャンス）すら遊技者に付与されることなく、当該通常の遊技（遊技者に不利な遊技状態）の継続が確定されることとなり、遊技興趣が著しく低下してしまう。
【０１２４】
この点、この実施の形態にかかるパチンコ機１では、通常の遊技（通常遊技状態、普通低確遊技状態）における低い当選確率のもとで上記普通当たりにようやく当選されたときには、特別始動有賞口８２に対する遊技球の打ち込みにかかる初動の遅れが吸収される程度に、上記普通電動役物８１による開放動作に要する時間に余裕を持たせるようにしたため、こうした不都合が生じてしまうことを抑制することができるようになる（通常時開放制御手段６０９ａ、微時短時開放制御手段６０９ｂ）。なお、通常時開放制御手段６０９ａにより普通電動役物８１による開放動作が行われるとき（例えば５秒間開放）よりも、微時短時開放制御手段６０９ｂにより普通電動役物８１による開放動作が行われるとき（例えば５．５秒間開放）のほうが当該開放動作に要する時間は若干だけ大きくなっており、その若干分だけ、通常遊技状態にあるときよりも普通低確遊技状態にあるときのほうが上記特別始動有賞口８２に対する遊技球の打ち込みにかかる初動の遅れがより吸収されるようにし、ひいては始動入賞に基づく上記普通高確遊技状態に移行制御されるか否かについての抽選機会（特別図柄によるチャンス）が付与され易くなるようにしている。
【０１２５】
なお、こうした普通電動役物８１による開放時間は、上記普通低確判定手段６０８にて図柄乱数に基づいて決定されるものであるが、この実施の形態では、抽出された図柄乱数にかかわらず、通常遊技状態にあるときには一律に５秒間開放され、普通低確遊技状態にあるときには一律に５．５秒間開放されるように決定することとしている。
【０１２６】
そして、通常の遊技（通常遊技状態、普通低確遊技状態）において、こうして特別始動有賞口８２に遊技球が入球されると、上記主基板７８０内ではまず、図１３に示されるように、特別図柄当たり判定用乱数抽出手段６１１が、上記特別始動有賞センサ３１８からの出力信号に基づいて上記特別図柄用の乱数を抽出する。次いで、第２遊技制御手段（特別図柄の遊技制御手段）６１２が、こうして抽出された特別図柄用の乱数に基づいて特別当たりについての判定処理（特別判定）を行うこととなる。
【０１２７】
ここで後述するが、特別図柄当たり判定用乱数抽出手段６１１により抽出される特別図柄用の乱数としては、例えば、特別当たりの当選に関わる当選判定用乱数や、特別図柄の変動時間を決定するために用いられる変動パターン乱数や、特別当たりが当選されたときの当該当選に応じた大当たり遊技の実行態様や、該大当たり遊技後に発生する遊技状態などの判定に用いられる図柄乱数、等々といった乱数がある。
【０１２８】
したがって、この実施の形態にかかる第２遊技制御手段６１２は、通常の遊技（通常遊技状態、普通低確遊技状態）において、所定の特別始動条件（例えば前回の特別図柄についての変動表示制御が終了していることや、大当たり遊技の実行中でないことなど）が成立して上記第２遊技制御手段６１２による特別当たりについての判定処理が行われると、まず、当該主基板７８０内の特別変動制御手段６１５が、上記特別図柄表示器３３２にて特別図柄を上記変動パターン乱数に基づいて決定される変動時間だけ変動表示させる制御を行うこととなる。
【０１２９】
なお、この特別変動制御手段６１５は、通常遊技状態に制御されているときに上記特別図柄表示器３３２にて特別図柄を変動表示させる通常時特別変動制御手段６１５ａ、及び普通低確遊技状態に制御されているときに上記特別図柄表示器３３２にて特別図柄を変動表示させる微時短時特別変動制御手段６１５ｂを備え、遊技状態に応じてこれら２つの特別変動制御手段６１５ａ、６１５ｂのいずれかを用いて上記特別図柄表示器３３２にて特別図柄を変動表示させるものである。そして上述の通り、この実施の形態にかかる特別変動制御手段６１５ａ、６１５ｂはいずれも一律に３分間だけ特別図柄を変動表示させた後に特別図柄を当たり（特別当たり）表示態様にて停止表示させるものとなっている。
【０１３０】
またこの際、特別変動制御手段６１５ａ、６１５ｂはいずれも、その特別当たりの種別についても特別図柄が停止表示されたときの表示パターンにて現れるようにしており、これによって大当たり遊技が行われた後には時短遊技状態に制御されることがその表示パターンにて現れるようになる。
【０１３１】
ただし、この実施の形態にかかる第２遊技制御手段６１２は、大当たり遊技が行われた後には時短遊技状態に必ず制御されるようにする旨決定するものではあるものの、その時短遊技状態として、上記普通低確遊技状態と、上記普通高確遊技状態とのいずれの時短遊技状態に移行制御されるかについての抽選を行うものとなっている。
【０１３２】
すなわち上述の通り、このパチンコ機１では、特別図柄の変動表示中に特別始動有賞口８２への入賞により遊技者の持ち球を積極的に純増させることのできる遊技（変動中特別遊技）については、普通高確遊技状態に制御されているときの特別図柄の変動時間中においてのみ行い得るようにしていることから、同抽選において上記普通高確遊技状態に移行制御される旨決定されなければ、遊技者は、普通当たりや特別当たりなどの当選によって各種の遊技を進行させたとしても、大当たり遊技を通じてしか多量の出玉を獲得することができない。したがって、上記第２遊技制御手段６１２による特別当たりの当選種別についての抽選、すなわち普通低確遊技状態と普通高確遊技状態とのいずれの時短遊技状態に移行制御されるかについての抽選は、遊技を進行させる上で遊技者にとっての利益に直結する重要な処理として機能することとなる。
【０１３３】
なお、この実施の形態にかかる第２遊技制御手段６１２は、特別図柄当たり判定用乱数抽出手段６１１により抽出される図柄乱数に基づいて、「８２／１００」の確率で普通高確遊技状態に移行制御すべき旨の判定を行うとともに、「１８／１００」の確率で普通低確遊技状態に移行制御すべき旨の判定を行うものとなっている。したがって、普通高確遊技状態に一旦移行した後には、特別判定が行われる都度、この普通高確遊技状態に高い確率で繰り返し制御されることとなる。
【０１３４】
こうして特別図柄が「８２／１００」の確率で上記普通高確遊技状態を発生させるかたちでの当たり表示態様にて停止表示された後は、当該主基板７８０内のアタッカ駆動制御手段６１８が、上記アタッカ駆動機構３３９を駆動制御して、アタッカ装置９８内の大入賞口８３への遊技球の（入球）入賞が可能とされるように当該アタッカ装置９８における開閉部材９９を開閉動作させることとなる（大当たり遊技）。なお、この実施の形態のかかるパチンコ機１では、普通高確遊技状態にて特別当たりに当選されたときには、図柄乱数に基づいて、「３３／１００」の確率で、アタッカ装置９８が開放されてから所定時間（例えば３０秒）経過するか、所定個（例えば９個）の遊技球が入賞されるまでの期間だけ上記開閉部材９９を開閉動作させるラウンド遊技を１５回繰り返すこととなり（１５ラウンド当たり）、「３３／１００」の確率で、アタッカ装置９８が開放されてから所定時間（例えば３０秒）経過するか、所定個（例えば９個）の遊技球が入賞されるまでの期間だけ上記開閉部材９９を開閉動作させるラウンド遊技を１０回繰り返すこととなり（１０ラウンド当たり）、「３４／１００」の確率で、アタッカ装置９８が開放されてから短時間（例えば１．６秒）経過するか、少数（例えば２個）の遊技球が入賞されるまでの期間だけ上記開閉部材９９を開閉動作させるラウンド遊技を２回繰り返すこととなる（２ラウンド当たり）。このように、２ラウンド当たりのときのラウンド遊技では、上記大入賞口８３への遊技球の（入球）入賞は可能ではあるものの困難となるように行われ、これによっていわゆる出玉率が無駄に消費されないようにしている。
【０１３５】
そして、上記第２遊技制御手段６１２は、こうして大当たり遊技が行われた後は、少なくとも特別当たりが再び当選されてその特別図柄が停止表示されるまでの期間を、上記普通高確遊技状態として制御することとなる。
【０１３６】
これに対し、特別図柄が「１８／１００」の確率で上記普通低確遊技状態を発生させるかたちでの当たり表示態様にて停止表示された後も、当該主基板７８０内のアタッカ駆動制御手段６１８が、上記アタッカ駆動機構３３９を駆動制御して、アタッカ装置９８内の大入賞口８３への遊技球の（入球）入賞が可能とされるように当該アタッカ装置９８における開閉部材９９を開閉動作させることとなる（大当たり遊技）。すなわち、この実施の形態のかかるパチンコ機１では、普通低確遊技状態にて特別当たりに当選されたときには、図柄乱数に基づいて、「５／１００」の確率で、アタッカ装置９８が開放されてから所定時間（例えば３０秒）経過するか、所定個（例えば９個）の遊技球が入賞されるまでの期間だけ上記開閉部材９９を開閉動作させるラウンド遊技を１５回繰り返すこととなり（１５ラウンド当たり）、「９５／１００」の確率で、アタッカ装置９８が開放されてから短時間（例えば１．６秒）経過するか、少数（例えば２個）の遊技球が入賞されるまでの期間だけ上記開閉部材９９を開閉動作させるラウンド遊技を２回繰り返すこととなる（２ラウンド当たり）。そして、こうして大当たり遊技が行われた後、上記普通高確遊技状態に移行制御されるか否かについての抽選機会（特別図柄によるチャンス）が再び得られるように上記普通始動有賞口９６に遊技球を入球させる遊技（通常の遊技）からやり直すこととなる。
【０１３７】
なお、上記第１遊技制御手段６０２は、上記第２遊技制御手段６１２によるこうした遊技状態についての制御情報を定期的に取得するようにしており、該情報に基づいて上記普通図柄に基づく各種の遊技処理を行うようにしている。
【０１３８】
＜普通高確遊技状態における遊技処理＞
上述の通り、このパチンコ機１にかかる普通高確遊技状態においては、特別図柄の変動時間中に特別始動有賞口８２への入賞により遊技者の持ち球を積極的に純増させることのできる遊技が実行可能とされることから、上記普通当たりや上記特別当たりなどの当選によって各種の遊技が進行された場合には、特別図柄の変動表示中に特別始動有賞口８２への入賞により遊技者の持ち球を積極的に純増させることのできる遊技と、図柄の変動表示が終了して停止表示されてから大入賞口８３への入賞により遊技者の持ち球を積極的に純増させることのできる遊技とで賞球数を分け合うように、遊技者に多量の賞球が払い出されうる上記特別遊技が行われる。より具体的には、このパチンコ機１における特別遊技とは、その賞球の源として、特別図柄の変動時間中には特別始動有賞口８２に遊技球が入球されたときに払い出される賞球を利用するとともに、特別図柄の変動終了後には大入賞口８３に遊技球が入球されたときに払い出される賞球を利用する、といったように遊技状態に応じて当該特別遊技における賞球源を変えるものである。
【０１３９】
ここで、この特別遊技のうち、特別図柄の変動表示中における遊技（変動中特別遊技）では、普通始動無賞口８９に対する遊技球の繰り返しの打ち込みによって上記普通当たりを何回当選させることができるかについてのゲーム性を付与し、その普通当たりの当選回数に応じて上記特別始動有賞口８２が開放される回数分だけ遊技者に多量の賞球が払い出されうるようにしている。したがって、この普通高確遊技状態においては、遊技者は、まず、普通始動有賞口９６ではなく、上記特別始動有賞口８２に対しての遊技球の流下経路上に設けられている上記普通始動無賞口８９を狙って遊技することとなる。そしてこの結果、上記普通始動無賞口８９に遊技球が入球されると、上記主基板７８０内ではまず、図１３に示されるように、普通図柄当たり判定用乱数抽出手段６０１が、上記普通始動無賞センサ３１６からの出力信号に基づいて上記普通図柄用の乱数を抽出することとなる。
【０１４０】
ここで、普通高確遊技状態にて用いられる上記普通高確判定手段６０７ａは、上述の通り、抽出された乱数に基づいて普通当たりが比較的高い確率（例えば３６１／３９９）にて当選されるように普通判定を行うものである。また後述するが、この普通高確遊技状態においては、普通図柄の変動時間としても、上述の高い当選確率にて普通当たりに当選される限りは、例えば「１．６秒」程度の極めて短い時間にて維持されるようにしている。
【０１４１】
したがって、通常は、普通始動無賞口８９に遊技球が入球（通過）されるとすぐに、特別始動有賞口８２への遊技球の入球が可能となるように上記普通電動役物８１（より正確には、普通電動役物８１の可動片）による開放動作が行われ、これによって特別始動有賞口８２に遊技球が入球されることとなる。
【０１４２】
ただし上述の通り、上記第２遊技制御手段６１２は、遊技状態（通常遊技状態、時短遊技状態）にかかわらず、特別図柄の当選判定用乱数に基づいて特別当たりが必ず当選されるように上記特別判定を行うものである。したがって、このような普通高確遊技状態においては、普通当たりの当選に応じて特別図柄が変動表示されても、特別当たりがすぐに当選されることによって当該普通高確遊技状態がすぐに終了し、大当たり遊技状態が発生してしまいかねない。すなわちこの場合、普通高確遊技状態に制御されている期間中に、総賞球の大部分が払い出されうる遊技処理としての上記特別遊技を消化することが困難になってしまう。
【０１４３】
また逆に、特別図柄の変動表示中における遊技において多量の賞球が常に獲得可能とされるようにしてしまうと、当該パチンコ機１に設定された出玉率との兼ね合いから、図柄の変動表示が終了して停止表示されてからの大当たり遊技（賞球の払い出し機能）においては十分な出球が得られないようにせざるを得なくなってしまう。すなわちこの場合、特別図柄の変動表示中における遊技においては多量の賞球が常に獲得可能とされるものの、その後の大当たり遊技においては十分な出球が得られないという違和感を生じさせることになってしまう。
【０１４４】
この点、この実施の形態にかかるパチンコ機１では、図１３に示されるように、普通図柄側の遊技と特別図柄側の遊技とが融合されるように制御する普特融合制御手段６０７を備え、この普特融合制御手段６０７による制御を通じて、特別図柄の変動表示中における上記特別始動有賞口８２への遊技球の受け入れに基づいて払い出される賞球と、特別図柄の変動表示が終了して停止表示されてから上記大入賞口８３への遊技球の受け入れに基づいて払い出される賞球との間での、当該特別遊技にて遊技者に払い出されうる総賞球数についての分配にかかる制御を行うようにしている。
【０１４５】
すなわち、普通高確遊技状態にて用いられる当該普特融合制御手段６０７は、
・特別図柄の変動期間中における上記普通当たりの当選回数を増大させるように機能する普通高確判定手段６０７ａ（普通図柄側の遊技処理）、及び
・普通高確遊技状態にあるときに開始される上記特別遊技のうち、特別図柄の変動期間中における遊技（変動中特別遊技）において、当該変動中特別遊技にて払い出されうる賞球数（後述の賞球数分配設定手段６０７ｄにより決定されて、特別図柄の変動期間中に遊技者が獲得可能な最大賞球数）が削減され得るように機能する賞球削減抽選手段６０７ｂ（普通図柄側の遊技処理）、及び
・特別図柄の変動期間中における上記特別始動有賞口８２への遊技球の入球数を増大させるとともに、普通当たりに当選されたときの遊技価値を均一化させるように機能する開放延長維持手段６０７ｃ（普通図柄側の遊技処理）、及び
・普通高確遊技状態にあるときに開始される上記特別遊技にて遊技者が獲得可能とされる総賞球数、すなわち同遊技の実行態様として、特別図柄の変動期間中における遊技（変動中特別遊技）において遊技者が獲得可能とされる最大賞球数と、特別図柄が停止された後の上記大当たり遊技において遊技者が獲得可能とされる最大賞球数とをそれぞれ決定する賞球数分配設定手段６０７ｄ（特別図柄側の遊技処理）
を有して構成されている。
【０１４６】
ここで、上記普通高確判定手段６０７ａは上述の通り、抽出された乱数に基づいて普通当たりが比較的高い確率（例えば３６１／３９９）にて当選されるように普通判定を行うものである。したがって、この普通高確遊技状態においては、上記保留手段６０３にて保留の上限に達しない限りは、上記普通始動無賞口８９に遊技球が受け入れられる都度、該受け入れに基づいて抽出される普通図柄用の乱数に基づいて普通当たりが基本的には当選されることとなり、これによって特別図柄の変動期間中における上記普通当たりの当選回数が増大するようになる。
【０１４７】
ただし、上記普通高確判定手段６０７ａは、逆に言えば、抽出された乱数に基づいて、「１／１０」を下回るような低い確率（例えば３８／３９９）ではあるものの、普通当たりに落選され得るように普通判定を行うものである。そして、この実施の形態にかかるパチンコ機１では、普通高確遊技状態に制御されている場合であっても、こうして普通当たりにあえて落選され得るようにしたことによって、当該特別遊技において遊技者が獲得可能な最大賞球数（特に、特別図柄の変動期間中に遊技者が獲得可能な最大賞球数）を削減するようにしたものであることから、後述の賞球削減抽選手段６０７は、この意味では、上記普通高確判定手段６０７ａとしての機能（普通高確遊技状態において、普通当たりに落選され得るように普通判定を行う機能）を含んでいるともいえる。
【０１４８】
また、上記賞球削減抽選手段６０７ｂは、上記普通高確判定手段６０７ａにより普通当たりが当選される都度、上記演出表示装置１１５における表示演出に要する時間（普通当たりについての演出用の時間）が確保されない例えば「１．６秒」程度の一律の短い時間だけ上記普通図柄の変動表示を行うものである。すなわちこの場合、普通高確遊技状態においては、基本的には、上記保留手段６０３により保留の状態とされている普通判定がほぼ「１．６秒」単位で次々と消化されていくこととなり、これによって特別図柄の変動期間中における上記普通判定の処理にかかる回転率（実行頻度）が増大するようになる。また、こうして普通判定がほぼ「１．６秒」単位で次々と消化される都度、上記特別始動有賞口８２への遊技球の入球が可能となるように上記普通電動役物８１（より正確には、普通電動役物８１の可動片）による開放動作が行われることから、上記特別図柄の変動期間中における上記特別始動有賞口８２への入球チャンスが付与される頻度も増大させることができるようになる。
【０１４９】
ただし、上記賞球削減抽選手段６０７ｂは、普通高確遊技状態にあるときに開始される上記特別遊技のうち、特別図柄の変動期間中における遊技（変動中特別遊技）においてこうして多量の賞球が獲得可能とされる場合であっても、その後の大当たり遊技に対しても多量の賞球が獲得可能とされるようにそれら賞球の払い出しの分配にかかる制御が実行可能とされるべく、当該変動中特別遊技にて払い出されうる賞球数が削減され得るようにも機能する部分である。すなわち、上記普通高確判定手段６０７ａにより普通当たりに落選されたときには、普通電動役物８１の可動片による開放動作態様や普通当たりの当選確率などによって上記特別始動有賞口８２に遊技球が受け入れられ易くなる上記普通高確遊技状態に制御されているにもかかわらず、普通電動役物８１の可動片が動作し得ない非動作期間を生成すべく、上記普通高確判定手段６０７ａにより普通当たりが当選されたときの変動時間（例えば１．６秒）よりも１０倍以上も長い時間（例えば３０秒）をもって上記普通図柄の変動表示を行うようにしている。なお、この非動作期間としては、普通始動無賞口８９に対する遊技球の繰り返しの打ち込みによって上記普通当たりを何回当選させることができるかについてのゲーム性が少なくとも１回分は喪失されるために必要な時間（当たり時変動１．６秒と特別始動有賞口８２の開放時間６秒とを加算した時間７．６秒）よりも長い時間として設定しておくことが望ましい。
【０１５０】
このような非動作期間（普通当たりに落選されたときの普通図柄の変動時間（３０秒））に一旦突入してしまうと、特別図柄の変動期間中における遊技（変動中特別遊技）の実行途中であるにもかかわらず、この非動作期間が終了するまでは上記特別始動有賞口８２に遊技球が入球されず、該入球に応じた賞球も全く払い出されないようになる。このため、上記賞球数分配設定手段６０７ｄにより決定された変動中特別遊技において遊技者が獲得可能とされる最大賞球数については、上記賞球削減抽選手段６０７ｂにより普通当たりについての抽選処理が行われる都度、普通当たりの当選に応じて維持される可能性と、普通当たりの落選に応じて削減される可能性とがそれぞれ持たせられるようになる。これにより、普通当たりについての判定処理の結果が、遊技者にとって重要な情報として位置付けされるようになり、これによって普通高確遊技状態に制御されているときの遊技に適度な緊張を持たせることができるようになる。
【０１５１】
すなわち、上記特別始動有賞口８２への遊技球の受け入れが容易化されない非動作期間においては、賞球数分配設定手段６０７ｄにより上記変動中特別遊技において本来は獲得可能とされている賞球数であるにもかかわらずこれが削減されるようになっている。したがって、このような非動作期間においては、遊技者に多量の賞球が払い出される変動中特別遊技の実行途中にあるとはいえ、遊技球の打ち込みを中断することにより持ち玉の減少を回避するようにすることが遊技者にとって有益な遊技手法であることから、遊技者に対しては、多量の賞球が払い出されうる期間中であるにもかかわらず普通当たりについての判定処理の結果に応じた遊技の実行（遊技球の打ち出しの継続、停止）を促すような斬新な遊技性を実現することができるようになる。
【０１５２】
またさらに、上記賞球削減抽選手段６０７ｂにより上記変動中特別遊技における賞球数がこうして削減され得るようにした分だけ、当該パチンコ機１としての出玉率に余裕を持たせることができるようになる。したがって、上記賞球数分配設定手段６０７ｄは、当該賞球削減抽選手段６０７ｂによるこうした賞球数の削減分を見込んで、特別図柄の変動期間中における遊技（変動中特別遊技）において遊技者が獲得可能とされる最大賞球数と、大当たり遊技において遊技者が獲得可能とされる最大賞球数とを設定することができるようになる。これにより、遊技者に対しては最大賞球数が高く設定された特別遊技（変動中特別遊技、大当たり遊技）を比較的高い頻度にて付与することが可能となり、ひいては１回の特別遊技（変動中特別遊技および大当たり遊技）にて実際に獲得することのできる賞球数の振り幅（最大賞球数と最小賞球数との差）を大きくすることができるようになる。そして、払い出される賞球数についてこうして大きな振り幅を持たせられた特別遊技にあって、遊技者は、普通当たりの抽選結果に応じてどれだけの賞球数を獲得することができるか（チャンスを生かすことができるか）といったミッションのもとで遊技を行うことができるようになる。
【０１５３】
例えば、従来のパチンコ機では、通常、遊技者が遊技球を適切なポイントにさえ打ち続けるようにすれば、１５００発前後の賞球数がほぼ得られるようになっているなど、払い出される賞球数に大きな変化が現れるようなことはない。これに対し、この実施の形態にかかるパチンコ機１では、遊技者が遊技球を適切なポイントに打ち続けていたときの賞球数の期待値は１５００発であるが、変動中特別遊技の途中に普通当たりに落選してしまい、当該遊技において途中から賞球が得られなくなってしまった場合には６００発（最小賞球数）になり、変動中特別遊技の途中に普通当たりに落選することなく最後まで賞球を得られた場合には２１００発（最大賞球数）になるようにするなど、払い出される賞球数に大きな変化が現れるようになる。
【０１５４】
また特に、この実施の形態にかかる賞球削減抽選手段６０７ｂは、後述するが、上記普通高確判定手段６０７ａにより普通当たりが落選されたときの普通図柄の変動時間を、賞球数分配設定手段６０７ｄにより決定される特別図柄の変動時間の平均値（期待値）よりも長い時間（例えば３０秒）となるようにしている。すなわちこの場合、上記普通高確判定手段６０７ａにより普通当たりに落選されたときには、変動中特別遊技の実行途中であってもその時点で当該遊技において賞球を新たに獲得することができなくなる確率のほうが、賞球を再び獲得することができるようになる確率よりも高くなり、これによって普通当たりについての抽選処理が行われる都度、出球を得ることのできるチャンスとの引き換えに、変動中特別遊技がその時点で途中終了され得るリスクを遊技者に負わせつつ遊技させることができるようになる。そしてこの場合、特別遊技にて払い出される賞球数についてより大きな振り幅を持たせることができるようにもなる。
【０１５５】
また、上記開放延長維持手段６０７ｃは、普通当たりが当選されることにより普通判定がほぼ「１．６秒」単位で次々と消化される都度、例えば「６秒」などの一律の長い時間だけ上記特別始動有賞口８２が開放されるように、普通役物駆動機構３３４の駆動制御を通じて、上記普通電動役物８１（より正確には、普通電動役物８１の可動片）による開放動作を実行するものである。すなわちこの場合、通常の遊技が行われている上述の状況とは異なり、上記普通始動無賞口８９及び上記特別始動有賞口８２に対しての流下経路に遊技球が継続して打ち込まれている状況において、上記特別始動有賞口８２が長期にわたって開放されることとなる。したがって、上記賞球削減抽選手段６０７ｂにより普通判定がほぼ「１．６秒」単位で次々と消化される都度、こうして長期にわたって開放される上記特別始動有賞口８２には、複数個の遊技球がほぼ確実に入球されるようになり、これによって特別図柄の変動期間中における上記特別始動有賞口８２への遊技球の入球数、さらには該入球に応じて払い出される賞球数が増大するようになる。
【０１５６】
なお、複数個の遊技球がほぼ確実に入球されるように上記特別始動有賞口８２を開放させる上では、上記普通電動役物８１による開放動作が繰り返し行われるときの総開放時間を「６秒」とするのではなく、上記普通電動役物８１による開放動作（開放状態）を「６秒」などの長い時間だけ継続させるようにすることがより望ましい。
【０１５７】
また、同開放延長維持手段６０７ｃについては、特別図柄の変動期間中において上記保留手段６０３による普通判定の保留が途切れないように遊技可能とする保留維持機能を持たせるようにすることが、上記変動中特別遊技の実行を可能ならしめる上で重要である。すなわち、普通高確遊技状態においては、上記保留解除手段６０４によって普通判定についての保留状態が解除されたときには、
・当該解除された普通判定（特に、普通当たりが当選されたときの）これ自体の消化に要する時間（普通図柄の変動時間）、及び
・普通当たりの当選に応じた上記普通電動役物８１による開放動作に要する時間（特別始動有賞口８２の開放時間）
の加算時間を少なくとも経過しなければ、上記所定の普通始動条件は成立せず、普通判定についての保留状態が新たに解除されて上記保留手段６０３による保留数が減少してしまうことはない。
【０１５８】
したがって、同開放延長維持手段６０７ｃについては、上記普通始動無賞口８９及び上記特別始動有賞口８２に対しての流下経路に遊技球が継続して打ち込まれている状況において、上記普通始動無賞口８９に１つの遊技球が受け入れられるために要する平均時間よりも、上記加算時間（より好ましくは、特別始動有賞口８２の開放時間）のほうが長くなるように、上記特別始動有賞口８２を長期にわたって開放するようにすれば、特別図柄の変動期間中において上記保留手段６０３による普通判定の保留が途切れないようにすることができるようになる。なお、上記普通始動無賞口８９に１つの遊技球が受け入れられるために要する平均時間については、発射装置１９４による単位時間当たりの遊技球の発射数、及び上記普通始動無賞口８９に対しての流下経路に遊技球が打ち込まれたときに、同普通始動無賞口８９に遊技球が受け入れられる確率に基づいて算出することができる。
【０１５９】
またさらに、同開放延長維持手段６０７ｃについては、普通当たりに落選されない限りは、特別図柄の変動時間中において上記特別始動有賞口８２への遊技球が入球不可能とされる総時間よりも、同特別始動有賞口８２への遊技球が入球可能とされる総時間のほうが長くなるように遊技可能とすることが、上記特別遊技の実行を可能ならしめる上で重要である。すなわち上述の通り、上記変動中特別遊技とは、特別図柄の変動時間中に、多量の賞球を遊技者が獲得可能とするものであり、その賞球の源として、特別始動有賞口８２に遊技球が入球されたときに払い出される賞球を利用するものである。したがって、賞球の源となる特別始動有賞口８２については、こうした特別遊技を行う上ではほぼ開放された状態にて維持することが重要であり、この意味では、普通判定（特に、普通当たりが当選されたときの）これ自体の消化に要する時間（普通図柄の変動時間であり、特別始動有賞口８２が開放されていない時間）よりも、普通当たりの当選に応じた上記普通電動役物８１による開放動作に要する時間（特別始動有賞口８２の開放時間）のほうが長くなるようにすることが重要といえる。
【０１６０】
なお、この開放延長維持手段６０７ｃは、普通当たりが落選されたときには、該落選に応じた変動時間（３０秒）だけ普通図柄が変動表示されても、上記普通電動役物８１（より正確には、普通電動役物８１の可動片）による開放動作を実行しない。これにより、このような非動作期間（普通当たりに落選されたときの普通図柄の変動時間（３０秒））に一旦突入してしまうと、この非動作期間が経過してから普通当たりに再び当選されるようになるまでは、上記特別始動有賞口８２は開放されずに同有賞口８２に遊技球が入球されないようになる。
【０１６１】
また、上記賞球分配設定手段６０７ｄは、普通高確遊技状態において、上記特別始動有賞口８２への遊技球の入球に基づいて上記第２遊技制御手段６１２により特別判定が行われ、該特別判定の結果に基づいて特別図柄を変動させる際に、該図柄変動に要する時間および該図柄変動が停止された後の大当たり遊技の実行態様をそれぞれ決定することで、特別遊技（変動中特別遊技および大当たり遊技）において遊技者が獲得可能とされる賞球数を決定付けるものである。
【０１６２】
すなわち、普通高確遊技状態にあって、特別図柄の変動時間とは、変動中特別遊技において遊技者が獲得可能とされる最大賞球数これ自体を決定付けるものであり、特別図柄の変動時間が長いほど、当該変動時間中における上記普通始動無賞口８９に対する遊技球の繰り返しの打ち込みによって上記普通当たりを当選させることのできる最大回数も増大されるようになる。したがって、特別図柄の変動時間として長い時間が決定されるほど、変動中特別遊技において遊技者が獲得可能とされる賞球数が増大されるとともに、同変動時間中に普通当たりに落選されるかによって実際に払い出される賞球数の振り幅も大きくなる。
【０１６３】
これに対し、普通高確遊技状態にあって、大当たり遊技の実行態様とは、変動中特別遊技が行われた後の大当たり遊技において遊技者が獲得可能とされる最大賞球数これ自体を決定付けるものである。ただし、この大当たり遊技については、遊技者が遊技球を適切なポイントにさえ打ち続けるようにすれば、決定されたラウンド数に応じた分の賞球数がほぼ得られる点（振り幅が少ない）で変動中特別遊技とは異なる。
【０１６４】
ただし、このようなパチンコ機１では、賞球削減抽選手段６０７ｂにより上記変動中特別遊技における賞球数が削減され得るようにしているとはいえ、普通高確遊技状態においては変動中特別遊技と大当たり遊技との両方で多量の賞球が払い出されうるようになっていることから、それら２つの遊技にて獲得可能とされる最大賞球数が単純に多く設定されるようなことがあると、普通高確遊技状態への移行条件を厳しくせざるを得なくなり、遊技興趣が逆に低下しかねない。
【０１６５】
この点、この実施の形態にかかる賞球分配設定手段６０７ｄは、上述の通り、大当たり遊技において遊技者が獲得可能とされる最大賞球数を決定付ける上記ラウンド数が多いときほど、変動中特別遊技において遊技者が獲得可能とされる最大賞球数を決定付ける上記特別図柄の変動時間が短い傾向となるように、図柄変動に要する時間および該図柄変動が停止された後の大当たり遊技の実行態様をそれぞれ決定するようにしている。このように、特別遊技において遊技者が獲得可能とされる総賞球数を、変動中特別遊技と大当たり遊技とで分け合うようにしたことで、例えば、特別図柄についての判定処理を通じて「８２／１００」の確率で普通高確遊技状態に繰り返し制御されている状況において、同判定処理が行われる都度、特別図柄の変動時間として短い時間ばかりが採用されるようなことがあれば、特別図柄の変動に要する時間は好適に削減される一方で、遊技者は、該図柄が停止された後の大当たり遊技においては多くのラウンド数に応じた分の多量の賞球数を確保しつつ遊技することができるようになる。すなわちこの場合、多くのラウンド数が設定された前回の大当たり遊技が終了して特別図柄の変動が開始されてもすぐに、多くのラウンド数が設定された次回の大当たり遊技にかかる制御が開始されることとなり、これによって遊技者に有利な特別遊技が行われ続けることとなる。そして上述の通り、このような大当たり遊技において実際に獲得される賞球数の振り幅は少なくなっていることから、遊技者により獲得されうる賞球として多くの賞球数を確保しつつ、単位時間当たりの賞球の獲得数についてもこれをより高くすることのできる遊技性が現れる可能性を持たせることができるようになる。
【０１６６】
これに対し、例えば、特別図柄の変動時間として長い時間が採用されたときは、特別図柄の変動が継続されて長くなるほど当該変動時間中に普通当たりに落選して遊技者が獲得可能とされる最大賞球数が削減されてしまう第１削減リスクや、当該図柄変動の後に行われる大当たり遊技におけるラウンド数が少なくされる第２削減リスクを遊技者に負わせつつ、変動中特別遊技を進行させることができるようになる。このような変動中特別遊技では、振り幅が少なくされて高い安心感のもとで遊技することのできる大当たり遊技とは異なり、当該特別遊技にて獲得することのできる賞球数が削減されるリスクを遊技者に意識させつつ適度な緊張感のもとで遊技させることができるようになる。
【０１６７】
また後述するが、この実施の形態にかかる賞球分配設定手段６０７ｄは、特別図柄の変動が継続されて最大長の時間（１８０秒）だけ変動された場合であっても、該変動の後に最大ラウンド数（１５ラウンド）分だけ大当たり遊技が行われる可能性を持たせるようにしている。すなわちこの場合、遊技者は、特別図柄の変動が継続されて長くなるほど第１削減リスクや第２削減リスクを意識しつつも、こうしたリスクをうまく切り抜けられたときにのみ享受することのできる遊技対価、すなわち変動中特別遊技と大当たり遊技との両方でそれぞれ大当たり１回分程度の多くの賞球数（例えば１５００発）を獲得することができるようになる大きな期待感をもって遊技することができるようになり、これによって特別図柄の変動が長く継続された場合における遊技興趣が好適に維持されるようにしている。
【０１６８】
ただし上述の通り、賞球分配設定手段６０７ｄは、基本的には、大当たり遊技において遊技者が獲得可能とされる最大賞球数を決定付ける上記ラウンド数が多いときほど、変動中特別遊技において遊技者が獲得可能とされる最大賞球数を決定付ける上記特別図柄の変動時間が短い傾向となるようにしていることから、こうして特別図柄の変動が長く継続された場合には、通常は、上記大入賞口８３への遊技球の（入球）入賞は可能ではあるものの困難となるように開閉動作される。すなわち、多量の賞球を獲得することができずに遊技者にとって有利な特別遊技とは言えない例えば２ラウンド分の大当たり遊技が短期間だけ行われることとなる。
【０１６９】
したがって、特別図柄の変動時間として長い時間が採用された場合であっても、当該変動時間中に普通当たりに落選して遊技者が獲得可能とされる最大賞球数が削減されてしまう第１削減リスクさえ回避できれば、長い変動時間にわたって多くの賞球を得ることができるようになる。そしてこの後、変動時間が終了して大当たり遊技が開始されてもすぐに、変動中特別遊技（長い変動時間のとき）、若しくは大当たり遊技（短い変動時間のとき）にておいて多量の賞球が獲得可能とされることとなり、これによって遊技者に有利な特別遊技が行われ続けることとなる。
【０１７０】
なお、特別遊技のうち、上記変動中特別遊技においては、特別図柄の変動がどれだけ継続されるかについての情報を秘匿にしつつ行うようにすることが望ましい。例えば、上記演出表示装置１１５にて現れる演出表示については、特別図柄の変動時間の別に専用の演出内容を用意することなく、その演出内容を共用するようにすれば、同演出が終了し得るいくつかのポイント（採用され得る変動時間毎の終了ポイント）にて当該変動中特別遊技が終了するか否かについての演出を行うことができるようになる。ただし、共用される演出内容としては、「８２／１００」の確率にて普通高確遊技状態が継続されるかについての情報を示唆するものであることがより望ましい。また、特別図柄の変動時間の別に期待度を示唆するようなものであってもよい（例えば背景が赤色であれば、長い変動時間である可能性が高いなど）。
【０１７１】
ちなみに、この実施の形態では、上記普通当たりに当選されたときの普通図柄の変動時間及び上記特別始動有賞口８２の開放時間の加算時間が「７．６秒」であり、上記特別図柄の最長の変動時間が「１８０秒」である。したがって、特別図柄の変動時間中に、上記開放延長維持手段６０７ｃによる上記特別始動有賞口８２についての「６秒」の開放が最大で２３回程度行われることとなり、最大の総開放時間は「１３８秒」程度となる。そして、発射装置９８によって１分間あたり９８個程度の遊技球が打ち出される一般的なパチンコ機であるとすると、特別図柄の変動時間中に２２５個の遊技球が開放状態にある特別始動有賞口８２に向かって打ち出されることとなる。そして、開放状態にある特別始動有賞口８２に向かって打ち出された遊技球のうちの６割程度が同特別始動有賞口８２に入球され、１個入球あたり１５個の賞球が払い出されるとすると、変動中特別遊技においては最大で２０００個前後の賞球が払い出されることとなり、これは従来のパチンコ機における大当たり１回分の賞球数と比較しても遊技対価として十分な賞球数であるといえる。
【０１７２】
そして、普通図柄側の遊技と特別図柄側の遊技との融合によって実現されるこのような斬新な遊技性は、上記第２遊技制御手段６１２による特別判定にて「１８／１００」といった低い確率で当該普通高確遊技状態が終了する旨決定されて、上記賞球分配設定手段６０７ｄにより変動表示された特別図柄が同終了する旨の表示態様にて停止されるまで継続されることとなる。そしてその後は、当該主基板７８０内のアタッカ駆動制御手段６１８が、上記アタッカ駆動機構３３９を駆動制御して、アタッカ装置９８内の大入賞口８３への遊技球の（入球）入賞が可能とされるように当該アタッカ装置９８における開閉部材９９を図柄乱数に応じた所定のラウンド数分だけ開放させて大当たり遊技を行った後に上記普通低確遊技状態に制御されることとなる。すなわちこの場合、上記普通高確遊技状態に移行制御されるか否かについての抽選機会（特別図柄によるチャンス）が再び得られるように上記普通始動有賞口９６に遊技球を入球させる遊技からやり直すこととなる。
【０１７３】
なお、各種の遊技状態において、上記第１遊技制御手段６０２による普通図柄についての判定処理の結果（普通当たり、当たりの種別、変動時間など）や、上記第２遊技制御手段６１２による特別図柄についての判定処理の結果（特別当たり、当たりの種別、変動時間など）などは、当該主基板７８０内のコマンド送信手段６２０によるコマンドとして、上記周辺基板７８１に送信されている。
【０１７４】
すなわち、周辺基板７８１は、コマンド受信手段６３０と、普通図柄画像表示制御手段６３１と、特別図柄画像表示制御手段６３２とを備えている。
ここで、上記コマンド受信手段６３０は、上記第１遊技制御手段６０２による普通図柄についての判定処理の結果や、上記第２遊技制御手段６１２による特別図柄についての判定処理の結果などを、上記主基板７８０のコマンド送信手段６２０から受信する部分である。
【０１７５】
また、上記普通図柄画像表示制御手段６３１は、上記コマンド受信手段６３０により受信されるコマンドに基づいて上記演出表示装置１１５に表示される演出画像を変動表示出力する部分である。より具体的には、この普通図柄画像表示制御手段６３１は、通常の遊技（通常遊技状態、普通低確遊技状態）において、上記第１遊技制御手段６０２により「１／３９９」の確率にて普通当たりについての普通判定が行われる都度、同普通当たりが当選されるか否かについての普通図柄側の表示演出が上記演出表示装置１１５における主演出として現れるようにするものである。なお、この表示演出の演出パターンは、上記コマンド受信手段６３０により受信される情報のうちの普通図柄の変動時間に基づいて選択される。これにより、演出表示装置１１５においても、普通図柄表示器３３３における普通図柄の変動時間と同じ時間だけ表示演出が行われることとなる。
【０１７６】
また、上記特別図柄画像表示制御手段６３２も、上記コマンド受信手段６３０により受信されるコマンドに基づいて上記演出表示装置１１５に表示される演出画像を変動表示出力する部分である。ただし、この特別図柄画像表示制御手段６３２は、主には、普通高確遊技状態において、上記第２遊技制御手段６１２により「８２／１００」の確率にて普通高確遊技状態が継続されるかについての抽選が行われる都度、その特別図柄の変動時間（３分）を要して、同継続されるかについての特別図柄側の表示演出や特別図柄の変動がどれだけ継続されるかについての表示演出が上記演出表示装置１１５における主演出として現れるようにするものである。
【０１７７】
また、同特別図柄画像表示制御手段６３２は、通常の遊技（通常遊技状態、普通低確遊技状態）においても、上記特別始動有賞口８２に遊技球が入球されて、上記第２遊技制御手段６１２により「８２／１００」の確率にて普通高確遊技状態に突入するかについての抽選が行われたときには、その特別図柄の変動時間（３分）に限り、同継続されるかについての特別図柄側の表示演出が上記演出表示装置１１５における主演出として現れるようにするものである。
【０１７８】
［主制御基板の各種制御処理］
次に、パチンコ機１の遊技の進行に応じて主制御基板７６５が行う各種制御処理について説明する。まず、遊技制御に用いられる各種乱数について説明し、続いて主制御側電源投入時処理、主制御側タイマ割り込み処理、賞球コマンド及びセルフチェックコマンド送信処理、ＡＣＫ信号入力判定処理について説明する。図１４は主制御側電源投入時処理の一例を示すフローチャートであり、図１５は図１４の主制御側電源投入時処理のつづきを示すフローチャートであり、図１６は主制御側タイマ割り込み処理の一例を示すフローチャートであり、図１７は賞球コマンド及びセルフチェックコマンド送信処理の一例を示すフローチャートであり、図１８はＡＣＫ信号入力判定処理の一例を示すフローチャートである。なお、賞球コマンド及びセルフチェックコマンド送信処理、ＡＣＫ信号入力判定処理は、後述する主制御側タイマ割り込み処理におけるステップＳ８０の賞球制御処理の一処理として行われる。
【０１７９】
＜１．各種乱数＞
遊技制御に用いられる各種乱数のうち、普通図柄当たり判定用乱数抽出手段６０１により抽出される普通図柄用の乱数としては、普通当たりの当選に関わる当否判定用乱数（普通図柄の当たり判定用乱数）、この普通図柄の当たり判定用乱数の初期値の決定に用いられる普通図柄の当たり判定用初期値決定用乱数、普通図柄表示器３３３にて表示される普通図柄の変動表示パターン（普通図柄の変動時間など）の決定に用いられる変動パターン乱数（普通図柄の変動パターン決定用乱数）、普通図柄の変動表示停止時における表示態様の判定に供される図柄乱数（普通図柄決定用乱数）などが用意されている。
【０１８０】
また、特別図柄当たり判定用乱数抽出手段６１１により抽出される特別図柄用の乱数としては、特別当たりの当選に関わる当選判定用乱数（特別図柄の当たり判定用乱数）、この特別図柄の当り判定用乱数の初期値の決定に用いられる特別図柄の当たり判定用初期値決定用乱数、特別図柄表示器３３２にて表示される特別図柄の変動表示パターン（特別図柄の変動時間など）の決定に用いられる変動パターン乱数（特別図柄の変動パターン決定用乱数）、特別図柄の変動表示停止時における表示態様や特別当たりが当選されたときの当該当たりの種別等の判定に供される図柄乱数（特別図柄決定用乱数）などが用意されている。
【０１８１】
＜２．主制御側電源投入時処理＞
パチンコ機１に電源が投入されると、主制御基板７６５の主制御ＭＰＵ７６５ａは、図１４及び図１５に示すように、主制御側電源投入時処理を行う。この主制御側電源投入時処理が開始されると、割り込みモードの設定を行う（ステップＳ１０）。この割り込みモードは、主制御ＭＰＵ７６５ａの割り込みの優先順位を設定するものである。本実施形態では、後述する主制御側タイマ割り込み処理が優先順位として最も高く設定されており、この主制御側タイマ割り込み処理の割り込みが発生すると、優先的にその処理が行われる。ステップＳ１０に続いて、入出力設定（Ｉ／Ｏの入出力設定）を行う（ステップＳ１２）。このＩ／Ｏの入出力設定では、主制御ＭＰＵ７６５ａのＩ／Ｏポートの入出設定等を行う。ステップＳ１２に続いて、主制御ＭＰＵ７６５ａに内蔵されたウォッチドックタイマを有効に設定する（ステップＳ１４）。このウォッチドックタイマは、主制御ＭＰＵ７６５ａの動作（システム）を監視するためのものであり、一定期間にクリア設定されないときには主制御ＭＰＵ７６５ａにリセットがかかる（主制御ＭＰＵ７６５ａのシステムが暴走していないかを定期的に診断している）。
【０１８２】
ステップＳ１４に続いて、ウェイトタイマ処理１を行う（ステップＳ１６）。電源投入時から所定電圧となるまでの間では電圧がすぐに上がらない。一方、停電又は瞬停（突発的に電力の供給が一時停止する現象）となるときでは電圧が下がり、停電予告電圧以下となると停電予告として停電信号が入力される。電源投入時から所定電圧に上がるまでの間では電圧が停電予告電圧以下となると停電信号が入力される。そこで、ウェイトタイマ処理１では、電源投入後、電圧が停電予告電圧より高くなるまで待っている。本実施形態では、この待ち時間（ウェイトタイマ）として２００ミリ秒（ｍｓ）が設定されている。ステップＳ１６に続いて、ＲＡＭクリアスイッチ７６９が操作されているか否かを判定する（ステップＳ１８）。この判定は、主制御基板７６５のＲＡＭクリアスイッチ７６９が操作され、その操作信号（検出信号）が主制御基板７６５に入力されているか否かにより行う。検出信号が入力されているときにはＲＡＭクリアスイッチ７６９が操作されていると判定し、一方、検出信号が入力されていないときにはＲＡＭクリアスイッチ７６９が操作されていないと判定する。
【０１８３】
ステップＳ１８でＲＡＭクリアスイッチ７６９が操作されているときには、ＲＡＭクリア報知フラグＲＣＬ−ＦＬＧに値１をセットし（ステップＳ２０）、一方、ステップＳ１８でＲＡＭクリアスイッチ７６９が操作されていないときには、ＲＡＭクリア報知フラグＲＣＬ−ＦＬＧに値０をセットする（ステップＳ２２）。このＲＡＭクリア報知フラグＲＣＬ−ＦＬＧは、主制御ＭＰＵ７６５ａに内蔵されたＲＡＭ（以下、「主内蔵ＲＡＭ」と記載する。）に記憶されている、遊技状態や未払い出し賞球等の遊技に関する遊技情報を消去するか否かを示すフラグであり、遊技情報を消去するとき値１、遊技情報を消去しないとき値０にそれぞれ設定されている。なお、ステップＳ２０及びステップＳ２２でセットされたＲＡＭクリア報知フラグＲＣＬ−ＦＬＧは、主制御ＭＰＵ７６５ａの汎用記憶素子（汎用レジスタ）に記憶される。
【０１８４】
ステップＳ２０又はステップＳ２２に続いて、ウェイトタイマ処理２を行う（ステップＳ２４）。このウェイトタイマ処理２では、液晶制御基板７５８による演出表示装置１１５の表示制御を行うシステムが起動する（ブートする）まで待っている。例えば、液晶制御ＲＯＭ７５８ｂから各種の制御プログラムを読み出して、液晶制御ＭＰＵ７５８ａに内蔵されたＲＡＭに展開して記憶する。本実施形態では、ブートするまでの時間（ブートタイマ）として２秒（ｓ）が設定されている。ステップＳ２４に続いて、主内蔵ＲＡＭへのアクセスを許可する設定を行う（ステップＳ２６）。この設定により主内蔵ＲＡＭへのアクセスができ、例えば遊技情報の書き込み（記憶）又は読み出しを行うことができる。ステップＳ２６に続いて、スタックポインタの設定を行う（ステップＳ２８）。スタックポインタは、例えば、使用中の記憶素子（レジスタ）の内容を一時記憶するためにスタックに積んだアドレスを示したり、サブルーチンを終了して本ルーチンに復帰するときの本ルーチンの復帰アドレスを一時記憶するためにスタックに積んだアドレスを示したりするものであり、スタックが積まれるごとにスタックポインタが進む。ステップＳ２８では、スタックポインタに初期アドレスをセットし、この初期アドレスから、レジスタの内容、復帰アドレス等をスタックに積んで行く。そして最後に積まれたスタックから最初に積まれたスタックまで、順に読み出すことによりスタックポインタが初期アドレスに戻る。
【０１８５】
ステップＳ２８に続いて、ＲＡＭクリア報知フラグＲＣＬ−ＦＬＧが値０である否かを判定する（ステップＳ３０）。上述したように、ＲＡＭクリア報知フラグＲＣＬ−ＦＬＧは、遊技情報を消去するとき値１、遊技情報を消去しないとき値０にそれぞれ設定されている。ステップＳ３０でＲＡＭクリア報知フラグＲＣＬ−ＦＬＧが値０であるとき、つまり遊技情報を消去しないときには、チェックサムの算出を行う（ステップＳ３２）。このチェックサムは、主内蔵ＲＡＭに記憶されている遊技情報を数値とみなしてその合計を算出するものである。ステップＳ３２に続いて、算出したチェックサムの値が後述する主制御側電源断時処理（電源断時）において記憶されているチェックサムの値と一致しているか否かを判定する（ステップＳ３４）。一致しているときには、バックアップフラグＢＫ−ＦＬＧが値１であるか否かを判定する（ステップＳ３６）。このバックアップフラグＢＫ−ＦＬＧは、遊技情報、チェックサムの値及びバックアップフラグＢＫ−ＦＬＧの値等のバックアップ情報を後述する主制御側電源断時処理において主内蔵ＲＡＭに記憶保持したか否かを示すフラグであり、主制御側電源断時処理を正常に終了したとき値１、主制御側電源断時処理を正常に終了していないとき値０にそれぞれ設定されている。
【０１８６】
ステップＳ３６でバックアップフラグＢＫ−ＦＬＧが値１であるとき、つまり主制御側電源断時処理を正常に終了したときには、復電時として主内蔵ＲＡＭの作業領域を設定する（ステップＳ３８）。この設定は、バックアップフラグＢＫ−ＦＬＧを値０にセットするほか、主制御ＭＰＵ７６５ａに内蔵されたＲＯＭ（以下、「主内蔵ＲＯＭ」と記載する。）から復電時情報を読み出し、この復電時情報を主内蔵ＲＡＭの作業領域にセットする。ここで「復電時」とは、電源を遮断した状態から電源を投入した状態に加えて、停電又は瞬停からその後の電力の復旧した状態も含める。ステップＳ３８に続けて、電源投入時コマンド作成処理を行う（ステップＳ４０）。この電源投入時コマンド作成処理では、バックアップ情報から遊技情報を読み出してこの遊技情報に応じた各種コマンドを主内蔵ＲＡＭの所定記憶領域に記憶する。なお、各種コマンド等についての説明は後述する。
【０１８７】
一方、ステップＳ３０でＲＡＭクリア報知フラグＲＣＬ−ＦＬＧが値０でない（値１である）とき、つまり遊技情報を消去するときには、又はステップＳ３４でチェックサムの値が一致していないときには、又はステップＳ３６でバックアップフラグＢＫ−ＦＬＧが値１でない（値０である）とき、つまり主制御側電源断時処理を正常に終了していないときには、主内蔵ＲＡＭの全領域をクリアし（ステップＳ４２）、初期設定として主内蔵ＲＡＭの作業領域を設定する（ステップＳ４４）。この設定は、主内蔵ＲＯＭから初期情報を読み出してこの初期情報を主内蔵ＲＡＭの作業領域にセットする。ステップＳ４４に続けて、ＲＡＭクリア報知及びテストコマンド作成処理を行う（ステップＳ４６）。このＲＡＭクリア報知及びテストコマンド作成処理では、主内蔵ＲＡＭをクリアして初期設定を行った旨を、サブ統合基板７６３に報知するためのＲＡＭクリア報知コマンドと、サブ統合基板７６３の各種検査を行うためのテストコマンドと、を作成し、送信情報として主内蔵ＲＡＭの送信情報記憶領域に記憶する。なお、サブ統合基板７６３がＲＡＭクリア報知コマンドを受信すると、このＲＡＭクリア報知コマンドを液晶制御基板７５８に送信し、一方テストコマンドを受信すると、音源ＩＣ７６３ｃ、液晶制御基板７５８及びランプ駆動基板４６の各種検査を行うためのテストコマンドを送信する。
【０１８８】
ステップＳ４０又はステップＳ４６に続いて、割り込み初期設定を行う（ステップＳ４８）。この設定は、後述する主制御側タイマ割り込み処理が行われるときの割り込み周期を設定するものである。本実施形態では４ｍｓに設定されている。ステップＳ４８に続いて、割り込み許可設定を行う。（ステップＳ５０）。この設定によりステップＳ４８で設定した割り込み周期、つまり４ｍｓごとに主制御側タイマ割り込み処理が繰り返し行われる。
【０１８９】
ステップＳ５０に続いて、ウォッチドックタイマクリアレジスタＷＣＬに値Ａをセットする（ステップＳ５２）。このウォッチドックタイマクリアレジスタＷＣＬに、値Ａ、値Ｂそして値Ｃを順にセットすることによりウォッチドックタイマがクリア設定される。ステップＳ５２に続けて、停電信号が入力されているか否かを判定する（ステップＳ５４）。上述したように、パチンコ機１の電源を遮断したり、停電又は瞬停したりするときには、電圧が停電予告電圧以下となると停電予告として停電信号が入力される。ステップＳ５４の判定は、この停電信号に基づいて行う。ステップＳ５４で停電信号の入力がないときには非当落乱数更新処理を行う（ステップＳ５６）。
【０１９０】
この非当落乱数更新処理では、上述した、普通図柄の当たり判定用初期値決定用乱数や変動パターン決定用乱数等を更新する。例えば、普通図柄の当たり判定用乱数を更新するカウンタは、普通図柄の当たり判定用乱数の下限値から上限値までの範囲を、後述する主制御側タイマ割り込み処理が行われるごとに値１ずつ増える（カウントアップする）。このカウンタは、非当落乱数更新処理により普通図柄の当たり判定用初期値決定用乱数が設定（更新）されると、この普通図柄の当たり判定用初期値決定用乱数から上限値までカウントアップし、続けて下限値から普通図柄の当たり判定用初期値決定用乱数までカウントアップする。そして再び非当落乱数更新処理により普通図柄の当たり判定用初期値決定用乱数が更新される。このように、非当落乱数更新処理では、当落判定（普通当たり判定、特別当たり判定）にかかわらない乱数を更新する。なお、上述した、特別図柄の当たり判定用初期値決定用乱数や変動パターン決定用乱数等もこの非当落乱数更新処理により更新される。特別図柄の当たり判定用初期値決定用乱数等は、上述した普通図柄の当たり判定用初期値決定用乱数の更新方法と同一であり、その説明を省略する。
【０１９１】
ステップＳ５６に続けて、再びステップＳ５２に戻り、ウォッチドックタイマクリアレジスタＷＣＬに値Ａをセットし、ステップＳ５４で停電信号があるか否かを判定し、この停電信号の入力がなければ、ステップＳ５６で非当落乱数更新処理を行い、ステップＳ５２〜ステップＳ５６を繰り返し行う。なお、このステップＳ５２〜ステップＳ５６の処理を「主制御側メイン処理」という。
【０１９２】
一方、ステップＳ５４で停電信号の入力があったときには、割り込み禁止設定を行う（ステップＳ５８）。この設定により後述する主制御側タイマ割り込み処理が行われなくなり、主内蔵ＲＡＭへの書き込みを防ぎ、遊技情報の書き換えを保護している。ステップＳ５８に続いて、チェックサムの算出を行ってこの算出した値を記憶する（ステップＳ６０）。このチェックサムは、上述したチェックサムの値及びバックアップフラグＢＫ−ＦＬＧの値の記憶領域を除く、主内蔵ＲＡＭの作業領域の遊技情報を数値とみなしてその合計を算出する。ステップＳ６０に続いて、バックアップフラグＢＫ−ＦＬＧに値１をセットする。（ステップＳ６２）、これによりバックアップ情報の記憶が完了する。ステップＳ６２に続いて、主内蔵ＲＡＭへのアクセスの禁止設定を行う（ステップＳ６４）。この設定により主内蔵ＲＡＭへのアクセスが禁止され書き込み及び読み出しができなくなり、主内蔵ＲＡＭに記憶されているバックアップ情報が保護される。ステップＳ６４に続いてウォッチドックタイマのクリア設定を行う（ステップＳ６６）。このクリア設定は、上述したように、ウォッチドックタイマクリアレジスタＷＣＬに値Ａ、値Ｂそして値Ｃを順にセットすることにより行われる。ステップＳ６６に続けて、無限ループに入る。この無限ループでは、ウォッチドックタイマクリアレジスタＷＣＬに値Ａ、値Ｂそして値Ｃを順にセットしないためウォッチドックタイマがクリア設定されなくなる。このため、主制御ＭＰＵ７６５ａにリセットがかかり、その主制御ＭＰＵ７６５ａは、この主制御側電源投入時処理を再び行う。なお、ステップＳ５８〜ステップＳ６６の処理及び無限ループを「主制御側電源断時処理」という。
【０１９３】
パチンコ機１（主制御ＭＰＵ７６５ａ）は、停電したとき又は瞬停したときにはリセットがかかり、その後の電力の復旧により主制御側電源投入時処理を行う。
なお、ステップＳ３４では主内蔵ＲＡＭに記憶されているバックアップ情報が正常なものであるか否かを検査し、続いてステップＳ３６では主制御側電源断時処理が正常に終了された否かを検査している。このように、主内蔵ＲＡＭに記憶されているバックアップ情報を２重にチェックすることによりバックアップ情報が不正行為により記憶されたものであるか否かを検査している。
【０１９４】
＜３．主制御側タイマ割り込み処理＞
次に、主制御側タイマ割り込み処理について説明する。この主制御側タイマ割り込み処理は、図１４及び図１５に示した主制御側電源投入時処理において設定された割り込み周期（本実施形態では、４ｍｓ）ごとに繰り返し行われる。
【０１９５】
主制御側タイマ割り込み処理が開始されると、主制御基板７６５の主制御ＭＰＵ７６５ａは、図１６に示すように、タイマ割り込みを禁止に設定してレジスタの切替（退避）を行う（ステップＳ７０）。ここでは、上述した主制御側メイン処理で使用していた汎用記憶素子（汎用レジスタ）から補助レジスタに切り替える。この補助レジスタを主制御側タイマ割り込み処理で使用することにより汎用レジスタの値が上書きされなくなる。これにより、主制御側メイン処理で使用していた汎用レジスタの内容の破壊を防いでいる。
【０１９６】
ステップＳ７０に続いて、ウォッチドックタイマクリアレジスタＷＣＬに値Ｂをセットする（ステップＳ７２）。このとき、ウォッチドックタイマクリアレジスタＷＣＬには、主制御側電源投入時処理（主制御側メイン処理）のステップＳ５２においてセットされた値Ａに続いて値Ｂがセットされる。
【０１９７】
ステップＳ７２に続いて、スイッチ入力処理を行う（ステップＳ７４）。このスイッチ入力処理では、主制御Ｉ／Ｏポート７６５ｂの入力端子に入力されている各種信号を読み取り、入力情報として主内蔵ＲＡＭの入力情報記憶領域に記憶する。例えば、普通始動無賞センサ３１６、普通始動有賞センサ３１７、特別始動有賞センサ３１８、カウントセンサ３１９からの各検出信号や、後述する賞球制御処理にて送信された賞球コマンドを払出制御基板７７５が正常に受信した旨を伝える払出制御基板７７５からのＡＣＫ信号、をそれぞれ読み取り、入力情報記憶領域に記憶する。
【０１９８】
ステップＳ７４に続いて、タイマ減算処理を行う（ステップＳ７６）。このタイマ減算処理では、例えば、後述する特別図柄及び特別電動役物制御処理で決定される変動表示パターンに従って特別図柄表示器３３２が点灯する時間、後述する普通図柄及び普通電動役物制御処理で決定される普通図柄変動表示パターンに従って普通図柄表示器３３３が点灯する時間のほか、主制御基板７６５（主制御ＭＰＵ７６５ａ）が送信した各種コマンドを払出制御基板７７５が正常に受信した旨を伝えるＡＣＫ信号が入力されているか否かを判定する際にその判定条件として設定されているＡＣＫ信号入力判定時間等の時間管理を行う。具体的には、タイマ割り込み周期が４ｍｓに設定されているので、このタイマ減算処理を行うごとに決定された変動時間を４ｍｓずつ減算し、その減算結果が値０になることで特別図柄の変動時間や、普通図柄の変動時間を計っている。
【０１９９】
本実施形態では、ＡＣＫ信号入力判定時間として１００ｍｓが設定されており、このタイマ減算処理を行うごとにＡＣＫ信号入力判定時間が４ｍｓずつ減算し、その減算結果が値０になることでＡＣＫ信号入力判定時間を正確に計っている。なお、これらの各種時間及びＡＣＫ信号入力判定時間は、時間管理情報として主内蔵ＲＡＭの時間管理情報記憶領域に記憶される。
【０２００】
ステップＳ７６に続いて、当落乱数更新処理を行う（ステップＳ７８）。この当落乱数更新処理では、上述した、普通図柄の当たり判定用乱数や普通図柄決定用乱数を更新する。またこれらの乱数に加えて、主制御側電源投入時処理（主制御側メイン処理）におけるステップＳ５６の非当落乱数更新処理で更新される、普通図柄の当たり判定用初期値決定用乱数等も更新する。普通図柄の当たり判定用初期値決定用乱数等は、主制御側メイン処理及びこの主制御側タイマ割り込み処理においてそれぞれ更新されることでランダム性をより高めている。一方、普通図柄の当たり判定用乱数及び普通図柄決定用乱数は、当落判定（普通当り判定）にかかわる乱数であるためこの当落乱数更新処理が行われるごとにのみ、それぞれのカウンタがカウントアップする。例えば、普通図柄の当たり判定用乱数を更新するカウンタは、普通図柄の当たり判定用乱数の下限値から上限値までの範囲を、主制御側タイマ割り込み処理が行われるごとにカウントアップする。このカウンタは、普通図柄の当たり判定用初期値決定用乱数から上限値までをカウントアップし、続けて下限値から初期値までをカウントアップする。普通図柄の当たり判定用乱数の下限値から上限値までの範囲をカウンタがカウントアップし終えると、この当落乱数更新処理により普通図柄の当たり判定用初期値決定用乱数は更新される。なお上述した、特別図柄の当たり判定用乱数や当たり判定用初期値決定用乱数もこの当落乱数更新処理により更新される。特別図柄の当たり判定用乱数等は、上述した普通図柄の当たり判定用乱数の更新方法と同一であり、その説明を省略する。
【０２０１】
ステップＳ７８に続いて、賞球制御処理を行う（ステップＳ８０）。この賞球制御処理では、後述するが、上述した入力状態記憶領域から入力情報を読み出してこの入力情報に基づいて遊技球を払い出す賞球コマンドを作成したり、主制御基板７６５と払出制御基板７７５との基板間の接続状態を確認するセルフチェックコマンドを作成したりする。そして作成した賞球コマンドやセルフチェックコマンドを払出制御基板７７５に送信する。例えば、大入賞口８３に遊技球が１球、入球すると、該大入賞口８３に対して予め設定された賞球数である「６個」の遊技球が払い出される賞球コマンドを作成して払出制御基板７７５に送信したり、この賞球コマンドを払出制御基板７７５が正常に受信した旨を伝えるＡＣＫ信号が所定時間内に入力されないときには主制御基板６５と払出制御基板７７５との基板間の接続状態を確認するセルフチェックコマンドを作成して払出制御基板７７５に送信したりする。
【０２０２】
ステップＳ８０に続いて、賞球チェック処理を行う（ステップＳ８２）。この賞球チェック処理では、賞球に関する異常状態を確認する。例えば、大当たり遊技状態でないときに大入賞口８３に遊技球が入球すると、異常状態として賞球異常報知コマンドを作成し、送信情報として上述した送信情報記憶領域に記憶する。（なお、この異常状態の確認は、入力情報記憶領域から入力情報を読み出してこの入力情報に基づいて行う）。ステップＳ８２に続いて、コマンド受信処理を行う（ステップＳ８４）。払出制御基板７７５は、その詳細な説明は後述するが、例えば球払出装置１７０が球がみを起こして遊技球を払い出せない状態等の状態コマンドを送信する。ステップＳ８４のコマンド受信処理では、この状態コマンドを正常に受信すると、その旨を払出制御基板７７５に伝える情報を、出力情報として主内蔵ＲＡＭの出力情報記憶領域に記憶する。また、その詳細な説明は後述するが、正常に受信した状態コマンドを整形して送信情報として上述した送信情報記憶領域に記憶する。
【０２０３】
ステップＳ８４に続いて、特別図柄及び特別電動役物制御処理を行う（ステップＳ８６）。この特別図柄及び特別電動役物制御処理では、上述した入力情報記憶領域から入力情報を読み出してこの入力情報に基づいて、特別始動有賞センサ３１８からの検出信号が入力端子に入力されていたか否かを判定する。この判定結果に基づいて、検出信号が入力端子に入力されていたときには、上述した特別図柄の当たり判定用乱数及び変動パターン決定用乱数等を更新する各種カウンタの値を抽出して始動情報として主内蔵ＲＡＭの始動情報記憶領域に記憶する。
【０２０４】
そして、始動情報記憶領域から読み出した始動情報に基づいて、特別図柄の当たり判定用乱数の値を取り出して主内蔵ＲＯＭに予め記憶されている特別当たり判定値と一致するか否かを判定（特別当たりであるか否かの判定）する。次いで、この判定結果と上述した特別図柄の変動パターン決定用乱数とに基づいて特別図柄の変動パターン等を決定して遊技演出コマンドを作成し、送信情報として上述した送信情報記憶領域に記憶する。ただし上述の通り、この実施の形態にかかるパチンコ機１では、特別図柄の当たり判定用乱数がいかなる値であっても特別当たり判定値と一致されるようにすることで、特別当たりが必ず当選されるようにしている。このため、この判定の結果が得られたときには、特別図柄の変動パターンに応じた分だけの変動時間が経過するのを待ってから、大当たり遊技状態を発生させることとなる。後述するが、この大当たり遊技状態では、大入賞口８３を開閉動作させるようアタッカ駆動機構３３９への駆動信号の出力が設定され、出力情報として上述した出力情報記憶領域に記憶される。
【０２０５】
ステップＳ８６に続いて、普通図柄及び普通電動役物制御処理を行う（ステップＳ８８）。ここで、普通電動役物制御処理では、特別始動有賞口８２への遊技球の入球が可能となるように上記普通電動役物８１（より正確には、普通電動役物８１の可動片）の開放動作にかかる駆動制御が行われる。
すなわち後述するが、この普通図柄及び普通電動役物制御処理では、まず、上述した入力情報記憶領域から入力情報を読み出し、この入力情報に基づいて、普通始動無賞センサ３１６や普通始動有賞センサ３１７からの検出信号が入力端子に入力されていたか否かを判定する。この判定結果に基づいて、検出信号が入力端子に入力されていたときには、上述した普通図柄の当たり判定用乱数及び変動パターン決定用乱数等を更新する各種カウンタの値を抽出して始動情報として主内蔵ＲＡＭの始動情報記憶領域に記憶する。この始動情報記憶領域には、始動情報記憶ブロック０〜３（４つの始動情報記憶ブロック）が設けられており、各始動情報記憶ブロックに始動情報が時系列で記憶されるようになっている。なお、各始動情報が普通図柄の保留に相当しており、本実施形態では普通図柄の最大保留数は「４」である。そして、始動情報記憶ブロックの数を保留球として、普通保留球ランプ３２３を点灯させるように点灯信号の出力を設定し、出力情報として上述した出力情報記憶領域に記憶する。
【０２０６】
そして、始動情報記憶ブロック０から読み出した始動情報に基づいて、普通図柄の当たり判定用乱数の値を取り出して主内蔵ＲＯＭに予め記憶されている普通当たり判定値と一致するか否かを判定（普通当たりであるか否かの判定）する。次いで、この判定結果と上述した普通図柄の変動パターン決定用乱数とに基づいて普通図柄の変動パターン等を決定して遊技演出コマンドを作成し、送信情報として上述した送信情報記憶領域に記憶する。そして、低い確率（例えば１／３９９）にて普通当たりに運よく当選された旨判定されたときには、特別始動有賞口８２が入球可能な態様（許球態様）に切り替わるように、普通役物駆動機構３３４への駆動信号の出力を設定し、出力情報として上述した出力情報記憶領域に記憶する。
【０２０７】
ステップＳ８８に続いて、ポート出力処理を行う（ステップＳ９０）。このポート出力処理では、主制御Ｉ／Ｏポート７６５ｂの出力端子から、上述した出力情報記憶領域から出力情報を読み出してこの出力情報に基づいて各種信号を出力する。例えば、出力情報に基づいて出力端子から、払出制御基板７７５からの状態コマンドを正常に受信したときにはＡＣＫ信号を払出制御基板７７５に出力したり、大当たり遊技状態であるときには、大入賞口８３の開閉動作を行うアタッカ駆動機構３３９に駆動信号を出力したり、大当たり遊技状態である旨を伝える大当たり信号を外部端子板３７１に出力したりする。
【０２０８】
ステップＳ９０に続いて、サブ統合基板コマンド送信処理を行う（ステップＳ９２）。このサブ統合基板コマンド送信処理では、上述した送信情報記憶領域から送信情報を読み出してこの送信情報をサブ統合基板７６３に送信する。この送信情報には、上述したように、遊技演出コマンド、ＲＡＭクリア報知コマンド、テストコマンド、賞球異常報知コマンド及び状態コマンド等がある。この送信情報のほかに、主制御基板７６５と払出制御基板７７５との基板間の接続状態を確認するときにセットされるセルフチェックフラグの値に基づいてその接続状態に不具合が生じているときには接続不具合コマンドを作成してサブ統合基板６３に送信する。
【０２０９】
ステップＳ９２に続いて、ウォッチドックタイマクリアレジスタＷＣＬに値Ｃをセットする（ステップＳ９４）。このとき、ウォッチドックタイマクリアレジスタＷＣＬには、ステップＳ７２においてセットされた値Ｂに続いて値Ｃがセットされる。これにより、ウォッチドックタイマクリアレジスタＷＣＬには、値Ａ、値Ｂそして値Ｃが順にセットされ、ウォッチドックタイマがクリア設定される。ステップＳ９４に続いて、レジスタの切替（復帰）を行う（ステップＳ９６）。この復帰は、ステップＳ７０でスタックに積んで退避した内容を読み出してレジスタに書き込むことにより行われる。ステップＳ９６に続いて、割り込み許可の設定を行い（ステップＳ９８）、このルーチンを終了する。
【０２１０】
＜４．賞球コマンド及びセルフチェックコマンド送信処理＞
次に、賞球コマンド及びセルフチェックコマンド送信処理について説明する。この賞球コマンド及びセルフチェックコマンド送信処理では、賞球として払い出す遊技球の球数を指示する賞球コマンドや主制御基板７６５と払出制御基板７７５との基板間の接続状況を確認するセルフチェックコマンドを払出制御基板７７５に送信する。
【０２１１】
賞球コマンド及びセルフチェックコマンド送信処理が開始されると、主制御基板７６５の主制御ＭＰＵ７６５ａは、図１７に示すように、セルフチェックフラグＳＣＨＫ−ＦＬＧが値１であるか否かを判定する（ステップＳ１００）。このセルフチェックフラグＳＣＨＫ−ＦＬＧは、後述するＡＣＫ信号入力判定処理において、主制御基板７６５と払出制御基板７７５との基板間の接続状態を確認するセルフチェックコマンドを作成して送信するときにセットされるフラグであり、セルフチェックコマンドを送信するとき値１、セルフチェックコマンドを送信しないとき値０にそれぞれ設定されている。なお、セルフチェックフラグＳＣＨＫ−ＦＬＧは初期値として値０、つまりセルフチェックコマンドを送信しない状態に設定されている。
【０２１２】
ステップＳ１００でセルフチェックフラグＳＣＨＫ−ＦＬＧが値１でない（値０である）とき、つまりセルフチェックコマンドを送信しないときには、主制御基板７６５と払出制御基板７７５との基板間の接続状態に不具合が生じていないとして、賞球コマンド送信処理を行う（ステップＳ１０２）。この賞球コマンド送信処理では、例えば、下部側大入賞口８３に遊技球が１球、入球すると、賞球として１５球を払い出す賞球コマンドを作成して払出制御基板７７５に送信する。その賞球コマンドを払出制御基板７７５に送信すると、賞球コマンドを消去するようになっている。つまり作成した賞球コマンドは、一度のみ主制御基板７６５（主制御ＭＰＵ７６５ａ）から払出制御基板７７５に送信することでき、送信後、破棄されるようになっている。
【０２１３】
一方、ステップ１００でセルフチェックフラグＳＣＨＫ−ＦＬＧが値１であるとき、つまりセルフチェックコマンドを送信するときには、主制御基板７６５と払出制御基板７７５との基板間の接続状態に不具合が生じているとして、セルフチェックフラグＳＣＨＫ−ＦＬＧに値０をセットし（ステップＳ１０４）、セルフチェックコマンド送信処理（ステップＳ１０６）を行い、このルーチンを終了する。このセルフチェックコマンド送信処理では、主制御基板７６５と払出制御基板７７５との基板間の接続状態を確認するセルフチェックコマンドを作成して払出制御基板７７５に送信する。なお、ステップＳ１０２の賞球コマンド送信処理及びステップＳ１０６のセルフチェックコマンド送信処理を開始すると、上述したＡＣＫ信号入力判定時間（本実施形態では、１００ｍｓ）の計時を開始するようになっている。
【０２１４】
ステップＳ１０４でセルフチェックフラグＳＣＨＫ−ＦＬＧの値を値０にセットすることによって（つまりセルフチェックフラグＳＣＨＫ−ＦＬＧＫの値を値１から値０にセットしたことによって）、ステップＳ１０６で送信したセルフチェックコマンドが、後述するＡＣＫ信号入力判定処理において払出制御基板７７５が正常にセルフチェックコマンドを受信した旨のＡＣＫ信号が入力されると、ステップＳ１０２で賞球コマンド送信処理を行う。このとき、賞球コマンド送信処理では、賞球として払い出す遊技球があればその球数の賞球コマンドを作成して払出制御基板７７５に送信する。一方、ステップＳ１０６で送信したセルフチェックコマンドが、後述するＡＣＫ信号入力判定処理において払出制御基板７７５が正常にセルフチェックコマンドを受信した旨のＡＣＫ信号が入力されないと、再びステップＳ１０６でセルフチェックコマンドを作成して払出制御基板７７５に送信し、ＡＣＫ信号が入力されない限り繰り返しセルフチェックコマンドを払出制御基板７７５に送信することとなる。
【０２１５】
このように、主制御基板７６５（主制御ＭＰＵ７６５ａ）は、賞球コマンドを払出制御基板７７５に送信して払出制御基板７７５からのＡＣＫ信号が入力されないときにはチェックコマンドを払出制御基板７７５に送信する。これにより、例えば、主制御基板７６５と払出制御基板７７５との基板間を電気的に接続するケーブルのコネクタが外れかかっていたり、そのケーブルが断線していたり等の接続不具合を簡単に確認することができる。
【０２１６】
また、例えば、ＡＣＫ信号が主制御基板７６５に入力されないよう払出制御基板７７５とは別体に不正基板（所謂、ぶら下がり基板）を設け、遊技者がリモコン操作によってその不正基板のプログラムを開始させる不正行為を行っても、主制御基板７６５（主制御ＭＰＵ７６５ａ）は、ＡＣＫ信号が入力されないときには賞球コマンドを再送信するのではなくチェックコマンドを払出制御基板７７５に送信する。これにより、不正基板を用いた不正行為により遊技者が遊技球を不正に獲得することを防止するとともに、主制御基板７６５と払出制御基板７７５との基板間の接続状態を安全に確認することができる。なお、上述した、賞球コマンド及びセルフチェックコマンドの詳細な説明は後述する。
【０２１７】
＜５．ＡＣＫ信号入力判定処理＞
次に、ＡＣＫ信号入力判定処理について説明する。このＡＣＫ信号入力判定処理では、払出制御基板７７５が正常に賞球コマンドやセルフチェックコマンドを受信したか否かを判定する。
【０２１８】
ＡＣＫ信号入力判定処理が開始されると、主制御基板７６５の主制御ＭＰＵ７６５ａは、図１８に示すように、ＡＣＫ信号入力判定時間が経過したか否かを判定する（ステップＳ１１０）。この判定は、図１６に示した主制御側タイマ割り込み処理におけるステップＳ７６のタイマ減算処理で減算したＡＣＫ信号入力判定時間に基づいて行う。具体的には、そのＡＣＫ信号入力判定時間は、時間管理情報として主内蔵ＲＡＭの時間管理情報記憶領域に記憶されている。ステップＳ１１０では、この時間管理情報記憶領域から時間管理情報を読み出してＡＣＫ信号入力判定時間が経過したか否かを判定する。
【０２１９】
ステップＳ１１０でＡＣＫ信号入力判定時間が経過していないときには、ＡＣＫ信号が入力されているか否かを判定する（ステップＳ１１２）。この判定は、図１６に示した主制御側タイマ割り込み処理におけるステップＳ７４のスイッチ入力処理で払出制御基板７７５からのＡＣＫ信号に基づいて行う。具体的には、そのＡＣＫ信号は入力情報として主内蔵ＲＡＭの入力情報記憶領域に記憶されている。ステップＳ１１２では、この入力情報記憶領域から入力情報を読み出してＡＣＫ信号が入力されているか否かの判定を行う。
【０２２０】
ステップＳ１１２でＡＣＫ信号が入力されているときにはセルフチェックフラグＳＣＨＫ−ＦＬＧに値０をセットし（ステップＳ１１４）、このルーチンを終了する。一方、ステップＳ１１２でＡＣＫ信号が入力されていないときにはそのままこのルーチンを終了する。セルフチェックフラグＳＣＨＫ−ＦＬＧは、主制御基板７６５と払出制御基板７７５との基板間の接続状態を確認するセルフチェックコマンドを送信するとき値１、セルフチェックコマンドを送信しないとき値０にそれぞれ設定されている。ＡＣＫ信号が入力されているときには、ステップＳ１１４でセルフチェックフラグＳＣＨＫ−ＦＬＧに値０、つまりセルフチェックコマンドを送信しない状態にすることで、例えば、主制御基板７６５がノイズの影響を受けてもセルフチェックフラグＳＣＨＫ−ＦＬＧの値が変化しないようにしている。
【０２２１】
一方、ステップＳ１１０でＡＣＫ信号入力判定時間が経過しているときは、セルフチェックフラグＳＣＨＫ−ＦＬＧＫに値１、つまりセルフチェックコマンドを送信する状態に設定し（ステップＳ１１６）、このルーチンを終了する。ステップＳ１１６でセルフチェックフラグＳＣＨＫ−ＦＬＧＫに値１をセットすることで、図１７に示した賞球コマンド及びセルフチェックコマンド送信処理におけるステップＳ１０６でセルフチェックコマンド送信処理を行い、セルフチェックコマンドを作成して払出制御基板７７５に送信する。
【０２２２】
＜６．普通図柄及び普通電動役物制御処理＞
次に、普通図柄及び普通電動役物制御処理（第１遊技処理）の詳細について説明する。図１９は第１遊技処理の一例を示すフローチャートであり、図２０は第１始動検出処理の一例を示すフローチャートであり、図２１は第１抽選・変動開始処理の一例を示すフローチャートであり、図２２は第１抽選変動表示パターン設定処理の一例を示すフローチャートであり、図２３は第１変動中処理の一例を示すフローチャートであり、図２４は第１当たり役物作動処理の一例を示すフローチャートであり、図２５は普通図柄の変動パターンテーブルの一例を示す図である。
【０２２３】
図１６に示した主制御側タイマ割り込み処理におけるステップＳ８８の普通図柄及び普通電動役物制御処理を、以下では「第１遊技処理」として説明する。主制御ＭＰＵ７６５ａは、図１９に示すように、「第１遊技処理」として、第１始動検出処理（ステップＳ８８００）、第１抽選・変動開始処理（ステップＳ８８０２）、第１抽選変動表示パターン設定処理（ステップＳ８８０４）、第１変動中処理（ステップＳ８８０６）、および、第１当たり役物作動処理（ステップＳ８８０８）を順に行う。以下、各処理の詳細について説明する。
【０２２４】
まず、図２０に示すように、主制御ＭＰＵ７６５ａは、第１始動検出処理が開始されると、第１始動検出フラグがＯＮであるか否かを判別する（ステップＳ８８１０）。この第１始動検出フラグとは、普通始動無賞口８９に遊技球が入球したことが普通始動無賞センサ３１６により検出されたとき、若しくは普通始動有賞口９６に遊技球が入球したことが普通始動有賞センサ３１７により検出されたときに、スイッチ入力処理（ステップＳ７４）にてＯＮにセットされるものである。そして、この第１始動検出フラグがＯＮであれば（ステップＳ８８１０におけるＹＥＳ）、さらに保留手段６０３（図１３参照）による保留数（普図保留球数カウント）がその上限である第１所定数（例えば４個）より小さいか否かを判別する（ステップＳ８８１２）。そしてこの結果、普図保留球数カウントが４より小さければ（ステップＳ８８１２におけるＹＥＳ）、上記普通図柄当たり判定用乱数抽出手段６０１（図１３参照）により抽出された乱数を保留手段６０３に保留する第１始動記憶格納処理を実行する（ステップＳ８８１４）。具体的には、この第１始動記憶格納処理では、普通図柄の当たり判定用乱数や変動パターン決定用乱数などの乱数群が上記普通図柄についての始動情報として、主内蔵ＲＡＭの普図保留についての始動情報記憶領域に記憶される。なお、第１始動記憶格納処理（ステップＳ８８１４）の実行後は、第１始動検出処理を終了する。また、第１始動検出フラグがＯＦＦである場合（ステップＳ８８１０におけるＮＯ）や、普図保留球数カウントが４以上である場合（ステップＳ８８１２におけるＮＯ）も、第１始動検出処理を終了する。
【０２２５】
次に、図２１に示すように、主制御ＭＰＵ７６５ａは、第１抽選・変動開始処理が開始されると、第１ジョブフラグが「０」であるか否かを判別する（ステップＳ８８２０）。この第１ジョブフラグとは、普通図柄に関する処理段階を指示するものである。
【０２２６】
例えば、この第１ジョブフラグが「０」であれば（ステップＳ８８２０におけるＹＥＳ）、普通図柄の図柄変動についての実行待ち（通常の遊技中であれば、例えば、演出表示装置１１５においてデモ画面が表示されている状態）の処理段階にあることから、まず、保留手段６０３による保留数が「０」でないかを判別する（ステップＳ８８２２）。そしてこの結果、保留手段６０３による保留数が「０」でない場合には（ステップＳ８８２２におけるＹＥＳ）、普通図柄についての始動情報が記憶されている状態にあるとして、次に、第１始動記憶移行処理を実行する（ステップＳ８８２４）。なお、第１ジョブフラグが「０」でなければ（ステップＳ８８２０におけるＮＯ）、第１抽選・変動開始処理を終了する。
【０２２７】
この第１始動記憶移行処理では、普図保留の始動情報記憶ブロック０に記憶された始動情報が読み出されて、所定の処理領域に記憶される。そしてその後、始動情報記憶ブロック１の始動情報が始動情報記憶ブロック０に、始動情報記憶ブロック２の始動情報が始動情報記憶ブロック１に、始動情報記憶ブロック３の始動情報が始動情報記憶ブロック２に、それぞれシフトされる。これにより、始動情報記憶ブロック３に空きが生じるようになり、このブロック３に普通図柄についての新たな始動情報（保留）が記憶可能とされるようになる。なお、ステップＳ８８２２において第１始動記憶が０であれば（ステップＳ８８２２におけるＮＯ）、第１抽選・変動開始処理を終了する。
【０２２８】
ステップＳ８８２４において第１始動記憶移行処理を行った後は、所定の処理領域に記憶された始動情報のうちの上記当否判定用乱数（普通図柄の当たり判定用乱数）の値が予め定められた普通図柄の当たり値と一致するか否かを判別することによって、上記普通当たりについての判定処理を行う。
【０２２９】
ただし上述の通り、この普通当たりについての判定処理に際しては、通常遊技状態、及び普通低確遊技状態、普通高確遊技状態のいずれの状態にあるかを判別し（ステップＳ８８２６）、上記通常の遊技（通常遊技状態、普通低確遊技状態）にあるときには上記普通低確判定手段６０８によって当該判定処理を行うとともに（ステップＳ８８２７）、上記普通高確遊技状態にあるときには上記普通高確判定手段６０７ａによって当該判定処理を行うようにしている（ステップＳ８８３７）。
【０２３０】
そして、例えば、普通図柄の当たり判定用乱数の値として、「０」〜「３９８」までの値が用意されているとすると、上記普通低確判定手段６０８では、上記普通図柄当たり判定用乱数抽出手段６０１により取得されうる「０」〜「３９８」までの値のうちのいずれか１つのみが上記普通図柄の当たり値として記憶されている低確普通当たり値テーブルに基づいて上記普通当たりについての判定処理を行う（ステップＳ８８２７）。これにより、通常の遊技においては、「１／３９９」といった極めて低い当選確率のもとで上記普通当たりについての判定処理が行われるようになる。
【０２３１】
これに対し、上記普通高確判定手段６０７ａでは、上記普通図柄当たり判定用乱数抽出手段６０１により取得されうる「０」〜「３９８」までの値のうち、３６１個の特定の値が上記普通図柄の当たり値として記憶されている高確普通当たり値テーブルに基づいて上記普通当たりについての判定処理を行う（ステップＳ８８３７）。これにより、普通高確遊技状態においては、普通当たりが「３６１／３９９」といった高い確率にて当選されるように上記普通当たりについての判定処理が行われるようになる。
【０２３２】
そして、普通低確判定手段６０８または普通高確判定手段６０７ａによりこうして普通当たりについての判定処理が行われた結果、上記当たり値と一致する旨判定されたときには（ステップＳ８８２７またはステップＳ８８３７におけるＹＥＳ）、普通当たりフラグをＯＮにする（ステップＳ８８２８）。これに対し、当たり値と一致する旨判定されなければ（ステップＳ８８２７またはステップＳ８８３７におけるＮＯ）、普通当たりフラグはＯＮにされない（ＯＦＦにされるか、ＯＦＦのままである）。そしてその後、第１抽選・変動開始処理が既に実行済みとされた処理段階にあることが示されるように先述の第１ジョブフラグに「１」をセットしてから（ステップＳ８８３４）、当該第１抽選・変動開始処理を終了する。
【０２３３】
次に、図２２に示すように、主制御ＭＰＵ７６５ａは、第１抽選変動表示パターン設定処理が開始されると、第１ジョブフラグが「１」であるか否かを判別する（ステップＳ８８４０）。第１ジョブフラグが「１」でなければ（ステップＳ８８４０におけるＮＯ）、第１抽選変動表示パターン設定処理を終了する。
【０２３４】
ただし、第１ジョブフラグが「１」であれば（ステップＳ８８４０におけるＹＥＳ）、まず、通常遊技状態、及び普通低確遊技状態、普通高確遊技状態のいずれの状態にあるかを判別する（ステップＳ８８４２）。そしてこの結果、上記通常の遊技（通常遊技状態、普通低確遊技状態）にある旨判断されたときには、さらに先述の普通当たりフラグがＯＮであるか否かを判別する（ステップＳ８８４３）。このとき、普通当たりフラグがＯＮであれば（ステップＳ８８４３におけるＹＥＳ）、低確当たり時変動表示パターン設定処理を実行する（ステップＳ８８４４）。
【０２３５】
この低確当たり時変動表示パターン設定処理では、通常の遊技（通常遊技状態、普通低確遊技状態）における低い当選確率のもとで上記普通当たりにようやく当選されたときの普通図柄についてその変動表示パターンが設定される。より具体的には、上記所定の処理領域に記憶された乱数群のうちの普通図柄の変動パターン決定用乱数に基づいて、後述する普通図柄変動パターンテーブル（図２５参照）から、通常の遊技中における普通当たりに対応する変動パターン（変動ＰＴ）８，１０，１２，１４，１５，１７，１９，２０，２２，２４，２５のいずれか一つが設定される。なお、ステップＳ８８４４では、普通図柄表示器３３３（ＬＥＤ）の停止（点灯）態様も決定される。
【０２３６】
これに対し、普通当たりフラグがＯＮでなければ（ステップＳ８８４３におけるＮＯ）、低確外れ時変動表示パターン設定処理を実行する（ステップＳ８８４５）。この低確外れ時変動表示パターン設定処理にて設定される普通図柄の変動表示パターンは、通常の遊技（通常遊技状態、普通低確遊技状態）における低い当選確率のもとで上記普通当たりについての判定処理が行われて、この判定処理にて落選された旨判定されるたびに設定されるものである。より具体的には、上記所定の処理領域に記憶された乱数群のうちの普通図柄の変動パターン決定用乱数に基づいて、後述する普通図柄変動パターンテーブル（図２５参照）から、通常の遊技中における「はずれ」に対応する変動パターン（変動ＰＴ）１，３，５，７，９，１１，１３，１６，１８，２１，２３のいずれか一つが設定される。なお、ステップＳ８８４５では、普通図柄表示器３３３（ＬＥＤ）の停止（点灯）態様も決定される。
【０２３７】
他方、上記ステップＳ８８４２の処理にて、上記通常の遊技（通常遊技状態、普通低確遊技状態）にはなく上記普通高確遊技状態にある旨判断されたときも同様、先述の普通当たりフラグがＯＮであるか否かをまずは判別する（ステップＳ８８４６）。そしてこのとき、普通当たりフラグがＯＮであれば（ステップＳ８８４６におけるＹＥＳ）、高確当たり時変動表示パターン設定処理を実行する（ステップＳ８８４８）。またこのとき、普通当たりフラグがＯＦＦであれば（ステップＳ８８４６におけるＮＯ）、高確外れ時変動表示パターン設定処理を実行する（ステップＳ８８５０）。
【０２３８】
ここで、上記高確当たり時変動表示パターン設定処理では、上記普通高確遊技状態における「３６１／３９９」といった高い当選確率のもとで上記普通当たりに当選されたときの普通図柄についてその変動表示パターンが設定される。また、上記高確外れ時変動表示パターン設定処理では、上記普通高確遊技状態における「３６１／３９９」といった高い当選確率のもとで上記普通当たりについての判定処理が行われたにもかかわらず、上記普通当たりに当選されなかったときの普通図柄についてその変動表示パターンが設定される。
【０２３９】
ただし上述の通り、この実施の形態にかかるパチンコ機１では、普通高確遊技状態においては、普通高確判定手段６０７ａにより普通当たりが当選される都度、上記演出表示装置１１５における表示演出に要する時間（普通当たりについての演出用の時間）が確保されない例えば「１．６秒」程度の一律の短い時間だけ上記普通図柄の変動表示を行うものとなっている。したがって、上記高確当たり時変動表示パターン設定処理（ステップＳ８８４８）では、上記所定の処理領域に記憶された乱数群のうちの普通図柄の変動パターン決定用乱数に基づいて、後述する普通図柄変動パターンテーブル（図２５参照）から、普通高確遊技状態における普通当たりに対応する変動パターン（変動ＰＴ）２９が必ず設定されることとなる。なお、ステップＳ８８４４では、普通図柄表示器３３３（ＬＥＤ）の停止（点灯）態様も決定される。
【０２４０】
またさらに、これも上述したが、この実施の形態にかかるパチンコ機１では、普通高確遊技状態においては、普通高確判定手段６０７ａにより普通当たりが落選されると、普通電動役物８１の可動片が動作し得ない非動作期間を生成すべく、上記普通高確判定手段６０７ａにより普通当たりが当選されたときの変動時間よりも長い時間（例えば３０秒）をもって上記普通図柄の変動表示を行うものとなっている。したがって、上記高確外れ時変動表示パターン設定処理（ステップＳ８８５０）では、上記所定の処理領域に記憶された乱数群のうちの普通図柄の変動パターン決定用乱数に基づいて、後述する普通図柄変動パターンテーブル（図２５参照）から、普通高確遊技状態における普通当たりの落選に対応する変動パターン（変動ＰＴ）３０が必ず設定されることとなる。なお、ステップＳ８８５０では、普通図柄表示器３３３（ＬＥＤ）の停止（点灯）態様も決定される。
【０２４１】
その後、低確当たり時変動表示パターン設定処理、低確外れ時変動表示パターン設定処理、高確当たり時変動表示パターン設定処理、高確外れ時変動表示パターン設定処理のいずれかで設定された変動パターンに応じた変動時間をタイマにセットし（ステップＳ８８５２）、普図ＬＥＤ作動フラグをＯＮにセットする（ステップＳ８８５４）。この普図ＬＥＤ作動フラグがＯＮにセットされると、普通図柄表示器３３３（ＬＥＤ）での図柄変動が開始される。そしてその後、第１抽選変動表示パターン設定処理が既に実行済みとされた処理段階にあることが示されるように先述の第１ジョブフラグに「２」をセットしてから（ステップＳ８８５６）、当該第１抽選変動表示パターン設定処理を終了する。
【０２４２】
ところで、この第１抽選変動表示パターン設定処理で設定された変動パターンは、図１６に示したサブ統合基板コマンド送信処理（ステップＳ９２）によってサブ統合基板７６３に送信される。例えば、通常の遊技中において、はずれに対応して変動パターン（変動ＰＴ）１が設定された場合は、サブ統合基板７６３に対し、変動時間「１０８００」を示す第１のコマンドとしてのコマンド「４０Ｈ０１Ｈ」が送信され、これによって演出表示装置１１５においては、この変動時間「１０８００」だけ、普通図柄についての表示演出（普通はずれ演出）が行われるようになる。また、通常の遊技中において、普通当たりに対応して変動パターン（変動ＰＴ）１７が設定された場合も同様、サブ統合基板７６３に対し、変動時間「４２０００」を示す第１のコマンドとしてのコマンド「４０Ｈ１１Ｈ」が送信され、これによって演出表示装置１１５においては、この変動時間「４２０００」だけ、普通図柄についての表示演出（普通当たり演出）が行われるようになる。ただし後述するが、普通高確遊技状態において、普通当たりの当選に対応して変動パターン（変動ＰＴ）２９が設定された場合は、サブ統合基板７６３に対し、変動時間「１６００」を示す第１のコマンドとしてのコマンド「４０Ｈ１ＤＨ」が送信されるものの、演出表示装置１１５においては、この変動時間「１６００」とは関係のない表示演出が主体となって行われる。また、これも後述するが、、普通高確遊技状態において、普通当たりの落選に対応して変動パターン（変動ＰＴ）３０が設定された場合は、サブ統合基板７６３に対し、変動時間「３００００」を示す第１のコマンドとしてのコマンド「４０Ｈ１ＥＨ」が送信されるものの、演出表示装置１１５においては、この変動時間「３００００」とは本来は関係のない特別図柄側の表示演出に影響をあえて及ぼすようにしている。なお、サブ統合基板７６３側における表示演出処理については、後述する。
【０２４３】
次に、図２３に示すように、主制御ＭＰＵ７６５ａは、第１変動中処理が開始されると、第１ジョブフラグが「２」であるか否かを判別する（ステップＳ８８６０）。第１ジョブフラグが「２」でなければ（ステップＳ８８６０におけるＮＯ）、第１変動中処理を終了する。一方、第１ジョブフラグが「２」であれば（ステップＳ８８６０におけるＹＥＳ）、さらにステップＳ８８５２でタイマにセットされた変動時間がタイムアップしたか否かを判別する（ステップＳ８８６２）。タイマにセットされた変動時間がタイムアップしていなければ（ステップＳ８８６２におけるＮＯ）、第１変動中処理を終了する。
【０２４４】
タイマにセットされた変動時間がタイムアップしていれば（ステップＳ８８６２におけるＹＥＳ）、普図ＬＥＤ作動フラグをＯＦＦにセットする（ステップＳ８８６４）。この普図ＬＥＤ作動フラグがＯＦＦにセットされると、普通図柄表示器３３３（ＬＥＤ）での図柄変動が終了する。また、演出表示装置１１５にて普通図柄についての表示演出（装飾図柄の変動表示など）が行われているとき（通常の遊技中）にはこれを終了させるべく、サブ統合基板７６３に対し、同表示演出にて普通判定の結果が確定表示されるべき旨を示す確定停止コマンド（例えば、コマンド「４ＦＨ０１Ｈ」）をセットする（ステップＳ８８６６）。なお、この確定停止コマンドは、図１６に示したサブ統合基板コマンド送信処理（ステップＳ９２）によってサブ統合基板７６３に送信されるが、詳細は後述する。
【０２４５】
次いで、普通当たりフラグがＯＮであるか否かを判断する（ステップＳ８８６８）。普通当たりフラグがＯＮであれば（ステップＳ８８６８におけるＹＥＳ）、第１変動中処理にて普通当たりに当選されたことが確定表示された処理段階にあることが示されるように先述の第１ジョブフラグに「３」をセットしてから（ステップＳ８８７０）、当該第１変動中処理を終了する。一方、普通当たりフラグがＯＮでなければ（ステップＳ８８６８におけるＮＯ）、第１変動中処理にて普通当たりに当選されなかったことが確定表示された処理段階（普通図柄の図柄変動についての実行待ちの処理段階）にあることが示されるように先述の第１ジョブフラグに「０」をセットしてから（ステップＳ８８７２）、当該第１変動中処理を終了する。
【０２４６】
次に、図２４に示すように、主制御ＭＰＵ７６５ａは、第１当たり役物作動処理が開始されると、第１ジョブフラグが「３」であるか否かを判別する（ステップＳ８８８０）。第１ジョブフラグが「３」でなければ（ステップＳ８８８０におけるＮＯ）、第１当たり役物作動処理を終了する。ただし、第１ジョブフラグが「３」であれば（ステップＳ８８８０におけるＹＥＳ）、通常遊技状態、普通低確遊技状態、普通高確遊技状態のいずれの遊技状態にあるのかを判断する（ステップＳ８８８２、ステップＳ８８８８）。
【０２４７】
ここで、通常遊技状態にある旨判断されたときは（ステップＳ８８８２、ステップＳ８８８８にてそれぞれＮＯ）、通常遊技状態にあるときに上記普通電動役物８１による開放動作が行われるときの時間として、通常時の開放動作時間（例えば「５０００ｍｓ」）をタイマにセットする（ステップＳ８８９０）。これに対し、普通低確遊技状態や普通高確遊技状態にある旨判断されたときには、通常時の開放動作時間「５秒」よりも長い時間が上記普通電動役物８１による開放動作が行われるときの時間として設定されて、通常遊技状態にあるときよりも上記特別始動有賞口８２に遊技球が入球され易くする機能（時短機能）が作動するようにしている。
【０２４８】
なお、この実施の形態では、普通低確遊技状態にある旨判断されたときは（ステップＳ８８８２にてＮＯ、ステップＳ８８８８にてＹＥＳ）、普通低確遊技状態にあるときに上記普通電動役物８１による開放動作が行われるときの時間として、第１の長開放時間（例えば「５５００ｍｓ」）がタイマにセットされる（ステップＳ８８８９）。また、普通高確遊技状態にある旨判断されたときは（ステップＳ８８８２にてＹＥＳ）、普通高確遊技状態にあるときに上記普通電動役物８１による開放動作が行われるときの時間として、第２の長開放時間（例えば「６０００ｍｓ」）がタイマにセットされる（ステップＳ８８８４）。
【０２４９】
ここで、こうしてタイマにセットされうる上記通常時の開放動作時間、第１の長開放時間、第２の長開放時間のうち、遊技者にとって最も有利とされるものは、上記特別始動有賞口８２に対して遊技球が入球可能とされる時間が最も長くされる第２の長開放時間である。ただし、この実施の形態にかかるパチンコ機１では、遊技者にとって最も有利とされる上記第２の長開放時間がセットされなかったときに限り、上記セットされた開放時間（第１の長開放時間、または通常時の開放動作時間）分だけ特別始動有賞口８２に遊技球を入球させることを促すような演出が上記演出表示装置１１５にて現れるべく、サブ統合基板７６３に対してその演出パターンを指示するコマンドである電役開放演出パターンコマンド（第１の電役開放演出パターンコマンド、または通常時の電役開放演出パターンコマンド）を送信する（ステップＳ８８８６、ステップＳ８８８７）。具体的には、通常時の電役開放演出パターンコマンドとしてコマンド「５０Ｈ０２Ｈ」を、第１の電役開放演出パターンコマンドとしてコマンド「５０Ｈ０３Ｈ」を送信し、これを受信したサブ統合基板７６３は、コマンド「５０Ｈ０２Ｈ」であるときには通常時の開放動作時間だけ、コマンド「５０Ｈ０３Ｈ」であるときには第１の長開放時間だけ、遊技者に特別始動有賞口８２を狙わせる旨の演出パターン（「特別始動有賞口８２に遊技球を入れろ！」などといった演出パターン）を演出表示装置１１５に表示する。
【０２５０】
すなわちこの場合、遊技者にとって最も有利とされる上記第２の長開放時間がセットされたときには、電役開放演出パターンコマンドの送信は行われないこととなる。ただし上述の通り、第２の長開放時間がセットされるときには、上記普通始動無賞口８９及び上記特別始動有賞口８２に対しての流下経路に遊技球が継続して打ち込まれている状況において、普通判定にて普通当たりがほぼ当選されて「１．６秒」単位で次々と消化される都度、上記特別始動有賞口８２が長期にわたって開放される状況となっていることから、特別始動有賞口８２を狙わせる旨の演出パターンに切り替えてこれを演出表示装置１１５にわざわざ表示させなくても、同有賞口８２には遊技球が入球されて遊技者に不利益がない遊技性とされている。このように、多量の遊技球が獲得可能とされる特別遊技がこうして行われているときには、普通図柄側の演出を基本的には行わなくても遊技者に不利益がない遊技性を実現したことによって、その特別図柄の変動時間を要して、同遊技が実行可能とされる状態（普通高確遊技状態）が継続されるかやその図柄変動がどれだけ継続されるかについての特別図柄側の表示演出が上記演出表示装置１１５における主演出として現れるようにすることが可能となる。
【０２５１】
そして、こうしてタイマがセットされた時間だけ上記特別始動有賞口８２が開放されるように、普通役物駆動機構３３４により上記普通電動役物８１による開放動作を行わせる電役開放制御を行う（ステップＳ８８９２）。そして、タイマがセットされた時間（通常時の開放動作時間、第１の長開放時間、第２の長開放時間）経過したか否かを判定する（ステップＳ８８９４）。タイマが所定時間経過していれば（ステップＳ８８９４のおけるＹＥＳ）、普通役物駆動機構３３４による上記普通電動役物８１についての開放動作を停止させて、特別始動有賞口８２についての閉鎖動作を行う電役閉鎖制御を行い（ステップＳ８８９６）、その後、第１当たり役物作動処理が既に実行済みとされた処理段階（普通図柄の図柄変動についての実行待ちの処理段階）にあることが示されるように先述の第１ジョブフラグに「０」をセットしてから（ステップＳ８８９８）、当該第１当たり役物作動処理を終了する。なお、タイマが所定時間経過していなければ（ステップＳ８８９４のおけるＮＯ）、ステップＳ８８９４に戻り、タイマが所定時間経過するまで電役開放制御を実行する。
【０２５２】
ちなみに、図２４に示す第１当たり役物作動処理は、実際には、主制御基板７６５における処理とサブ統合基板７６３における処理とが、各基板におけるタイマ割り込みに従って独立して実行される。ただしここでは、説明の便宜と理解の容易のため、主制御基板７６５における処理とサブ統合基板７６３における処理とを、一連の処理として連続したシーケンシャル処理として説明している。
【０２５３】
ここで、図２５に示す普通図柄の変動パターンテーブルに基づいて、各種コマンド（変動パターン）と演出表示装置１１５に表示される変動内容との関係について説明する。主制御基板７６５から送信される上記第１の遊技制御手段６０２（図１３参照）にかかるコマンド（変動パターン）は、いずれも、２バイトのデータで構成されており、各コマンド（変動パターン）には、変動内容、普通図柄についての当落情報および変動時間にかかる情報が含まれている。そして、主制御基板７６５から送信されたコマンド（変動パターン）がサブ統合基板７６３により受信されると、当該サブ統合基板７６３により当該コマンド（変動パターン）が解釈される。そして、当該コマンド（変動パターン）に基づいて液晶制御基板７５８の動作制御や演出表示装置１１５での表示制御が行われる。なお、本実施の形態では、各コマンド（変動パターン）は、コマンドの種類を示す「ステータス」、および、当該ステータスに従って実行される内容を示す「モード」、という二つのデータ部から構成されている。例えば、コマンド「４０Ｈ０１Ｈ」では、先頭の「４０Ｈ」がステータスを示し、末尾の「０１Ｈ」がモードを示している。
【０２５４】
＜７．特別図柄及び特別電動役物制御処理＞
次に、特別図柄及び特別電動役物制御処理（第２遊技処理）の詳細について説明する。図２６は第２遊技処理の一例を示すフローチャートであり、図２７は第２抽選・変動開始処理の一例を示すフローチャートであり、図２８は第２抽選変動表示パターン設定処理の一例を示すフローチャートであり、図３０は第２変動中処理の一例を示すフローチャートであり、図３５は大当たり遊技開始処理の一例を示すフローチャートであり、図３６は特別電動役物大当たり制御処理の一例を示すフローチャートである。
【０２５５】
図１６に示した主制御側タイマ割り込み処理におけるステップＳ８６の特別図柄及び特別電動役物制御処理を、以下では「第２遊技処理」として説明する。主制御ＭＰＵ７６５ａは、図２６に示すように、「第２遊技処理」として、第２抽選・変動開始処理（ステップＳ８６０２）、第２抽選変動表示パターン設定処理（ステップＳ８６０４）、第２変動中処理（ステップＳ８６０６）、大当たり遊技開始処理（ステップＳ８６１０）、および、特別電動役物大当たり制御処理（ステップＳ８６１２）を順に行う。以下、各処理の詳細について説明する。
【０２５６】
まず、図２７に示すように、主制御ＭＰＵ７６５ａは、第２抽選・変動開始処理が開始されると、第２ジョブフラグが「０」であるか否かを判別する（ステップＳ８６３０）。この第２ジョブフラグとは、特別図柄に関する処理段階を指示するものである。
【０２５７】
例えば、この第２ジョブフラグが「０」であれば（ステップＳ８６３０におけるＹＥＳ）、特別図柄の図柄変動についての実行待ち（普通高確遊技状態にあるときであれば、例えば、演出表示装置１１５においてデモ画面が表示されている状態）の処理段階にあることから、まず、第２始動検出フラグがＯＮであるか否かを判別する（ステップＳ８６３２）。この第２始動検出フラグは、特別始動有賞口８２に遊技球が入球したことが特別始動有賞センサ３１８により検出されると、スイッチ入力処理（ステップＳ７４）によりＯＮにセットされるものである。したがって、この第２始動検出フラグがＯＮであれば（ステップＳ８６３２におけるＹＥＳ）、特別図柄についての始動条件が成立されたとして、上記特別図柄当たり判定用乱数抽出手段６１１（図１３参照）により取得される乱数に基づいて、特別図柄についての判定処理を行うこととなる。なお、第２ジョブフラグが「０」でなければ（ステップＳ８６３０におけるＮＯ）、第２抽選・変動開始処理を終了する。
【０２５８】
ここで、特別図柄についての判定処理は、上記特別図柄当たり判定用乱数抽出手段６１１（図１３参照）により取得される乱数のうちの上記当否判定用乱数（特別図柄の当たり判定用乱数）の値が予め定められた特別図柄の当たり値と一致するか否かを判別することにより行われる。ただし上述の通り、この実施の形態にかかる第２遊技制御手段６１２（図１３参照）は、上記特別図柄当たり判定用乱数抽出手段６１１により取得されうる乱数値の全てが上記特別図柄の当たり値として記憶されている特別当たり値テーブルに基づいて上記特別当たりについての判定処理を行う（ステップＳ８６３６）。
【０２５９】
したがって、この実施の形態における特別当たりについての判定処理では、遊技状態にかかわらず特別当たりが必ず当選されて（ステップＳ８６３６におけるＹＥＳ）、特別当たりフラグがＯＮにされることから（ステップＳ８６３８）、特別当たりフラグがＯＮにされない（ＯＦＦにされるか、ＯＦＦのまま）ことがない。そしてその後、第２抽選・変動開始処理が既に実行済みとされた処理段階にあることが示されるように先述の第２ジョブフラグに「１」をセットしてから（ステップＳ８６４２）、当該第２抽選・変動開始処理を終了する。
【０２６０】
次に、図２８に示すように、主制御ＭＰＵ７６５ａは、第２抽選変動表示パターン設定処理が開始されると、第２ジョブフラグが「１」であるか否かを判別する（ステップＳ８６５０）。第２ジョブフラグが「１」でなければ（ステップＳ８６５０におけるＮＯ）、第２抽選変動表示パターン設定処理を終了する。
【０２６１】
ただし、第２ジョブフラグが「１」であれば（ステップＳ８６５０におけるＹＥＳ）、まず、通常遊技状態、及び普通低確遊技状態、普通高確遊技状態のいずれの状態にあるかを判別する（ステップＳ８６５１）。そしてこの結果、上記通常の遊技（通常遊技状態、普通低確遊技状態）にある旨判断されたときには、さらに先述の特別当たりフラグがＯＮであるか否かを判別する（ステップＳ８６５２）。このとき、特別当たりフラグがＯＮであれば（ステップＳ８６５２におけるＹＥＳ）、通常当たり時変動表示パターン設定処理を実行する（ステップＳ８６５４）。
【０２６２】
この通常当たり時変動表示パターン設定処理では、通常の遊技（通常遊技状態、普通低確遊技状態）における低い当選確率のもとで上記普通当たりにようやく当選されて、該当選に応じて開放された上記特別始動有賞口８２に遊技球が入球したときの特別図柄についてその変動表示パターンが設定される。より具体的には、特別図柄当たり判定用乱数抽出手段６１１（図１３参照）により取得された乱数のうちの特別図柄の変動パターン決定用乱数に基づいて、特別図柄変動パターンテーブルから、通常の遊技中における特別当たりに対応する変動パターンが設定される。なお、ステップＳ８６５４では、特別図柄表示器３３２（ＬＥＤ）の停止（点灯）態様も決定される。
【０２６３】
これに対し、特別当たりフラグがＯＮでなければ（ステップＳ８６５２におけるＮＯ）、通常外れ時変動表示パターン設定処理を実行する（ステップＳ８６５３）。この通常外れ時変動表示パターン設定処理にて設定される特別図柄の変動表示パターンは、通常の遊技（通常遊技状態、普通低確遊技状態）において上記特別当たりについての判定処理にて落選されたときに設定されるものである。ただし上述の通り、この実施の形態にかかるパチンコ機１では、遊技状態にかかわらず特別当たりが必ず当選されるようになっていることから、特別当たりフラグも必ずＯＮになっており、通常外れ時変動表示パターン設定処理が実行されることはない。
【０２６４】
他方、上記ステップＳ８６５１の処理にて、上記通常の遊技（通常遊技状態、普通低確遊技状態）にはなく上記普通高確遊技状態にある旨判断されたときも同様、先述の特別当たりフラグがＯＮであるか否かをまずは判別する（ステップＳ８６５５）。そしてこのとき、特別当たりフラグがＯＮであれば（ステップＳ８６５５におけるＹＥＳ）、特別当たり時変動表示パターン設定処理を実行する（ステップＳ８６５６）。またこのとき、特別当たりフラグがＯＦＦであれば（ステップＳ８６５５におけるＮＯ）、特別外れ時変動表示パターン設定処理を実行する（ステップＳ８６５７）。
【０２６５】
ここで、上記特別当たり時変動表示パターン設定処理とは、普通高確遊技状態において、上記特別始動有賞口８２への遊技球の入球に基づいて上記第２遊技制御手段６１２（図１３参照）により特別判定が行われ、該特別判定の結果に基づいて特別図柄を変動させる際に該変動に要する時間を決定すべく行われる処理である（第２遊技制御手段６１２、賞球分配設定手段６０７ｄ）。
【０２６６】
すなわち、この特別当たり時変動表示パターン設定処理では、まず、特別図柄の図柄乱数に基づいて上記特別図柄の変動表示が停止された後の大当たり遊技にかかる実行態様や、該大当たり遊技後に発生する遊技状態（普通高確遊技状態、普通低確遊技状態）を判定する。そしてこの結果、普通高確遊技状態が発生される旨判定されたときには、特別図柄の変動パターン乱数に基づいて、変動中特別遊技と大当たり遊技とで上記特別遊技における賞球数が分配されるように当該特別図柄の変動に要する時間についての抽選を行う。
【０２６７】
より具体的には、図２９に示されるように、普通高確遊技状態が発生される旨判定されたときには、上記特別図柄の変動表示が停止された後の大当たり遊技にかかる実行態様（ここではラウンド数）の別に、特別図柄の変動時間についての決定に供される第１の時間決定用テーブルが用意されている。なお、この実施の形態にかかる主制御ＭＰＵ７６５ａでは、図柄乱数に基づいて、「８２／１００」の確率で普通高確遊技状態を発生させる旨判定されたときには、そのうちの概ね３４％が２ラウンドだけラウンド遊技が繰り返されるように大当たり遊技を行う当選種であり、そのうちの概ね３３％が１０ラウンドだけラウンド遊技が繰り返されるように大当たり遊技を行う当選種であり、概ね３３％が１５ラウンドだけラウンド遊技が繰り返されるように大当たり遊技を行う当選種となるようになっている。
【０２６８】
そして、上記特別図柄の変動パターン乱数として例えば「０」〜「９９」までの値が取得され得るとすると、大当たり遊技にかかる実行態様が２ラウンドだけラウンド遊技が繰り返されるもの（多量の賞球が払い出されない大当たり遊技）であるときに参照される第１の時間決定用テーブルでは、これら「０」〜「９９」までの値のうち、１０個の特定の値が変動番号２（変動時間「６０００ｍｓ」）に割り振られており（出現確率２．７９％）、１０個の特定の値が変動番号５（変動時間「６００００ｍｓ」）に割り振られており（出現確率２．７９％）、８０個の特定の値が変動番号６（変動時間「１８００００ｍｓ」）に割り振られている（出現確率２２．３％）。
【０２６９】
また、大当たり遊技にかかる実行態様が１０ラウンドだけラウンド遊技が繰り返されるもの（１０００発程度の多量の賞球が払い出される大当たり遊技）であるときに参照される第１の時間決定用テーブルでは、「０」〜「９９」までの変動パターン乱数の値のうち、３３個の特定の値が変動番号３（変動時間「１００００ｍｓ」）に割り振られており（出現確率８．９３％）、３４個の特定の値が変動番号４（変動時間「３００００ｍｓ」）に割り振られており（出現確率９．２％）、３３個の特定の値が変動番号５（変動時間「６００００ｍｓ」）に割り振られている（出現確率８．９３％）。
【０２７０】
また、大当たり遊技にかかる実行態様が１５ラウンド（１５００発程度の多量の賞球が払い出される大当たり遊技）だけラウンド遊技が繰り返されるものであるときに参照される第１の時間決定用テーブルでは、「０」〜「９９」までの変動パターン乱数の値のうち、６６個の特定の値が変動番号１（変動時間「３０００ｍｓ」）に割り振られており（出現確率１７．８６％）、３３個の特定の値が変動番号３（変動時間「１００００ｍｓ」）に割り振られており（出現確率８．９３％）、１個の特定の値が変動番号６（変動時間「１８００００ｍｓ」）に割り振られている（出現確率０．２７％）。
【０２７１】
他方、普通低確遊技状態が発生される旨判定されたときには、上記特別図柄の変動表示が停止された後の大当たり遊技にかかる実行態様（ここではラウンド数）の別に、特別図柄の変動時間についての決定に供される第２の時間決定用テーブルが用意されている。なお、この実施の形態にかかる主制御ＭＰＵ７６５ａでは、図柄乱数に基づいて、「１８／１００」の確率で普通低確遊技状態を発生させる旨判定されたときには、そのうちの概ね９５％が２ラウンドだけラウンド遊技が繰り返されるように大当たり遊技を行う当選種であり、そのうちの概ね５％が１５ラウンドだけラウンド遊技が繰り返されるように大当たり遊技を行う当選種となるようになっている。
【０２７２】
そして、大当たり遊技にかかる実行態様が２ラウンドだけラウンド遊技が繰り返されるもの（多量の賞球が払い出されない大当たり遊技）であるときに参照される第２の時間決定用テーブルでは、「０」〜「９９」までの変動パターン乱数の値のうち、９０個の特定の値が変動番号２（変動時間「６０００ｍｓ」）に割り振られており（出現確率１５．３９％）、１０個の特定の値が変動番号５（変動時間「６００００ｍｓ」）に割り振られている（出現確率１．７１％）。
【０２７３】
また、大当たり遊技にかかる実行態様が１５ラウンド（１５００発程度の多量の賞球が払い出される大当たり遊技）だけラウンド遊技が繰り返されるものであるときに参照される第２の時間決定用テーブルでは、「０」〜「９９」までの変動パターン乱数の値の全てが変動番号３（変動時間「１００００ｍｓ」）に割り振られている（出現確率０．９％）。
【０２７４】
このような第１の時間決定用テーブルおよび第２の時間決定用テーブルのうち、第１の時間決定用テーブルによれば、普通高確遊技状態が発生される旨判定されたときには、大当たり遊技において遊技者が獲得可能とされる最大賞球数を決定付ける上記ラウンド数が多いときほど、変動中特別遊技において遊技者が獲得可能とされる最大賞球数を決定付ける上記特別図柄の変動時間が短い傾向となるように、図柄変動に要する時間および該図柄変動が停止された後の大当たり遊技の実行態様がそれぞれ決定されるようになる。ただし、この実施の形態では、大当たり遊技後にいずれの遊技状態が発生されるかにかかわらず、１５ラウンドの大当たり遊技が行われるときの変動時間の期待値と、１０ラウンドの大当たり遊技が行われるときの変動時間の期待値と、２ラウンドの大当たり遊技が行われるときの変動時間の期待値とを比較しても、ラウンド数（賞球数）が多くなるほど変動時間の期待値が大きくなるようにしている。
【０２７５】
ここで、最も変動時間が短くされた変動番号１（変動時間「３０００ｍｓ」）については、遊技者が獲得可能とされる最大賞球数が最も多い１５ラウンドであるときの専用の変動時間として用意されていることから、特別図柄の変動表示が開始されてからすぐに変動表示が停止されたときには、１５ラウンドの大当たり遊技がその時点から開始されることとなる。この変動番号１の当選種によれば、特別図柄の変動表示が開始されてから３秒経過しただけで１５ラウンドの大当たり遊技が行われることが確定されてこの大当たり遊技がすぐに実行開始されるようになることはもとより、この大当たり遊技後には普通高確遊技状態に制御されることも確定されるようになる。したがって、普通高確遊技状態において特別当たりに当選される都度、この変動番号１の当選種ばかりが採用されるようなことがあれば、遊技者は、特別図柄の変動に要する時間を好適に削減しつつ、多量の賞球が払い出され得る大当たり遊技が連続実行されるかのような遊技を行うことができるようになる。
【０２７６】
また、変動番号２（変動時間「６０００ｍｓ」）が採用されたときには、この特別図柄の変動表示が停止された後の大当たり遊技において多量の賞球が払い出されないことが確定されるようにしている。この変動番号２では、普通高確遊技状態にあるときに上記特別始動有賞口８２が開放されるときの開放時間（６秒）以下の変動時間が設定されている。すなわちこの場合、遊技者は、特別図柄の変動時間「６０００ｍｓ」中に普通始動無賞口８９に対する遊技球の繰り返しの打ち込みによって上記普通当たりを何回当選させることができるかについてのゲーム性、さらにはこのゲーム性を通じて付与される多量の賞球数の獲得機会を享受することできないばかりか、その後の大当たり遊技においても多量の賞球が獲得されないことが確定されることとなる。このように、多量の賞球が獲得可能とされる特別遊技が上記特別図柄の変動中と大当たり遊技とのいずれにおいても実行されない当選種（変動番号２）を含ませておくことで、当該パチンコ機１としての出玉率に余裕を持たせることができるようになる。しかも、変動番号２（変動時間「６０００ｍｓ」）が採用されたときには、上述の該当部分の出現率との関係から、普通高確遊技状態が発生される可能性は残しつつも、普通低確遊技状態がほぼ発生されるようにしていることから、この点でも当該パチンコ機１としての出玉率に余裕を持たせることができるようになる。
【０２７７】
また、変動番号３（変動時間「１００００ｍｓ」）が採用されたときには、普通高確遊技状態にあるときに上記特別始動有賞口８２が開放されるときの開放時間（６秒）との関係から、この特別図柄の変動時間「１００００ｍｓ」中に普通始動無賞口８９に対する遊技球の繰り返しの打ち込みによって上記普通当たりを何回当選させることができるかについてのゲーム性、さらにはこのゲーム性を通じて付与される多量の賞球数の獲得機会を享受することができるようになる。しかも、この特別図柄の変動表示が停止された後の大当たり遊技においても、１０ラウンド若しくは１５ラウンドの大当たり遊技が行われるようになっており、このうちの１５ラウンドが採用されたときには、遊技者は、大当たり遊技にて得られる賞球数の限界を超えたより多くの賞球数を獲得しうるようになる。ただし、１０ラウンドおよび１５ラウンドのうち、１５ラウンドが採用されたときにのみ、こうしたメリットを享受し得るようになることの代償として、大当たり遊技後に普通低確遊技状態に制御されてしまうリスクを持たせるようにしている。したがって、演出表示装置１１５において、１０ラウンドと１５ラウンドとのいずれのラウンド数分だけラウンド遊技が行われるのかを秘匿にしつつ演出表示を行うようにすれば、遊技者としては、１０ラウンドのラウンド遊技が繰り返されたときに、普通低確遊技状態に制御されてしまうリスクを負うことなく当該大当たり遊技が終了するのか、若しくはこうしたリスクを負ってまでも大当たり遊技にて得られる賞球数の限界を超えたより多くの賞球数を獲得しうるようになるのかについての演出を行うことができるようになる。
【０２７８】
また、変動番号４（変動時間「３００００ｍｓ」）が採用されたときには、普通高確遊技状態にあるときに上記特別始動有賞口８２が開放されるときの開放時間（６秒）との関係から、この特別図柄の変動時間「３００００ｍｓ」中に普通始動無賞口８９に対する遊技球の繰り返しの打ち込みによって上記普通当たりを何回当選させることができるかについてのゲーム性、さらにはこのゲーム性を通じて付与される多量の賞球数の獲得機会を享受することができるようになる。しかも、この特別図柄の変動表示が停止された後の大当たり遊技においても、１０ラウンドの大当たり遊技が行われるとともに、この大当たり遊技後には普通高確遊技状態に制御されるようにしている。すなわちこの場合、変動中特別遊技にて３５０発前後、その後の大当たり遊技にて１０００発程度の出球が最大で獲得可能とされるとともに、普通高確遊技状態に制御されることが確定されることから、遊技者にとってバランスの取れた当選種であるといえる。
【０２７９】
また、変動番号５（変動時間「６００００ｍｓ」）が採用されたときには、普通高確遊技状態にあるときに上記特別始動有賞口８２が開放されるときの開放時間（６秒）との関係から、この特別図柄の変動時間「３００００ｍｓ」中に普通始動無賞口８９に対する遊技球の繰り返しの打ち込みによって上記普通当たりを何回当選させることができるかについてのゲーム性、さらにはこのゲーム性を通じて付与される多量の賞球数の獲得機会を享受することができるようになる。ただし、変動中特別遊技がこうして行われた後には、１０ラウンド若しくは１５ラウンドの大当たり遊技が行われるようになっており、このうちの２ラウンドが採用されたときには、大当たり遊技後に普通低確遊技状態に制御されてしまうリスクを持たせるようにしている。したがって、演出表示装置１１５において、１０ラウンドと２ラウンドとのいずれのラウンド数分だけラウンド遊技が行われるのかを秘匿にしつつ演出表示を行うようにすれば、遊技者としては、まずは、２ラウンドだけで大当たり遊技がすぐに終了しないことを願いつつ遊技することとなり、この結果、大当たり遊技が２ラウンドを超えて継続すれば、変動中特別遊技にて７００発前後、その後の大当たり遊技にて１０００発程度の出球が最大で獲得可能とされるとともに、普通高確遊技状態に制御されることが確定されるようになり、遊技者にとってバランスの取れた有利な遊技状況となる。その一方で、２ラウンドだけで大当たり遊技がすぐに終了してしまった場合には、その後に普通高確遊技状態に制御されることを願いつつ遊技することとなる。
【０２８０】
また、変動番号６（変動時間「１８００００ｍｓ」）が採用されたときには、この特別図柄の変動時間中に普通当たりに落選されて上記賞球削減抽選手段６０７ｂにより遊技者が獲得可能な最大賞球数が削減されなければ、変動中特別遊技だけで２０００個前後の賞球が払い出されることとなり、従来のパチンコ機における大当たり１回分の賞球数と比較しても遊技対価として十分な賞球数を獲得することが可能になる。しかも、この変動番号６の当選種によれば、変動中特別遊技だけで２０００個前後の賞球が払い出され得ることはもとより、普通高確遊技状態に制御されることも確定されるようになる。そして通常は、多量の賞球が獲得可能とされるように上記変動中特別遊技が行われた後の大当たり遊技においては、多量の賞球が獲得可能とされないようにアタッカ装置９８の開閉動作が短時間（２ラウンド）だけ行われて終了とされることから、普通高確遊技状態において特別当たりに当選される都度、この変動番号６の当選種ばかりが採用されるようなことがあれば、遊技者は、大当たり遊技に要する時間を好適に削減しつつ、多量の賞球が払い出され得る変動中特別遊技が連続実行されるかのような遊技を行うことができるようになる。またさらに、この変動番号６の当選種では、多量の賞球が払い出され得る変動中特別遊技が行われた後に、プレミアとして、１５ラウンドの大当たり遊技が行われる可能性を持たせるようにしている。すなわちこの場合、変動中特別遊技にて２０００発前後、その後の大当たり遊技にて１５００発程度の出球が最大で獲得可能とされるとともに、普通高確遊技状態に制御されることが確定されるようになり、遊技者にとって最も有利な遊技状況とされるようになる。したがって、演出表示装置１１５において、１５ラウンドと２ラウンドとのいずれのラウンド数分だけラウンド遊技が行われるのかを秘匿にしつつ演出表示を行うようにすれば、遊技者としては、２ラウンドだけで大当たり遊技がすぐに終了するだろうとは思いながらも、もしかすると１５ラウンドかもしれない可能性を意識しつつ遊技することとなり、この結果、大当たり遊技が２ラウンドを超えて継続したときにはその喜びも極めて大きなものとなる。
【０２８１】
なお上述の通り、これら変動番号１〜６のうち、変動番号１、２の変動時間については、普通高確遊技状態にあるときに上記特別始動有賞口８２が開放されるときの開放時間（６秒）以下の変動時間が設定されており、遊技者は、上述のゲーム性を通じて付与される多量の賞球数の獲得機会を享受することができないことから、多量の賞球が獲得可能とされる変動中特別遊技とはいえない。したがって、変動番号１、２の当選種が採用された場合には、特別図柄の変動表示が停止された後の大当たり遊技のみにて特別遊技が行われることとなる。ただし、この大当たり遊技としても、２ラウンドのラウンド遊技が繰り返されるものについては、多量の賞球が獲得可能とされないようにアタッカ装置９８の開閉動作が短時間（２ラウンド）だけ行われるものとなっていることから、多量の賞球が獲得可能とされる特別遊技とはいえない。したがって、変動番号２の当選種のうち、２ラウンドが採用された場合に多量の賞球が獲得可能とされるは特別遊技が行われることなく、普通高確遊技状態若しくは普通低確遊技状態に制御されることとなる。また逆に、変動番号５、６の当選種において、２ラウンドが採用された場合には、特別図柄の変動時間中の変動中特別遊技のみにて特別遊技が行われることとなる。
【０２８２】
ところで、普通高確遊技状態において特別当たりフラグがＯＮであれば（ステップＳ８６５５におけるＹＥＳ）、特別当たりの当選時の変動パターンは、このように大当たり遊技の実行態様や大当たり遊技後の遊技状態との関係で、特別図柄の変動パターン乱数に基づいて決定される（特別当たり時変動表示パターン設定処理）。これに対し、普通高確遊技状態において特別当たりフラグがＯＮでなければ（ステップＳ８６５５におけるＮＯ）、特別外れ時変動表示パターン設定処理を実行する（ステップＳ８６５７）。この特別外れ時変動表示パターン設定処理にて設定される特別図柄の変動表示パターンは、普通高確遊技状態において上記特別当たりについての判定処理にて落選されたときに設定されるものである。ただし上述の通り、この実施の形態にかかるパチンコ機１では、遊技状態にかかわらず特別当たりが必ず当選されるようになっていることから、特別当たりフラグも必ずＯＮになっており、特別外れ時変動表示パターン設定処理が実行されることはない。
【０２８３】
そして、こうして特別図柄の変動パターン（変動時間）が決定された後、該決定された変動パターンを当選情報コマンド（特別当たりの当落やその当選種を示すコマンド）とともにセットする（ステップＳ８６５８）。さらに、同設定された変動パターンに応じた変動時間をタイマにセットし（ステップＳ８６６０）、特図ＬＥＤ作動フラグをＯＮにセットする（ステップＳ８６６２）。この特図ＬＥＤ作動フラグがＯＮにセットされると、特別図柄表示器３３２（ＬＥＤ）での図柄変動が開始される。その後、先述の第２ジョブフラグに「２」をセットし（ステップＳ８６６４）、第２抽選変動表示パターン設定処理を終了する。
【０２８４】
そして、この第２抽選変動表示パターン設定処理で設定された変動パターンは、図１６に示したサブ統合基板コマンド送信処理（ステップＳ９２）によってサブ統合基板７６３に送信される。例えば、通常遊技状態における特別当たりに対応して変動パターン「１」が設定されると、サブ統合基板７６３に変動時間「１８００００ｍｓ」のコマンド「１０Ｈ０１Ｈ」が送信される。また、普通低確遊技状態における特別当たりに対応して変動パターン「６」が設定された場合は、サブ統合基板７６３に変動時間「１８００００ｍｓ」のコマンド「１０Ｈ０３Ｈ」が送信される。これにより、サブ統合基板７６３側による制御を通じて、上記演出表示装置１１５における後述の演出表示を実現することができるようになる。
【０２８５】
次に、図３０に示すように、主制御ＭＰＵ７６５ａは、第２変動中処理が開始されると、第２ジョブフラグが「２」であるか否かを判別する（ステップＳ８６７０）。第２ジョブフラグが「２」でなければ（ステップＳ８６７０におけるＮＯ）、第２変動中処理を終了する。一方、第２ジョブフラグが「２」であれば（ステップＳ８６７０におけるＹＥＳ）、さらにステップＳ８６６０でタイマにセットされた変動時間がタイムアップしたか否かを判別する（ステップＳ８６７２）。タイマにセットされた変動時間がタイムアップしていなければ（ステップＳ８６７２におけるＮＯ）、第２変動中処理を終了する。
【０２８６】
タイマにセットされた変動時間がタイムアップしていれば（ステップＳ８６７２におけるＹＥＳ）、特図ＬＥＤ作動フラグをＯＦＦにセットする（ステップＳ８６７４）。この特図ＬＥＤ作動フラグがＯＦＦにセットされると、特別図柄表示器３３２（ＬＥＤ）での図柄変動が終了する。また、演出表示装置１１５にて特別図柄についての表示演出（特別遊技が実行可能とされる普通高確遊技状態が継続されるか否かについての表示演出など）が行われているとき（普通高確遊技状態にあるとき）にはこれを終了させるべく、サブ統合基板７６３に対し、同表示演出における演出結果が確定表示されるべき旨を示す確定停止コマンド（例えば、コマンド「１ＦＨ０１Ｈ」）をセットする（ステップＳ８６７６）。なお、この確定停止コマンドは、図１６に示したサブ統合基板コマンド送信処理（ステップＳ９２）によってサブ統合基板７６３に送信されるが、詳細は後述する。
【０２８７】
次いで、特別当たりフラグがＯＮであるか否かを判断する（ステップＳ８６７８）。特別当たりフラグがＯＮであれば（ステップＳ８６７８におけるＹＥＳ）、特別当たりに当選されたことが示されるように上記特別図柄についての変動表示が停止された処理段階にあるとして、先述の第２ジョブフラグに「３」をセットしてから（ステップＳ８６８０）、当該第２変動中処理を終了する。一方、特別当たりフラグがＯＮでなければ（ステップＳ８６７８におけるＮＯ）、特別当たりに当選されなかったことが示されるように特別当たりについての変動表示が停止された処理段階にあるとして、先述の第２ジョブフラグに「０」をセットしてから（ステップＳ８６８２）、当該第２変動中処理を終了する。ただし上述の通り、この実施の形態にかかるパチンコ機１では、遊技状態にかかわらず特別当たりが必ず当選されるようになっていることから、特別当たりフラグも必ずＯＮになっており、先述の第２ジョブフラグに「０」がセットされることはない。
【０２８８】
ここで、普通高確遊技状態においてこうして特別図柄の変動表示が行われているときに、上記サブ統合基板７６３側による制御を通じて、上記演出表示装置１１５にて現れる演出表示の内容についてその一例を説明する。
【０２８９】
すなわち上述の通り、この実施の形態にかかる普通高確遊技状態においては、上記変動中特別遊技にて遊技者が獲得可能とされる最大賞球数を決定付ける上記特別図柄の変動時間の選択対象として、複数の異なる変動時間を用意している。そして、それら異なる変動時間の別に、変動中特別遊技と大当たり遊技との組み合わせによって実現されうる特別遊技としての遊技内容に変化を持たせるようにしている。したがって、演出表示装置１１５においては、特別図柄の変動が開始されてからどの段階にて同変動が停止されるかについての演出表示を行うようにすることで、いかなる遊技内容をもった特別遊技が行われるかについての演出が実現されるようになり、ひいては遊技興趣の低下を抑制することができるようになる。
【０２９０】
例えば、図３１に示されるように、普通高確遊技状態において、特別図柄の変動時間中には変動番号１〜６の各当選種の間で共用される特別演出Ａを表示するとともに、それら変動番号１〜６の別に異なる前インターバル演出Ｂ１〜６を用意しておけば、特別演出Ａ（特別図柄の変動表示）がいずれのタイミングにて終了するのかについての演出表示を行うことができるようになる。また、特別演出Ａが適宜のタイミングにて終了されたときに現れる前インターバル演出Ｂ１〜６の種類によっていかなる遊技内容（ラウンドの振り分け率や、普通高確遊技状態の継続確率など）とされた大当たり遊技に突入するのかを認識しつつ、その後に行われる大当たり遊技を開始することができるようになる。なお、前インターバル演出Ｂとは、特別図柄の変動表示が停止されてから大当たり遊技にてアタッカ装置９８の開閉動作が開始されるまでの時間中に上記演出表示装置１１５にて表示される演出のことであり、この実施の形態にかかる前インターバル演出Ｂ１〜６はいずれも１００００ｍｓの時間を要するものとしている。
【０２９１】
すなわち、この実施の形態では、図３２に示されるように、普通高確遊技状態にあるときに特別図柄の変動が開始されると、上記演出表示装置１１５においてはまず、特別演出Ａ１が３０００ｍｓだけ現れることとなる。そして、特別演出Ａ１がこうして３０００ｍｓだけ行われた時点で特別図柄の変動表示が停止されれば、遊技者にとって有利な変動番号１の当選種にて特別当たりが当選されたこととなることから、遊技者は、上記演出表示装置１１５における演出内容が前インターバル演出Ｂ１に切り替えられて表示されることを願いつつ遊技することとなる。なお、前インターバル演出Ｂ１に切り替えられて表示されなかったときには、変動番号１の当選種にて特別当たりが当選された可能性が否定されて、変動番号２〜６のいずれかの当選種に応じた遊技が実行されていることが認識可能とされるようになる。
【０２９２】
また、上記演出表示装置１１５における演出内容として、特別演出Ａ１の続きである特別演出Ａ２が３０００ｍｓだけ行われた時点で特別図柄の変動表示が停止されれば、遊技者にとって不利な変動番号２の当選種にて特別当たりが当選されたこととなることから、遊技者は、上記演出表示装置１１５における演出内容が前インターバル演出Ｂ２に切り替えられて表示されないことを願いつつ遊技することとなる。なお、前インターバル演出Ｂ２に切り替えられて表示されなかったときには、変動番号１、２の当選種にて特別当たりが当選された可能性が否定されて、変動番号３〜６のいずれかの当選種に応じた特別遊技（変動中特別遊技）の実行途中にあることが認識可能とされるようになる。
【０２９３】
また、上記演出表示装置１１５における演出内容として、特別演出Ａ１、Ａ２の続きである特別演出Ａ３が４０００ｍｓだけ行われた時点で特別図柄の変動表示が停止されると、普通低確遊技状態に移行制御され得る変動番号３の当選種にて特別当たりが当選されたこととなることから、遊技者は、上記演出表示装置１１５における演出内容が前インターバル演出Ｂ３に切り替えられて表示されないことを願いつつ遊技することとなる。なお、前インターバル演出Ｂ３に切り替えられて表示されなかったときには、変動番号１〜３の当選種にて特別当たりが当選された可能性が否定されて、変動番号４〜６のいずれかの当選種に応じた特別遊技（変動中特別遊技）の実行途中にあることが認識可能とされるようになる。
【０２９４】
また、上記演出表示装置１１５における演出内容として、特別演出Ａ１〜Ａ３の続きである特別演出Ａ４が２００００ｍｓだけ行われた時点で特別図柄の変動表示が停止されると、変動中特別遊技と大当たり遊技とにおいてそれぞれ多量の賞球が獲得可能とされるとともに、普通高確遊技状態に移行制御されることが確定される変動番号４の当選種にて特別当たりが当選されたこととなる。ここで、この変動番号４の当選種では、変動中特別遊技と大当たり遊技とにおいてそれぞれ多量の賞球を獲得したとしても、１５ラウンドの大当たり遊技にて獲得可能とされる賞球数よりも少なくなっているため、遊技者にとって有利な当選種であるとはいい難いところもあるが、この変動番号４の次に長い変動時間である変動番号５の当選種では普通低確遊技状態に移行制御される可能性があることから、遊技者は、上記演出表示装置１１５における演出内容が前インターバル演出Ｂ４に切り替えられて表示されることを願いつつ遊技することとなる。なお、前インターバル演出Ｂ４に切り替えられて表示されなかったときには、変動番号１〜４の当選種にて特別当たりが当選された可能性が否定されて、変動番号５、６のいずれかの当選種に応じた特別遊技（変動中特別遊技）の実行途中にあることが認識可能とされるようになる。
【０２９５】
また、上記演出表示装置１１５における演出内容として、特別演出Ａ１〜Ａ４の続きである特別演出Ａ５が３００００ｍｓだけ行われた時点で特別図柄の変動表示が停止されると、普通低確遊技状態に移行制御され得る変動番号５の当選種にて特別当たりが当選されたこととなることから、遊技者は、上記演出表示装置１１５における演出内容が前インターバル演出Ｂ５に切り替えられて表示されないことを願いつつ遊技することとなる。なお、前インターバル演出Ｂ５に切り替えられて表示されなかったときには、変動番号１〜５の当選種にて特別当たりが当選された可能性が否定されることとなる。すなわちこの場合、特別演出Ａ１〜Ａ５の続きである特別演出Ａ６が１２００００ｍｓだけ表示された後、上記演出表示装置１１５における演出内容が前インターバル演出Ｂ６に切り替えられて表示され、遊技者にとって最も有利な遊技が実行され得る変動番号６の当選種にて特別当たりに当選されたことが確定されるようになる。
【０２９６】
このように、普通高確遊技状態においては、特別図柄の変動時間の別に、変動中特別遊技と大当たり遊技との組み合わせによって実現されうる特別遊技としての遊技内容に変化を持たせた上で、特別図柄の変動時間中に変動番号１〜６の各当選種の間で特別演出Ａを共用して表示するようにしたことで、例えば１８０００ｍｓといった長い時間の特別演出Ａ１〜Ａ６であっても、３０００ｍｓや４０００ｍｓ、２００００ｍｓ、３０００００ｍｓ毎に当該特別演出Ａが終了されて大当たり遊技状態に移行されるかもしれない可能性を遊技者に意識付けして遊技させることができるようにになり、これによって冗長な演出がより緊張感のある演出として位置付けされるようになる。
【０２９７】
ただし上述の通り、この実施の形態にかかるパチンコ機１では、普通高確遊技状態において普通当たりに落選されたときには、上記変動中特別遊技の実行途中であってもその時点から当該遊技において賞球を新たに獲得することができなくなるように、普通電動役物８１の可動片が動作し得ない非動作期間（例えば３０秒）を生成する処理を行うようにしている。そして、このような非動作期間においては、上記特別始動有賞口８２への遊技球の受け入れが不可能とされることから、上記変動中特別遊技の実行途中であっても、遊技者は、遊技球を打ち込んだ分だけ持ち球を消費してしまう。そこで、この実施の形態では、普通高確遊技状態において上記変動中特別遊技が行われているときに、普通当たりに落選されたときは、該落選を契機として、特別図柄側の遊技内容（変動中特別遊技の種類や、大当たり遊技におけるラウンドの振り分け率や、普通高確遊技状態の継続確率など）についての演出である特別演出Ａにあえて変化を与えるようにしている。
【０２９８】
すなわち、上述の変動中特別遊技に対し、普通電動役物８１の可動片が動作し得ない非動作期間（例えば３０秒）が設定された場合には、該非動作期間が設定された分だけ、上記賞球数分配設定手段６０７ｄ（図１３参照）により上記変動中特別遊技において本来は獲得可能とされている最大賞球数が削減されることとなる。そしてこのことは、特別図柄側の遊技内容（特に、どれだけの賞球数を獲得できるかといった変動中特別遊技の種類）に実質的な変化を与えることを意味する。したがって、この実施の形態にかかるパチンコ機１では、普通高確遊技状態にあるときの変動中特別遊技の実行中に普通当たりに落選されたときはこれを契機として、特別図柄側の演出内容を示す特別演出Ａを、当該変動中特別遊技においてはもはや獲得可能とされる賞球数がないことを示す失敗演出Ｃに変更して引き続き表示するようにすることで、遊技者は、特別図柄側の遊技の一連の流れとして違和感なく遊技球の打ち込みの中止を受け入れることができるようになる。なお、失敗演出Ｃでは、特別演出Ａにより示される演出内容のうち、当該変動中特別遊技の実行後に行われる大当たり遊技におけるラウンドの振り分け率や、普通高確遊技状態の継続確率の演出内容についてはその演出態様を踏襲しつつ引き続き示唆するようにすることがより望ましい。
【０２９９】
ここで、このような失敗演出Ｃとしては、大きくは、２つの演出パターンをもって出現される。
まず、１つ目の演出パターンとしては、変動番号１〜４のいずれかの変動時間をもって特別図柄が変動表示されているときに、普通図柄に落選して、普通電動役物８１の可動片が動作し得ない非動作期間（３０秒）が設定された場合である。すなわち、変動番号１〜４はいずれも、非動作期間として設定される時間（３０秒）以下の変動時間（３〜３０秒）が割り当てられていることから、こうした変動時間をもって特別図柄が変動表示されているときに非動作期間が設定されると、当該特別図柄の変動表示中に非動作期間が解除されることがない。そしてこの場合、演出表示装置１１５においては、上記特別始動有賞口８２への遊技球の受け入れが不可能とされた状態演出（失敗演出Ｃ）のままで上記変動中特別遊技が終了されて、該当する変動番号に応じた前インターバル演出Ｂが表示されることとなる。
【０３００】
例えば、図３３に示されるように、変動番号４の変動時間をもって特別図柄が変動表示されているとき、所定のタイミングＴ１にて普通図柄が落選されたとすると、これを契機として、該タイミングＴ１から上記特別始動有賞口８２への遊技球の受け入れが不可能とされる非動作期間に突入したことを示す失敗演出Ｃが現れることとなる。ここで、この失敗演出Ｃについては、当該変動中特別遊技が終了されるよりも前に非動作期間が解除されるか、それとも非動作期間が解除されないままで上記変動中特別遊技が終了してしまうかについての期待演出として行うようにしてもよいが、ここでは上記特別始動有賞口８２への遊技球の受け入れが不可能とされたままで上記変動中特別遊技が終了されることを示すようにしている。すなわちこの場合、この変動中特別遊技においてあとどれだけの賞球数が払い出されるかについての期待感が喪失されることとなり、遊技者にとっては、当該変動中特別遊技が終了された後の大当たり遊技の実行態様、および該大当たり遊技後に制御される遊技状態、といった２点が重要となってくる。これにより、上述した第１の時間決定用テーブルや第２の時間決定用テーブルにて登録されている情報との関係から、２ラウンドへの振り分け率が極めて高い変動番号６よりも、１０ラウンドに必ず振り分けられている変動番号４のほうが遊技者に有利となってその遊技価値が逆転しうるようになるなど、特別図柄の変動期間中であるにもかかわらず変動番号１〜６としての遊技価値に変化を生じさせることができるようになる。
【０３０１】
また、図３３に示されるように、失敗演出Ｃとしては最大３０秒の演出期間が用意されるものの、普通図柄が落選されたタイミングＴ１によって特別図柄の変動時間との関係からその演出終了のタイミングがずれるようになっていることから、遊技者にとっては、当該失敗演出Ｃの終了タイミングを確認するだけでは当該変動表示にかかる変動番号、さらには大当たり遊技の実行態様や、該大当たり遊技後に制御される遊技状態を認識することができなくなり、こうした演出要素によっても遊技興趣（特に、不利な変動番号が採用されていたときの遊技興趣）の低下を抑制することができるようになる。
【０３０２】
これに対し、２つ目の演出パターンとしては、変動番号５、６のいずれかの変動時間をもって特別図柄が変動表示されているときに、普通図柄に落選して、普通電動役物８１の可動片が動作し得ない非動作期間（３０秒）が設定された場合である。すなわち、変動番号５、６はいずれも、非動作期間として設定される時間（３０秒）よりも長い変動時間（６０、１８０秒）が割り当てられていることから、こうした変動時間をもって特別図柄が変動表示されているときに非動作期間が設定されると、当該特別図柄の変動表示中に非動作期間が解除されることとなる。そしてこの場合、演出表示装置１１５においては、上記特別始動有賞口８２への遊技球の受け入れが不可能とされた状態演出（失敗演出Ｃ）から、上記特別始動有賞口８２への遊技球の受け入れが可能とされた状態演出（特別演出Ａ）に復帰した後に上記変動中特別遊技が終了されて、該当する変動番号に応じた前インターバル演出Ｂが表示されることとなる。
【０３０３】
例えば、図３４に示されるように、変動番号６の変動時間をもって特別図柄が変動表示されているとき、所定のタイミングＴ２にて普通図柄が落選されたとすると、これを契機として、該タイミングＴ２から上記特別始動有賞口８２への遊技球の受け入れが不可能とされる非動作期間に突入したことを示す失敗演出Ｃが現れることとなる。ここで、この失敗演出Ｃについては、当該変動中特別遊技が終了されるよりも前に非動作期間が解除されるか、それとも非動作期間が解除されないままで上記変動中特別遊技が終了してしまうかについての期待演出（例えば、当該演出が３０秒間継続すれば、変動中特別遊技に復帰確定など）として行うようにすることがより望ましい。すなわちこの場合、こうした期待演出としての３０秒間が経過した後に、上記特別始動有賞口８２への遊技球の受け入れが可能とされた状態演出（特別演出Ａ）に復帰されることとなる。これにより、上記賞球削減抽選手段６０７ｂによって変動中特別遊技における賞球数を削減しつつも、遊技者に対しては獲得可能な賞球数が増大されたかのような印象を付与することができるようになり、同遊技球が削減されるときの遊技興趣を好適に維持することができるようになる。
【０３０４】
ただし、変動番号５、６の変動時間をもって特別図柄が変動表示されている場合であっても、当該変動表示の残り時間が非動作期間（３０秒）よりも短い状況において普通図柄に落選された場合には、非動作期間が解除されないままで上記変動中特別遊技は終了されることとなる。したがって、演出表示装置１１５においても、上記特別始動有賞口８２への遊技球の受け入れが不可能とされた状態演出（失敗演出Ｃ）から、上記特別始動有賞口８２への遊技球の受け入れが可能とされた状態演出（特別演出Ａ）に復帰されることなく、上記失敗演出Ｃが表示されたままで上記変動中特別遊技が終了されることとなる。
【０３０５】
このように、上記変動中特別遊技における賞球数が削減され得るようにしたことで、多量の賞球数が獲得可能とされる大当たり遊技とは別に、多量の賞球数が獲得可能とされる変動中特別遊技を用意して、これら２つの遊技が順次に行われる一連の遊技（特別遊技）を出玉率との関係で無理なく実行することができるようになる。
【０３０６】
次に、図３５に示すように、主制御ＭＰＵ７６５ａは、大当たり遊技開始処理が開始されると、第２ジョブフラグが「３」であるか否かを判別する（ステップＳ８７３０）。第２ジョブフラグが「３」でなければ（ステップＳ８７３０におけるＮＯ）、大当たり遊技開始処理を終了する。
【０３０７】
第１ジョブフラグが「３」であれば（ステップＳ８７３０におけるＹＥＳ）、通常遊技状態にあるときよりも上記特別始動有賞口８２に遊技球が入球され易くする機能（時短機能）が作動中であるか否かを判断する（ステップＳ８７３２）。そしてこの結果、普通低確遊技状態、及び普通高確遊技状態のいずれの遊技状態にあり、時短機能が作動中である旨判断されたときには（ステップＳ８７３２におけるＹＥＳ）、この時短機能の作動を停止させる。
【０３０８】
そして次に、こうして時短機能の作動が停止されたもとで大当たり遊技が行われるべく、同大当たり遊技にて大入賞口８３が繰り返し開放されるラウンド遊技の最大回数や、各ラウンド遊技にて大入賞口８３に遊技球が入球可能とされる上限数や、各ラウンド遊技におけるアタッカ装置９８の開閉動作制限時間などをセットする（ステップＳ８７３６）。そしてその後、大当たり遊技が行われるのに先立って、上記演出表示装置１１５において上述の前インターバル演出Ｂ１〜Ｂ６のいずれかが表示されるべく、上記ステップＳ８６５３、Ｓ８６５４、Ｓ８６５６、Ｓ８６５７のいずれかの処理にて決定された変動表示パターン（変動時間）に対応付けされた前インターバル演出コマンドをセットする（ステップＳ８７３７）。次いで、上記ステップＳ８６５３、Ｓ８６５４、Ｓ８６５６、Ｓ８６５７のいずれかの処理にて決定された変動表示パターン（変動時間）に対応付けされた前インターバル演出タイマ（ここでは１０秒）をセットする（ステップＳ８７３８）。そして次に、先述の第２ジョブフラグに「４」をセットし（ステップＳ８７４０）、大当たり遊技開始処理を終了する。
【０３０９】
すなわち、この大当たり遊技開始処理では、大当たり遊技が開始される旨の情報コマンド「２０Ｈ０４Ｈ」をセットし、図１６に示したサブ統合基板コマンド送信処理（ステップＳ９２）によりサブ統合基板７６３に対して同情報が送信されるようにしている。これにより、これを受信したサブ統合基板７６３は、大当たり遊技の実行前に限らず、大当たり遊技の実行期間中も、例えば、特別遊技が何回連続して実行されたかについての情報画像を上記演出表示装置１１５に表示しうるようになる。
【０３１０】
次に、図３６に示すように、主制御ＭＰＵ７６５ａは、特別電動役物大当たり処理が開始されると、第２ジョブフラグが「４」であるか否かを判別する（ステップＳ８７５０）。第２ジョブフラグが「４」でなければ（ステップＳ８７５０におけるＮＯ）、特別電動役物大当たり処理を終了する。
【０３１１】
第２ジョブフラグが「４」であれば（ステップＳ８７５０におけるＹＥＳ）、次にステップＳ８７５１の処理として、上述の前インターバル演出Ｂが終了したか否か、すなわち上記ステップＳ８７３８の処理にてセットされた前インターバル演出タイマ（ここでは１０秒）がタイムアップしたか否かについての判断を行う。前インターバル演出タイマ（ここでは１０秒）がタイムアップしておらず、上述の前インターバル演出Ｂが未だ実行中である場合には（ステップＳ８７５１におけるＮＯ）、特別電動役物大当たり処理を終了する。
【０３１２】
前インターバル演出タイマ（ここでは１０秒）がタイムアップした場合には、大入賞口８３が開放中か否かを判別し（ステップＳ８７５２）、開放中の場合には（ＹＥＳ）、大入賞口８３の開放時間（開放した後の経過時間）が上記ステップＳ８７３６の処理にて設定された所定時間（開閉動作制限時間）に達したか否かを判別する（ステップＳ８７５３）。そしてこの結果、この所定時間が経過した旨判断されたときは（ステップＳ８７５３にてＹＥＳ）、アタッカ装置９８を閉動作させることにより大入賞口８３を閉鎖する（ステップＳ８７５５）。
【０３１３】
ただし、上記ステップＳ８７５３の処理において、上記設定された所定時間が未だ経過していない旨判断された場合であっても（ステップＳ８７５３にてＮＯ）、大入賞口８３が開放された後に同大入賞口８３に入球した遊技球の個数が、上記ステップＳ８７３６の処理にて設定された上限数（例えば２個、若しくは９個）以上になっている場合には（ステップＳ８７５４にてＹＥＳ）、上記ステップＳ８７５５の処理に移行して大入賞口８３を閉鎖する。これに対し、上記設定された所定時間が未だ経過しておらず（ステップＳ８７５３にてＮＯ）、大入賞口８３に入球した遊技球の個数も上限数に未だ達していない場合には（ステップＳ８７５４にてＮＯ）、大入賞口８３を開放状態にて維持したままで、特別電動役物大当り制御処理を終了する。
【０３１４】
一方、上記ステップＳ８７５２の処理において、大入賞口８３が開放中でない旨判断された場合には、アタッカ装置９８による大入賞口８３の開放回数（ラウンド遊技の回数）が、上記ステップＳ８７６３の処理にて設定された最大回数に到達しているか否かを判別する（ステップＳ８７６３）。そして、到達していない場合には（ステップＳ８７６３にてＮＯ）、アタッカ装置９８を作動して大入賞口８３を開放し（ステップＳ８７６４）、特別電動役物大当り制御処理を終了する。
【０３１５】
また一方、上記ステップＳ８７６３の処理において、ラウンド遊技が既に最大回数分だけ行われた旨判断されたときは、ステップＳ８７６４〜ステップＳ８７６９の処理を実行することにより、大当たり遊技後の遊技状態を設定してから当該大当たり遊技状態を終了させる。
【０３１６】
すなわち、まず、特別当たりフラグをＯＦＦとし（ステップＳ８７６４）、当該大当たり遊技の実行契機とされた特別当たりの当選種を判別する（ステップＳ８７６５、ステップＳ８７６６）。ここで、ステップＳ８７６５の処理では、時短機能を作動させる当選種であるか否かが判断される。そしてこの結果、時短機能を作動させる当選種でない旨判断されたときには、時短機能を作動させることなく、第２ジョブフラグに「０」をセットした時点で（ステップＳ８７６９）、特別電動役物大当たり処理を終了する。
【０３１７】
ただし上述の通り、この実施の形態にかかるパチンコ機１では、上記特別当たりにて当選された場合の当該当たりの種別としては、時短機能を作動させる種別（当選種）しか用意しないようにしている。したがって、上記ステップＳ８７６５の処理では、時短機能を作動させる当選種である旨判断されることとなり、次にステップＳ８７６６の処理として、上述の変動中特別遊技にて遊技者に多量の遊技球を獲得可能とさせる当選種であるか否かが判断される。
【０３１８】
すなわち、これも上述した通り、この実施の形態にかかるパチンコ機１では、特別当たりの当選種のうち、その「８２／１００」が、上述の変動中特別遊技が実行可能とされる普通高確遊技状態を新たに発生（継続）させる種別（当選種）となっており、その「１８／１００」が、上述の変動中特別遊技が実行可能とされない普通低確遊技状態を新たに発生（継続）させる種別（当選種）となっている。したがって、上記ステップＳ８７６６の処理においては、「８２／１００」の確率にて、上述の変動中特別遊技が実行可能とされる普通高確遊技状態を新たに発生（継続）させる種別（当選種）である旨判断され、ひいては普通高確遊技状態に制御されるようになる（ステップＳ８７６７）。
【０３１９】
ただし、上記ステップＳ８７６６の処理において、「１８／１００」の確率にて、上述の変動中特別遊技が実行可能とされない普通低確遊技状態を新たに発生（継続）させる種別（当選種）である旨判断されたときには、普通低確遊技状態に制御される（ステップＳ８７６８）。そして、こうして普通高確遊技状態と普通低確遊技状態とのいずれかの遊技状態に制御された後に、第２ジョブフラグに「０」をセットした時点で（ステップＳ８７６９）、特別電動役物大当たり処理を終了する。
【０３２０】
図３７は、各種遊技が進行されたときの遊技処理の一例を示すタイムチャートである。以下、この図３７を参照しつつ、この実施の形態のかかるパチンコ機１にて各種遊技が進行されたときの遊技処理について総括する。
【０３２１】
同図３７に示されるように、いま、通常遊技状態に制御されているときに、上記保留が解除されて、普通図柄についての判定処理が実行されたとすると、普通図柄表示器３３３では所定の変動時間だけ普通図柄についての変動表示が行われる。そして通常は、所定の変動時間が経過した時点で、「３９８／３９９」といった高い確率にて同普通図柄をハズレ表示態様にて停止表示させることとなる。すなわち、このような普通図柄側の遊技処理は、普通図柄の変動表示において「１／３９９」といった低い確率にて普通図柄が当たり表示態様にて停止表示されるタイミングｔ１まで繰り返し行われることとなる。
【０３２２】
なお上述の通り、普通図柄についての変動表示に要する時間（普通図柄の変動時間）は、普通図柄用の乱数（変動パターン乱数）に基づいて決定されるものである。ただし、通常遊技状態に制御されているとき、上記演出表示装置１１５においては普通当たりに当選されていることの期待度が示唆される表示演出が行われるようになっていることから、普通図柄の変動時間としても、こうした表示演出に要する時間が確保される比較的長い時間を採用するようにしている。また、こうして採用される変動時間の長さについても上記普通図柄用の乱数に基づいて種々のパターンが持たせられるようにしており、上記演出表示装置１１５では、それら種々のパターンのうちの長い変動時間が採用されたときには普通当たりに当選されていることの期待度が高くされた表示演出が現れるようにすることで、同表示演出にメリハリを付けるようにしている。また、「３９８／３９９」といった高い確率にて普通当たりに落選されたときや、「１／３９９」といった低い確率にて普通当たりに当選されたときには、この演出表示装置１１５における表示演出（変動時間）の終了間際にその判定結果が示されるようになっている。
【０３２３】
そして、上記タイミングｔ１において、普通図柄が当たり表示態様にてようやく停止表示されたときには、普通電動役物８１（より正確には、普通電動役物８１の可動片）による開放動作が行われ、上記特別始動有賞口８２への遊技球の入球が所定の開放時間だけ可能とされるようになる。なお上述の通り、この実施の形態では、遊技球が打ち出されていない状況であったとしても、上記特別始動有賞口８２に少なくとも１つの遊技球は入球される程度の長い時間（５秒）をもって、普通電動役物８１による開放動作が行われるようにしている。
【０３２４】
またこの際、上記演出表示装置１１５においては、普通図柄側の遊技を中心とした表示演出から、特別図柄側の遊技を中心とした表示演出に切り替えられることとなり、上記特別始動有賞口８２に遊技球を入球させることを遊技者に促すような表示画像（例えば「右打ちしろ」など）がまずは表示される。
【０３２５】
そして、普通電動役物８１による開放動作によって開放された上記特別始動有賞口８２に少なくとも１つの遊技球が入球されたときには、上記特別当たりについての判定処理にて、特別図柄用の乱数（図柄乱数）に基づいて、上記普通高確遊技状態に移行制御されるか否かについての抽選が行われる。またこの際、特別図柄表示器３３２では所定の変動時間だけ特別図柄についての変動表示が行われる。ただしここでは、変動時間として必ず１８０秒（３分）が採用される。そして、この変動時間が経過したタイミングｔ２においては、「８２／１００」の確率で上記普通高確遊技状態を発生させるかたちでの当たり表示態様にて特別図柄が停止表示され、「１８／１００」の確率で上記普通低確遊技状態を発生させるかたちでの当たり表示態様にて特別図柄が停止表示される。
【０３２６】
したがって、上記演出表示装置１１５においても、特別図柄がこうして変動表示されている間（１８０秒間）は、上記普通高確遊技状態に移行制御されるか否かについての表示演出が行われることとなる。
【０３２７】
そして、上記タイミングｔ２において、「８２／１００」の確率で上記普通高確遊技状態を発生させるかたちでの当たり表示態様にて特別図柄が停止表示されたときには、該当選にかかる当選種に応じた前インターバル演出Ｂ（１０秒間）が行われた後、アタッカ装置９８内の大入賞口８３への遊技球の（入球）入賞が可能とされるように当該アタッカ装置９８における開閉部材９９が上記特別図柄用の乱数（図柄乱数）に応じたラウンド数分だけ繰り返し開放される（大当たり遊技）。
【０３２８】
なお、大当たり遊技の実行態様としては、例えば、上記特別図柄用の乱数（図柄乱数）に応じたラウンド数が「２」であったときには、図３７に示されるように、上記大入賞口８３への遊技球の（入球）入賞は可能ではあるものの困難となるように上記ラウンド遊技が２ラウンド数分だけ繰り返し行われるとともに、当該大当たり遊技にかかる全処理が４．５秒程度の短期間にて早期終了される。そしてこの場合、遊技者が多量の賞球数を獲得可能となる特別遊技が行われないように上記大当たり遊技をこうして早期終了させた時点で、上記普通高確遊技状態に移行制御されることとなる。
【０３２９】
ただし、図示は割愛するが、上記タイミングｔ２において、「１８／１００」の確率で上記普通低確遊技状態を発生させるかたちでの当たり表示態様にて特別図柄が停止表示されたときには、上述のように大当たり遊技がラウンド数分だけ繰り返し行われた後に、上記普通低確遊技状態に移行制御されて、上述の普通図柄についての遊技処理からやり直すこととなる。このため、当該演出表示装置１１５においてもすぐに普通図柄側の遊技を中心とした表示演出に戻されることとなる。
【０３３０】
また、これも図示は割愛するが、上記タイミングｔ１において上記普通電動役物８１による開放動作が行われたにもかかわらず上記特別始動有賞口８２に遊技球が１つも入球されなかったときにはその時点で上述の普通図柄についての遊技処理からやり直すこととなる。したがって、この場合も同様、上記演出表示装置１１５においてはすぐに普通図柄側の遊技を中心とした表示演出に戻されることとなる。
【０３３１】
一方、普通高確遊技状態に制御されているときに、タイミングｔ３において保留が解除され、普通図柄についての判定処理が実行されたとすると、普通図柄表示器３３３では所定の変動時間だけ普通図柄についての変動表示が行われる。ただし、この普通高確遊技状態においては、上記演出表示装置１１５にて普通図柄側の遊技についての表示演出が行われることはないことから、その変動表示に要する時間としても、通常は、上記表示演出には用いられ得ない極めて短い時間（「１．６秒」）が用いられる。
【０３３２】
すなわち上述の通り、この実施の形態にかかるパチンコ機１にあって、普通高確遊技状態における普通当たりの当選確率は「３６１／３９１」となっており、普通当たりについての判定処理が行われる都度、９０％を超えるような極めて高い確率にて普通当たりが当選されるようにしている。したがって、普通高確遊技状態にあるとき、上記普通図柄表示器３３３においては通常、普通図柄の変動表示が行われてすぐに同普通図柄が当たり表示態様にて停止表示されることとなる。
【０３３３】
したがって、この普通高確遊技状態においては通常、普通始動無賞口８９に遊技球が入球（通過）されるとすぐに、上記普通電動役物８１（より正確には、普通電動役物８１の可動片）による開放動作が行われ、これによって特別始動有賞口８２に遊技球が入球されることとなる。そして上述の通り、こうして特別始動有賞口８２に遊技球が入球されることに応じて、上記普通図柄側の遊技と上記特別図柄側の遊技とが融合されるように上記普特融合制御手段６０７（図１３参照）により制御されることによって、当該普通高確遊技状態に制御されている期間中に、多量の賞球数が払い出されうる遊技処理としての変動中特別遊技が実行可能とされるようになる。
【０３３４】
このような構成によれば、まず、所定の始動条件が満たされたときには、特別当たりについての判定処理を行うものであるにもかかわらずこの判定処理の結果に依存することなく遊技者に多量の賞球が払い出されうる上記変動中特別遊技の実行が開始される。そして、こうして開始される変動中特別遊技にかかる制御については、上記判定処理にて特別当たりが当選されてその旨が特別図柄表示器３３２における特別図柄の停止表示態様により示されるときまでその実行が行われるようにしている。
【０３３５】
したがって、所定の始動条件が満たされてから上記特別当たりが当選された旨が特別図柄表示器３３２における特別図柄の停止表示態様により示されるまでの間、遊技者は、遊技球を獲得するための遊技に集中してこれを実行し続けることが可能となり、遊技者自身に多量の賞球を積極的に獲得しにいかせるこのような斬新な遊技性によって、特別遊技これ自体の遊技興趣を好適に維持することができるようになる。
【０３３６】
また上述の通り、普通高確遊技状態にあるときの特別図柄の変動時間については、図２９にて示したように、特別図柄の変動表示が開始されてから時間が経過するにつれて、変動中特別遊技にかかる実行態様、及び特別図柄の変動停止後の大当たり遊技にかかる実行態様、及び大当たり遊技後の遊技状態、といった３つの遊技要素がそれぞれ変化し得るように設定されている。したがって、図３２にて示したように、遊技者は、特別図柄の変動表示が開始されてからの経過時間帯（特別演出Ａ１〜Ａ６）の別に、現在の経過時間帯（特別演出Ａ）において特別当たりが当選された旨が示される図柄態様にて停止されることを願ったり、次の経過時間帯（特別演出Ａ）に移行されるまで図柄停止されないことを願ったりしながら遊技するようになり、図柄変動の開始から停止までの総時間にわたっての遊技興趣を好適に維持することができるようになる。また、こうした普通高確遊技状態にないとき（通常遊技状態、普通低確遊技状態）とは異なる遊技性によっても遊技興趣を好適に維持することができるようになる。
【０３３７】
またさらに、変動中特別遊技としてのこのようなタイムリミット性を持たされた遊技では、特別図柄の変動時間中に、普通始動無賞口８９に対する遊技球の繰り返しの打ち込みによって上記普通当たりを何回当選させることができるかについてのゲーム性を付与し、その普通当たりの当選回数に応じて上記特別始動有賞口８２が開放される回数分だけ遊技者に賞球が払い出されうるようにする。
【０３３８】
より具体的には、特別図柄の変動時間中、上記保留手段６０３（図１３参照）による保留の状態を維持するとともに上記普通当たりに落選することさえなければ、普通図柄の変動時間（１．６秒）と、上記特別始動有賞口８２の開放時間「６秒」との加算時間である「７．６秒」が経過する都度、上記特別始動有賞口８２が「６秒間」だけ次々と開放されることとなり、これによって当該パチンコ機１における賞球数としての最大値「１５個」が設定された上記特別始動有賞口８２を利用した上記タイムリミット性のある特別遊技が実現されるようになる。なお、同図３７からも明らかなように、この特別遊技が行われる期間中（特別図柄の変動時間中）は、特別始動有賞口８２への遊技球の入球が不可能とされる時間よりも、同遊技球の入球が可能とされる時間のほうが長くなるように遊技可能である。
【０３３９】
すなわちこの場合、多量の賞球が払い出される特別遊技にあって、制限時間（特別図柄の変動時間）内に普通当たりをどれだけ当選させることができるかによって遊技者が獲得できる賞球数が異なることとなり、遊技者自身に多量の賞球を積極的に獲得しにいかせるこのような斬新な遊技性によって、特別遊技これ自体の遊技興趣を好適に維持することができるようになる。
【０３４０】
またさらに、特別遊技が行われている期間中における遊技球の打ち込み箇所としても、予め想定される所定量の賞球が払い出されるまでずっといわゆる入賞口（この実施の形態では、特別始動有賞口８２）をひたすら狙うだけの遊技手法とは異なり、遊技者は、当たりの当選回数を増やすためにその判定処理の実行契機となる始動手段（普通始動無賞口８９）をも狙って遊技することとなる。このため、こうした２つの箇所（入賞口、始動手段）に遊技球を適切に打ち込みつつ遊技する手法によっても、特別遊技これ自体の遊技興趣を好適に維持することができるようになる。
【０３４１】
ただし上述の通り、同図３７に示されるように、特別図柄の変動時間として特に１８０秒などの長い時間が採用されたときには、その変動時間中にて繰り返される普通判定のうちの所定のタイミングｔ４にて行われる普通判定にて、「３８／３９９」といった低い確率にて普通当たりに落選された旨の判断がされうるようにしている。そして、こうして普通当たりに落選された場合には、上述のタイムリミット性を持たされた変動中特別遊技の実行中であるにもかかわらず、普通電動役物８１の可動片が動作し得ない非動作期間を生成すべく、普通低確遊技状態にあるときの通常変動に要する演出用の時間（１０．８秒）よりも長い時間（例えば３０秒）をもって上記普通図柄の変動表示を行うようにしている。したがって、こうして普通図柄の変動表示が行われている時間分だけ、当該変動中特別遊技にて本来は獲得可能とされていた最大賞球数が削減されることとなり、その分だけ当該パチンコ機１としての出玉率に余裕を持たせることができるようになる。
【０３４２】
そして、この変動中特別遊技が終了されるタイミングｔ５において、「８２／１００」の確率で上記普通高確遊技状態を新たに発生（継続）させるかたちでの当たり表示態様にて特別図柄が停止表示されると、該当選にかかる当選種に応じた前インターバル演出Ｂ６（１０秒間）が行われる。前インターバル演出Ｂ６は、図２９に示した変動番号６に対応付けされたものであり、その後には多量の賞球の獲得が期待できない２ラウンドの大当たり遊技がほぼ行われるようになっていることから、多量の賞球が獲得可能とされる特別遊技が終了した旨を示す終了演出として行われる。すなわち、このような２ラウンドの大当たり遊技は、上記大入賞口８３への遊技球の（入球）入賞は可能ではあるものの困難となるように行われるとともに、当該大当たり遊技にかかる全処理が４．５秒程度の短期間にて早期終了される。なお、この大当たり遊技は、遊技球を打ち込まなくても遊技上の損は生じないものであり、多量の遊技が獲得可能とされる特別遊技とは言えないようなものである。ただし、このような大当たり遊技であっても、その実行中は通常遊技状態に制御されることから、同遊技の終了後には上記普通高確遊技状態を再び発生させることとなる。
【０３４３】
ただし、同図３７に示される例では、プレミア当たりとして、１５ラウンドの大当たり遊技が行われる場合となっている。すなわちこの場合、前インターバル演出Ｂ６は、多量の賞球が獲得可能とされる特別遊技が終了されないにもかかわらず同特別遊技が終了される旨を示す偽終了演出として機能することとなる。ちなみに、１８０秒間の変動中特別遊技においては２０００発前後（普通当たりに落選されなかった場合）、その後の大当たり遊技においては１５００発程度の出球が最大で獲得可能とされている。なおこの場合も、大当たり遊技中は通常遊技状態に制御されており、同遊技の終了後に上記普通高確遊技状態を再び発生させることとなる。
【０３４４】
すなわち、このような特別遊技では、変動中特別遊技とその後の大当たり遊技とによる一連の遊技として機能することとなるが、当該特別遊技の実行途中であっても、変動中特別遊技が終了されるときには、遊技者にとって有利な普通高確遊技状態から不利な通常遊技状態に移行制御された上で多量の遊技球が獲得可能とされる遊技にかかる制御は一旦中断されることとなる。そして上述の通り、同遊技にかかる制御が中断されている間は、通常遊技状態に維持されたもとで、該当選にかかる当選種に応じた前インターバル演出Ｂ６が現れて、この前インターバル演出Ｂ６としての期間（１０秒間）が経過された後に、多量の遊技球が獲得可能とされる遊技（１５ラウンドの大当たり遊技）にかかる制御が再開されるようにしている。このように、変動中特別遊技とその後の大当たり遊技とでは、それら遊技が行われているときの遊技状態（普通高確遊技状態、通常遊技状態）を異ならしめるようにしておくことで、それら２つの遊技が重複して実行されてしまうようなことが回避されるようになる。
【０３４５】
ただしその一方で、前インターバル演出Ｂ６に要する時間（１０秒間）が経過された後には、２ラウンドの大当たり遊技が行われることが多くなっている。そしてこの場合、多量の遊技球が獲得可能とされる遊技にかかる制御が再開されることはなく、１８０秒の変動中特別遊技にかかる制御が終了した時点で当該特別遊技は終了されることとなる。この点、この実施の形態にかかるパチンコ機１では、変動中特別遊技とその後の大当たり遊技とでそれぞれ多量の賞球数が獲得可能とされる一連の遊技（特別遊技）を行う場合であっても、変動中特別遊技が終了されるときには、多量の遊技球が獲得可能とされる遊技にかかる制御を一旦終了させるようにしている。このため、遊技者としては、変動中特別遊技にかかる制御が終了した時点で当該特別遊技は終了されるのか（２ラウンドの大当たり遊技）、若しくは変動中特別遊技にかかる制御が終了した後にも多量の賞球数が獲得可能とされる遊技（１０、１５ラウンドの大当たり遊技）が行われるのかを認識し難くなる。これにより、多量の賞球数が獲得可能とされる遊技にかかる制御が終了し、同制御が行われない期間（前インターバル演出Ｂ６）に一旦移行してしまった場合であっても、多量の賞球数が獲得可能とされる遊技にかかる制御が再び開始されることを期待しつつ遊技することができるようになり、ひいては遊技興趣の低下を抑制することができるようになる。
【０３４６】
また、多量の賞球数が獲得可能とされる遊技にかかる制御が行われない期間（前インターバル演出Ｂ）については、普通高確遊技状態にあるときの普通当たりの当選に応じた上記特別始動有賞口８２の開放時間「６秒」よりも長い時間が採用された上記大当たり遊技の実行前インターバル期間（通常遊技状態）として設けることとした。すなわちこの場合、普通高確遊技状態にあるときの上記特別始動有賞口８２の長時間開放（６秒開放）と、大当たり遊技における上記アタッカ装置９８による開閉動作とが重複して動作してしまうことが回避されることとなり、これによって単位時間当たりに払い出される賞球数が過大になってしまうようなことが回避されるようになる。
【０３４７】
なお、特別遊技のうち、変動中特別遊技が行われている間、上記演出表示装置１１５においては、大当たり遊技の後に上記普通高確遊技状態として再び制御されるか否かについての表示演出（特別演出Ａ１〜Ａ６）が行われ、上記タイミングｔ５においてその結果が示されるようになる。ただし上述の通り、特別図柄側の遊技についてのこのような表示演出にかかる態様（特別演出Ａ）は、普通図柄に落選されたとき（タイミングｔ４）からの３０秒間は別の態様（失敗演出Ｃ）に変化（例えば背景色が異なるなど）されるようになっており、これによって遊技者による遊技球の打ち出しが中断されるようになる。
【０３４８】
こうした特別遊技（変動中特別遊技、大当たり遊技）は、特別図柄の変動時間が経過したときに、「１８／１００」の確率で上記普通低確遊技状態を新たに発生（継続）させるかたちでの当たり表示態様にて同特別図柄が停止表示されるタイミングｔ６まで繰り返し行われることとなる。なお、大当たり遊技が終了してからすぐに変動中特別遊技が開始されていないのは、変動中特別遊技を開始させるための前遊技（特別始動有賞口８２に遊技球を入球させる遊技）が存在するためである。
【０３４９】
このように、この実施の形態にかかるパチンコ機１では、変動中特別遊技については、その実行が可能とされる状態（普通高確遊技状態）が一旦終了された場合であっても、該終了したときから所定の時間（大当たり遊技）が経過するだけで再び実行可能とされる状態（普通高確遊技状態）に戻され得るようにしている。すなわちこの場合、変動中特別遊技の実行が可能とされる状態が一旦終了してから、遊技者によって何も遊技されずに単に放置され続けたとしても、所定の時間が経過しさえすれば、遊技者は、多量の賞球が払い出されうる上記変動中特別遊技を再び実行可能とされるようになる。このような変動中特別遊技についての斬新な再生機能によっても、多量の賞球が払い出されうる上記特別遊技が行われているときの遊技興趣が好適に維持されるようになる。またさらに、変動中特別遊技の再生に要する時間中（大当たり遊技中）にも多量の遊技球を獲得することができるようにしており、これによって遊技興趣の低下を抑制するようにしている。
【０３５０】
そして、上記タイミングｔ６において、「１８／１００」の確率で上記普通低確遊技状態を新たに発生（継続）させるかたちでの当たり表示態様にて特別図柄が停止表示されたときには、大当たり遊技が行われた後に、上記普通低確遊技状態に移行制御されて、上述の普通図柄についての遊技処理からやり直すこととなる。このため、当該演出表示装置１１５においては、大当たり遊技が終了したことに応じて、普通図柄側の遊技を中心とした表示演出に戻されることとなる。なお、このような変動番号３の当選種に応じた大当たり遊技が行われる期間では、当該大当たり遊技におけるラウンド遊技が何回繰り返されるかについての演出表示や、当該大当たり遊技後にいずれの遊技状態に制御されるかについての演出表示を行うようにすることがより望ましい。
【０３５１】
このような遊技処理によれば、同図３７に示されるように、まず、上記通常遊技状態においては、普通当たりに当選されているときのような期待度の高い表示演出が上記演出表示装置１１５にて現れるときまで、遊技者は、遊技球を打ち続けることとなる。したがって、遊技者の持ち球は、この通常遊技状態においては増加することなく、基本的には、時間の経過に伴って消費されていくこととなる。
【０３５２】
ただし、この通常遊技状態において、普通当たりに当選された場合には（タイミングｔ１）、普通電動役物８１による開放動作によって開放される上記特別始動有賞口８２を狙って遊技球を打ち込むこととなる。ただしこの際、特別始動有賞口８２は、５秒間だけ開放されるとともに「１５個」の賞球数が設定されていることから、遊技者の持ち球が大きく増減するようなことはない。
【０３５３】
そして上述の通り、こうして特別始動有賞口８２に遊技球が入球された後は、３分間の変動時間だけ特別図柄が変動表示されることとなる。ただしこの際も、遊技者は、遊技球を打ち込む必要はなく上記演出表示装置１１５における表示演出に注目することとなることから、遊技者の持ち球が大きく増減するようなことはない。
【０３５４】
また、タイミングｔ２〜ｔ３において、大当たり遊技が２ラウンド分だけ実行される期間中も、上記アタッカ装置９８は、遊技球を打ち込まなくても遊技上の損が生じない程度の動作しかせず、遊技者は、遊技球を打ち込まないことから、持ち球が大きく増減するようなことはない。ただし、このような通常遊技状態にあっても、特別当たりの当選に基づいて１０、１５ラウンドの大当たり遊技が実行されるときには、遊技者が多量の賞球数を獲得し得るようになる。
【０３５５】
一方、通常遊技状態にてこうした遊技が進行された結果、上記普通高確遊技状態に制御された以降は、上記特別図柄についての判定処理が行われる都度、その変動時間中における変動中特別遊技（タイミングｔ３〜ｔ５）と、該変動時間が経過した後の大当たり遊技とにおいてそれぞれ多量の賞球数が獲得され得るようになる。
【０３５６】
ただし上述の通り、普通高確遊技状態に制御されている場合であっても、図２９にて示した変動番号１，２のいずれかが採用されたときには、特別図柄の変動時間中に多量の遊技球が払い出されることはない。また、これも上述の通り、図２９にて示した変動番号３〜６のいずれかが採用された特別図柄の変動時間中であっても、普通当たりの落選に応じた普通図柄の変動時間中（タイミングｔ４から３０秒が経過するまでの時間）には、多量の遊技球が払い出されることはない。また、この実施の形態では、例えば変動時間１８０秒および１５ラウンドとする当選種が得られて、変動中特別遊技と大当たり遊技とでそれぞれ多量の賞球を獲得可能な特別遊技を行う場合であっても、当該特別遊技のうちの変動中特別遊技が終了したときには、多量の賞球を獲得可能とさせる制御を一旦終了させるようにしている。したがって、特別遊技にかかる制御がこうして中断される時間中（タイミングｔ５から１０秒が経過するまでの時間）も多量の遊技球は払い出されない。また、普通高確遊技状態に制御されているときも、大当たり遊技が２ラウンド分だけ実行される期間中には多量の遊技球は払い出されない。
【０３５７】
また、普通高確遊技状態にあるときに開始可能とされるこのような特別遊技にかかる実行態様によれば、普通図柄に落選されたときと（タイミングｔ４）と、当該特別遊技のうちの変動中特別遊技が終了したとき（タイミングｔ５）とで、多量の賞球を獲得可能とする制御が所定時間にわたって一旦中断されるようになる。これにより、特別遊技の実行期間中に、当該特別遊技が終了されてしまう可能性を複数回にわたって遊技者に意識付けさせることができるようになり、こうした特別遊技における特殊な制御を通じて遊技興趣の低下を抑制することができるようになる。
【０３５８】
そしてその後、特別当たりが当選されたことに基づいて、大当たり遊技が行われてから上記普通低確遊技状態に移行制御された後は、上記通常遊技状態にあるときとほぼ同等の遊技が行われることとなる。したがって、遊技者の持ち球は増加することなく、普通当たりに当選されるまでは時間の経過に伴って消費されていくこととなる。
【０３５９】
このように、この実施の形態のかかるパチンコ機１では、大当たり遊技とは別に、変動中特別遊技が行われうるようにすることによって遊技者の持ち球を大きく増大させることのできる第１の時短遊技状態（普通高確遊技状態）とは別に、第２の時短遊技状態（普通低確遊技状態）を用意している。そして、この第２の時短遊技状態（普通低確遊技状態）にて遊技進行させたときには、ＲＡＭクリアされたときに現れる通常遊技状態にて遊技進行されるときと同じ割合で持ち球が減少していくようにしている。したがって、時短遊技状態（第１の時短遊技状態、第２の時短遊技状態）を全体としてみたときの当該時短遊技状態中における持ち球の増減数を好適に維持（低減）することができるようになり、これによって時短遊技状態における遊技興趣が過渡に大きくなってしまうようなことが回避されるようになる。
【０３６０】
特に、この実施の形態では、普通当たりが当選されるまでひたすら遊技球を打ち込むこととなる遊技状態（通常遊技状態、普通低確遊技状態）のうち、上記通常遊技状態については、大当たり遊技にかかる制御中を除けば、主制御基板７６５のＲＡＭクリアスイッチ７６９が操作されて、同主制御基板７６５の内蔵ＲＡＭの記憶内容が初期化されたとき（ホールの開店当初）にしか制御されないようにしている。すなわち、特別当たりが一旦当選された後には、ＲＡＭクリアスイッチ７６９が操作されない限りは、普通当たりが当選されるまでひたすら遊技球を打ち込むこととなる上記通常遊技状態に制御されることはない。
【０３６１】
そして、こうした通常遊技状態の代わりとして、普通当たりが当選されるまでひたすら遊技球を打ち込むこととなる普通低確遊技状態を用意するようにしたため、時短遊技状態（第１の時短遊技状態、第２の時短遊技状態）を全体としてみれば、当該時短遊技状態中における持ち球は理論上減少することとなり、これによって従来のパチンコ機における時短遊技状態と同程度の遊技興趣に維持することができるようになる。
【０３６２】
この意味では、遊技球の払い出しパターンが平坦化された従来の時短遊技状態に対し、このパチンコ機１では、第２の時短遊技状態においては遊技球の払い出しが抑制された遊技を実現することにより遊技者にとって不利付けするようにした分だけ、第１の時短遊技状態においては遊技球の払い出しが促進された遊技者にとって有利な遊技を実現できるようにしたものであるともいえる。
【０３６３】
以上、本発明について好適な実施形態を挙げて説明したが、本発明はこれらの実施形態に限定されるものではなく、以下に示すように、本発明の要旨を逸脱しない範囲において、種々の改良及び設計の変更が可能である。
・上記実施の形態では、普通高確遊技状態にあるときの特別図柄の変動時間中に、普通当たりに落選されたときにはこれを契機として、演出表示装置１１５においてすぐに、特別図柄側の遊技に遊技者にとっての不利（変動中特別遊技であるにもかかわらず多量の賞球が払い出されない状態に移行されてしまう不利）が生じたことを示す失敗演出Ｃを行うこととした。ただし、特別図柄側の遊技にこうした不利が生じることを利用して、特別図柄の変動時間のうち、遊技者から見たときに同変動が停止され得るいくつかのタイミング（変動番号１〜６に応じたタイミング）が到来するのを待ってから、当該特別図柄の変動が終了したことを虚偽表示する偽前インターバル演出Ｂを行うようにしてもよい。
例えば、図３８（ａ）に示されるように、普通高確遊技状態において、いま、特別図柄が３０秒間だけ変動表示される変動番号４が採用されたとすると、まず、変動番号１が仮に採用されたとしたときの変動時間（３秒）が経過するまでの区間ａにあるときに上記普通当たりに落選されたかを判断する。そしてこの結果、区間ａにあるときに上記普通当たりに落選された旨判断されたときは、同区間ａの終了時までは、演出表示装置１１５における演出表示（特別演出Ａ４）に変化を与えずにこれを維持する。ただし、同区間ａの終了時には、変動番号１のときに現れる前インターバル演出Ｂ１と同様、若しくは近似した偽前インターバル演出Ｂ１を出現させるようにする。これにより、上記変動番号４の当選種が得られているにもかかわらず、遊技者に対し、特別図柄が３秒だけ変動表示されて上記変動番号１の当選種が得られたことを意識付けすることができるようになる。
一方、図３８（ｂ）に示されるように、区間ａにあるときに上記普通当たりに落選された旨判断されなかったときは、変動番号１が仮に採用されたとしたときの変動時間（３秒）が経過してから変動番号２が仮に採用されたとしたときの変動時間（６秒）が経過するまでの区間ｂにあるときに上記普通当たりに落選されたかを判断する。そしてこの結果、区間ｂにあるときに上記普通当たりに落選された旨判断されたときは、同区間ｂの終了時までは、演出表示装置１１５における演出表示（特別演出Ａ４）に変化を与えずにこれを維持する。ただし、同区間ｂの終了時には、変動番号２のときに現れる前インターバル演出Ｂ２と同様、若しくは近似した偽前インターバル演出Ｂ２を出現させるようにする。これにより、上記変動番号４の当選種が得られているにもかかわらず、遊技者に対し、特別図柄が６秒だけ変動表示されて上記変動番号２の当選種が得られたことを意識付けすることができるようになる。
また一方、図３８（ｃ）に示されるように、区間ｂにあるときに上記普通当たりに落選された旨判断されなかったときは、変動番号２が仮に採用されたとしたときの変動時間（６秒）が経過してから変動番号３が仮に採用されたとしたときの変動時間（１０秒）が経過するまでの区間ｃにあるときに上記普通当たりに落選されたかを判断する。そしてこの結果、区間ｃにあるときに上記普通当たりに落選された旨判断されたときは、同区間ｃの終了時までは、演出表示装置１１５における演出表示（特別演出Ａ４）に変化を与えずにこれを維持する。ただし、同区間ｃの終了時には、変動番号３のときに現れる前インターバル演出Ｂ３と同様、若しくは近似した偽前インターバル演出Ｂ３を出現させるようにする。これにより、上記変動番号４の当選種が得られているにもかかわらず、遊技者に対し、特別図柄が１０秒だけ変動表示されて上記変動番号３の当選種が得られたことを意識付けすることができるようになる。
そして、偽前インターバル演出Ｂ１〜３がこうして出現されてから１０秒が経過した後には、所定の変動復帰演出Ｄと前インターバル演出Ｂ４とを順次出現させるようにしている。すなわちこの場合、遊技者に対しては、特別図柄の変動時間が変更、延長されたかのような印象が与えられることとなる。例えば、偽前インターバル演出Ｂ２が出現されて変動番号２の当選種が得られていることを意識させた後に、所定の変動復帰演出Ｄと前インターバル演出Ｂ４とが順次出現された場合には、多量の賞球数が得られないことが確定されるばかりか、普通高確遊技状態に再び制御される確率よりも普通低確遊技状態に移行制御される確率のほうが高くされている変動番号２から、多量の賞球数が得られることと普通高確遊技状態に再び制御されることとがそれぞれ確定される変動番号４にその当選種が格上げされる演出として機能するようになる。また逆に、偽前インターバル演出Ｂ１が出現されて変動番号１の当選種が得られていることを意識させた後に、所定の変動復帰演出Ｄと前インターバル演出Ｂ４とが順次出現された場合には、獲得可能な賞球数の期待値が高い変動番号１から、獲得可能な賞球数の期待値が低い変動番号４にその当選種が格下げされる演出として機能するようになる。したがって、大当たり遊技が実際に開始されるまでの前インターバル演出Ｂが行われる時間や、普通当たりの落選に応じた普通図柄の変動時間（３０秒）のうちの少なくとも偽前インターバル演出Ｂが行われる時間については、単なる待ち時間ではなく、変動番号が変更され得る演出時間として機能させることができるようになり、これによって同時間中における遊技興趣を好適に維持することができるようになる。また、特別当たりに当選されて上記大当たり遊技が行われる直前の状態（前インターバル演出）にあると認識させるようにしたことで、遊技者に対し、持ち球の消費を抑制すべく遊技球の打ち出しを自ずと中止させることができるようになる。
なお、図３８（ｄ）に示されるように、変動番号３が仮に採用されたとしたときの変動時間（１０秒）が経過するまでの区間ｃが経過した後に、上記普通当たりに落選したときはこれを契機として、失敗演出Ｃをすぐに表示することとなる。
・上記実施の形態では、普通当たりの当選確率の高低を使い分けることによって、特別始動有賞口８２に遊技球が入球され難い通常の遊技（通常遊技状態、普通低確遊技状態）と、特別始動有賞口８２に遊技球が入球され易い普通高確遊技状態とが発生しうるようにした（普通低確判定手段６０８、普通高確判定手段６０７ａ）。ただし、普通当たりの当選種として、例えば、特別始動有賞口８２に遊技球が入球され難い「０．１秒」の開放期間が対応付けられた第１の短当たりと、これよりも若干だけ長いものの特別始動有賞口８２には遊技球が入球され難い「０．１１秒」の開放期間が対応付けられた第２の短当たりと、特別始動有賞口８２に複数個の遊技球が入球されるために十分な「６秒」の開放期間が対応付けられた長当たりとを用意し、上記第１遊技制御手段６０２が、
（イ）通常遊技状態において普通当たりに当選されたときに、普通図柄の図柄乱数に基づいて、「３９７／３９９」の確率で第１の短当たり、「１／３９９」の確率で第２の短当たり、「１／３９９」の確率で長当たりに当選された旨判定し、
（ロ）普通低確遊技状態において普通当たりに当選されたときに、普通図柄の図柄乱数に基づいて、「１／３９９」の確率で第１の短当たり、「３９７／３９９」の確率で第２の短当たり、「１／３９９」の確率で長当たりに当選された旨判定し、
（ハ）普通高確遊技状態において普通当たりに当選されたときに、普通図柄の図柄乱数に基づいて、「３９９／３９９」の確率で長当たりに当選された旨判定する
ことによって、特別始動有賞口８２に遊技球が入球され難い通常の遊技（通常遊技状態、普通低確遊技状態）と、特別始動有賞口８２に遊技球が入球され易い遊技とが行われるようにしてもよい。なおこの場合、普通当たりの当選確率については、遊技状態にかかわらずほぼ確実に当選されるような高い確率に設定することとなる。すなわち、上記第１遊技制御手段６０２は、要は、通常の遊技（通常遊技状態、普通低確遊技状態）においては、特別始動有賞口８２に少なくとも１つの遊技球が入球される条件を厳しく設定して、この厳しく設定された条件が満たされるまでは上記普通当たりについての判定処理を繰り返し行うこととなる遊技を実現する手段と、普通高確遊技状態においては、特別始動有賞口８２に複数個の遊技球が入球される条件を甘く設定することにより、特別図柄の変動期間中に多くの遊技球を繰り返し入球可能とする遊技を実現する手段とを備えるものであればよい。
【０３６４】
・上記実施の形態では、上記普通始動有賞口９６をポケット型の始動口として設け、当該始動口に遊技球が入球されたときには賞球が確実に払い出されるようにした。ただし、この普通始動有賞口９６については、例えば、ゲート型の始動口と、該始動口を通過した遊技球が所定確率で入球されうる位置（例えば直下の位置）に設けられた賞球口とによって構成されるようにしてもよい。要は、賞球が確実に払い出されるものでなくてもよく、普通始動無賞口８９と比較して、遊技球が受け入れられたときに遊技者に払い出される賞球数の期待値が大きいものであればよい。この意味では、普通始動無賞口８９についても、必ずしも賞球が払い出されないものでなくてもよい。
【０３６５】
・また、上記普通始動有賞口９６は、通常の遊技（通常遊技状態、普通低確遊技状態）において、遊技者が、普通始動有賞口９６と普通始動無賞口８９とのうちの当該普通始動有賞口９６を狙って遊技するような上記普通始動無賞口８９に対して何らかの優遇を持たせられたものであれば、必ずしも賞球が払い出されないものであってもよい。また、普通高確遊技状態において上記特別図柄の変動時間中に特別遊技を実現する上では、特別始動有賞口８２と同じ流下経路上の上記普通始動無賞口８９があれば、普通始動有賞口９６は必ずしも設けられていなくてもよい。
【０３６６】
・上記実施の形態では、特別図柄の判定処理においては特別当たりに必ず当選されるようにしたが、必ずしも当選されないようにしてもよい。すなわちこの場合、普通高確遊技状態において特別当たりに落選するようなことがあれば、上記特別図柄についての変動が複数回行われることとなり、それら変動の都度、上記変動中特別遊技を行い得るようにすることができるようになる。これにより、遊技者は、特別当たりに落選すればするほど大きな賞球数を獲得し得るようになり、普通高確遊技状態における遊技興趣の向上を図ることができるようになる。なおこの場合、特別当たりに当選されたときには、こうした連続的な変動中特別遊技が再び実行可能な状態とされるようになるかといった復活的な抽選処理として、上記普通高確遊技状態に制御されるか否かについての抽選処理が図柄乱数に基づいて行われることとなる。またこの場合、特別図柄に保留機能を持たせ、普通低確遊技状態に制御された後に、特別図柄の保留内で普通高確遊技状態を発生させる特別当たりに当選されるかについての保留内遊技を実現するようにしてもよい。
【０３６７】
また、通常遊技状態については、主制御基板７６５のＲＡＭクリアスイッチ７６９が操作されて、同主制御基板７６５の内蔵ＲＡＭの記憶内容が初期化されたとき（ホールの開店当初）にしか制御されないようにしたが、特別当たりが当選されたとき、該当選に応じた大当たり遊技が行われた後に、所定確率で通常遊技状態に制御するようにしてもよい。ただしこの場合、時短遊技状態中における持ち球を減少させる上記普通低確遊技状態としての機能が維持される程度の低い確率にて上記通常遊技状態に制御されるようにすることが望ましい。
【０３６８】
・演出表示装置１１５における表示演出にて示唆される期待度とは、特定の演出や特定の表示画像が現れたときに遊技者に対して何らかの有利（普通当たり、普通高確遊技状態の発生）が付与されることを期待することができる程度を表すものである。特定の演出や特定の表示画像に対する期待度としては、例えば、遊技者に対して何らかの有利が付与されることが確定されているとき（アタリのとき）に、特定の演出や特定の画像が現れる表示演出を実行させる比率（当たり時実行比率）と、遊技者に対して何らかの有利が付与されないことが確定されているとき（ハズレのとき）に、特定の演出や特定の画像が現れる表示演出を実行させる比率（ハズレ時実行比率）とによって自由に設計することが可能である。なお、当たり時実行比率に対してハズレ時実行比率が大きいほど期待度は小さくなり、当たり時実行比率に対してハズレ時実行比率が小さいほど期待度は大きくなる。
【０３６９】
・時短機能とは、主制御基板７６５のＲＡＭクリアスイッチ７６９が操作されて、同主制御基板７６５の内蔵ＲＡＭの記憶内容が初期化されたときに現れる遊技状態（通常遊技状態）を基準として、この通常遊技状態にあるときよりも上記特別始動有賞口８２に遊技球が入球され易いように普通図柄側の遊技処理を行わせる機能のことである。したがって、この実施の形態では、例えば、通常遊技状態における普通電動役物８１による開放動作時間（５秒）に対し、普通低確遊技状態や普通高確遊技状態においてはこれよりも長い時間（５．５秒、６秒）を設定するようにすればよい。
【符号の説明】
【０３７０】
１  パチンコ機
１ａ  プリペイドカードユニット
２  外枠
３  本体枠
４  前面枠
５  遊技盤
５ａ  遊技板
６  下受板
７  ヒンジ機構
１１  前枠体
１２  遊技盤装着枠
１３  機構装着体
１４  外枠側ヒンジ具
１５  本体枠側ヒンジ具
１６  スピーカボックス部
１７  スピーカ装着板
１８  スピーカ
１９  発射レール
２１  複合転動振分装置
２２  第一転動領域
２３  第二転動領域
２４  特定出口
２５  普通出口
３０  下部前面板
３１  下皿
３２  操作ハンドル
３３  灰皿
３４  球排出レバー
３６  ヒンジ機構
３７  遊技領域
３８  開口窓
３９  窓枠
４０  仕切板
４１  外周壁
４２  ステージ左余地
４３  右キャノピー
４４  ワープ出口
４５  進入路
４６  ランプ駆動基板
５０  透明板
５１  上皿
５２  サイド装飾装置
５３  音響電飾装置
５４  サイド装飾体
５５  レンズ
５６  透明カバー体
５７  スピーカ
５８  スピーカカバー
６３  ワープ流入口
７０  施錠装置
７１  閉止具
７２  本体枠施錠フック
７３  閉止具
７４  扉施錠フック
７５  シリンダー錠
７６  外レール
７７  内レール
７８  案内レール
７９  前構成部材
８１  普通電動役物
８２  特別始動有賞口
８３  大入賞口
８４  ＬＥＤ
８５  ＬＥＤ
８８  ＬＥＤ
８９  普通始動無賞口
９０  球アウト口
９１  センター役物
９６  普通始動有賞口
９８  アタッカ装置
９９  開閉部材
１０１  計数スイッチ
１０２  回転角スイッチ
１０７  満タンスイッチ
１０８  払出中継基板
１１５  演出表示装置
１１７  制御基板ボックス
１１８  ボックス装着台
１２４  開口部
１３０  制御基板ボックス
１３２  制御基板ボックス
１３３  タンク装着部
１３４  レール装着部
１３５  払出装置装着部
１３６  球タンク
１３７  底板部
１３８  放出口
１３９  レール構成部材
１５０  タンクレール
１５１  前壁部
１５２  後壁部
１５５  レール棚
１５６  整流体
１５７  軸
１５８  レール受け部
１７０  球払出装置
１７２  払出モータ
１７３  開口部
１９２  発射モータ
１９３  取付基板
１９４  発射装置
１９５  電源基板
１９６  電源基板ボックス
１９８  制御基板ボックス
２１０  カバー
２１０  後カバー体
２１１  カバーヒンジ機構
２１２  後壁部
２１３  周壁部
２１３ａ  壁部
２１３ｂ  壁部
２１３ｃ  上側壁部
２３０  放熱孔
２３１  放熱孔
２３２  放熱孔
２３３  放熱孔
２３５  封印部
２３７  コード保持体
２３８  分電基板
２３９  基板コネクタ
２５２  インターフェース基板
２５３  下皿用球誘導体
２５４  基板ボックス
３１３  排出センサ
３１６  普通始動無賞センサ
３１７  普通始動有賞センサ
３１８  特別始動有賞センサ
３１９  カウントセンサ
３２３  普通保留球ランプ
３３２  特別図柄表示器
３３３  普通図柄表示器
３３４  普通役物駆動機構
３３９  アタッカ駆動機構
３７１  外部端子板
３７２  発射制御基板
３９４  装飾ランプ
３９５  演出ランプ
３９６  賞球ランプ
３９７  階調ランプ
７５８  液晶制御基板
７５８ａ  液晶制御ＭＰＵ
７５８ｂ  液晶制御ＲＯＭ
７５８ｃ  ＶＤＰ
７５８ｄ  画像ＲＯＭ
７６３  サブ統合基板
７６３ａ  サブ統合ＭＰＵ
７６３ｂ  サブ統合ＲＯＭ
７６３ｃ  音源ＩＣ
７６３ｄ  音ＲＯＭ
７６５  主制御基板
７６５ａ  主制御ＭＰＵ
７６５ｂ  主制御Ｉ／Ｏポート
７６９  ＲＡＭクリアスイッチ
７７５  払出制御基板
７７５ａ  払出制御ＭＰＵ
７７５ｂ  払出制御Ｉ／Ｏポート
７７５ｃ  外部ＷＤＴ
７７７  エラーＬＥＤ表示器
７７８  エラー解除スイッチ
７７９  球抜きスイッチ
７８０  主基板
７８１  周辺基板
【図１４】
0005564687.tif 000002
【図１７】
0005564687.tif 000003
【図１８】
0005564687.tif 000004
【図２９】
0005564687.tif 000005
【図３１】
0005564687.tif 000006
【図３２】
0005564687.tif 000007
【図３３】
0005564687.tif 000008
【図３４】
0005564687.tif 000009
【図３７】
0005564687.tif 000010
【図３８】
0005564687.tif 000011
【図１】
0005564687.tif 000012
【図２】
0005564687.tif 000013
【図３】
0005564687.tif 000014
【図４】
0005564687.tif 000015
【図５】
0005564687.tif 000016
【図６】
0005564687.tif 000017
【図７】
0005564687.tif 000018
【図８】
0005564687.tif 000019
【図９】
0005564687.tif 000020
【図１０】
0005564687.tif 000021
【図１１】
0005564687.tif 000022
【図１２】
0005564687.tif 000023
【図１３】
0005564687.tif 000024
【図１５】
0005564687.tif 000025
【図１６】
0005564687.tif 000026
【図１９】
0005564687.tif 000027
【図２０】
0005564687.tif 000028
【図２１】
0005564687.tif 000029
【図２２】
0005564687.tif 000030
【図２３】
0005564687.tif 000031
【図２４】
0005564687.tif 000032
【図２５】
0005564687.tif 000033
【図２６】
0005564687.tif 000034
【図２７】
0005564687.tif 000035
【図２８】
0005564687.tif 000036
【図３０】
0005564687.tif 000037
【図３５】
0005564687.tif 000038
【図３６】
0005564687.tif 000039